(57)【要約】【課題】本発明は、操作性を格段的に向上させる。【解決手段】本発明は、挟持可能な本体部１１の正面１１Ａに情報表示面１２Ａを配置するように設けられた表示部１２の当該情報表示面１２Ａのタッチ位置を検出し、そのタッチ位置を互いに直交する２軸を基準とした座標で表すタッチ位置検出データを生成し、そのタッチ位置検出データに基づき、情報表示面１２Ａのタッチ位置が当該情報表示面１２Ａの所定領域内から２軸各々に沿った２方向に対して斜めな所定の斜め一方向へ連続的に変位したことを検出すると、表示部１２の情報表示面１２Ａに所定の情報を表示することにより、手で本体部１１を挟持させながら当該本体部１１を挟持している手の親指を表示部１２の情報表示面１２Ａに接触させたまま斜め一方向へ移動させるだけで、表示部１２の情報表示面１２Ａに所定の情報を表示させることができ、操作性を格段的に向上させることができる。【選択図】図１１
2010026710.tif 000002
【特許請求の範囲】
【請求項１】
挟持可能な本体部と、
上記本体部に対し当該本体部の正面に情報表示面を配置するように設けられ、当該情報表示面に情報を表示する表示部と、
上記表示部の上記情報表示面のタッチ位置を検出して、当該検出したタッチ位置を互いに直交する２軸を基準とした座標で表すタッチ位置検出データを生成するタッチ位置検出部と、
上記タッチ位置検出部により生成された上記タッチ位置検出データに基づき、上記表示部の上記情報表示面の上記タッチ位置が当該情報表示面の所定領域内から上記２軸各々に沿った２方向に対して斜めな所定の斜め一方向へ連続的に変位したことを検出すると、上記表示部の上記情報表示面に所定の情報を表示させる制御部と
を具える情報処理装置。
【請求項２】
上記制御部は、
上記タッチ位置検出部により生成された上記タッチ位置検出データに基づき、上記表示部の上記情報表示面の上記タッチ位置が当該情報表示面の縁部の上記所定領域内から上記斜め一方向へ連続的に変位したことを検出すると、上記表示部の上記情報表示面に上記所定の情報を表示させる
請求項１に記載の情報処理装置。
【請求項３】
上記制御部は、
上記タッチ位置検出部により生成された上記タッチ位置検出データに基づき、上記表示部の上記情報表示面の上記タッチ位置が当該情報表示面の縁部の上記所定領域内から上記斜め一方向へ連続的に変位したことを検出すると、上記表示部の上記情報表示面に上記所定の情報として、実行可能な処理メニューの項目を示す表示子を表示させる
請求項２に記載の情報処理装置。
【請求項４】
上記制御部は、
上記タッチ位置検出部により生成された上記タッチ位置検出データに基づき、上記表示部の上記情報表示面の上記タッチ位置が当該情報表示面の縁部の上記所定領域内から上記斜め一方向へ連続的に変位したことを検出すると、上記表示部の上記情報表示面に対し上記表示子を上記所定領域側から上記斜め一方向へ移動させるように表示させる
請求項３に記載の情報処理装置。
【請求項５】
上記制御部は、
上記タッチ位置検出部により生成された上記タッチ位置検出データに基づき、上記表示部の上記情報表示面の上記タッチ位置が当該情報表示面の縁部の上記所定領域内から上記斜め一方向へ連続的に変位したことを検出したとき、上記タッチ位置が上記情報表示面の縁部の上記所定領域内から上記斜め一方向へ比較基準速度以上の速度で変位しているか否かを検出し、上記タッチ位置が上記情報表示面の縁部の上記所定領域内から上記斜め一方向へ上記比較基準速度以上の速度で変位していることを検出すると、上記所定領域側から上記斜め一方向へ移動させる上記表示子を最終的な表示位置に表示させ、上記タッチ位置が上記情報表示面の縁部の上記所定領域内から上記斜め一方向へ連続的に上記比較基準速度よりも遅い速度で変位していることを検出すると、上記所定領域側から上記表示子を上記タッチ位置の変位に追従させて上記斜め一方向へ移動させるように表示させる
請求項４に記載の情報処理装置。
【請求項６】
上記制御部は、
上記タッチ位置検出部により生成された上記タッチ位置検出データに基づき、上記表示部の上記情報表示面の上記タッチ位置が当該情報表示面の縁部の上記所定領域内から上記斜め一方向へ連続的に変位したことを検出して上記表示部の上記情報表示面内の上記最終的な表示位置に上記表示子を表示させた後、上記タッチ位置検出部により生成された上記タッチ位置検出データに基づき、上記表示部の上記情報表示面の上記タッチ位置が上記２軸各々に沿った２方向に対して斜めな、上記斜め一方向とは逆の斜め他方向へ連続的に変位したことを検出すると、上記表示部の上記情報表示面内の上記最終的な表示位置の上記表示子を上記情報表示面の上記所定領域側へ移動させて消去する
請求項５に記載の情報処理装置。
【請求項７】
上記制御部は、
上記タッチ位置検出部により生成された上記タッチ位置検出データに基づき、上記表示部の上記情報表示面の上記タッチ位置が当該情報表示面の縁部の上記所定領域内から上記斜め一方向へ連続的に変位したことを検出すると、上記表示部の上記情報表示面において上記タッチ位置の変位の軌跡上に１又は複数の上記表示子を表示させる
請求項３に記載の情報処理装置。
【請求項８】
上記制御部は、
上記タッチ位置検出部により生成された上記タッチ位置検出データに基づき、上記表示部の上記情報表示面の上記タッチ位置が当該情報表示面の縁部の上記所定領域内から上記斜め一方向へ連続的に変位したことを検出すると、上記表示部の上記情報表示面に対し１又は複数の上記表示子を上記タッチ位置の変位の軌跡の長さに応じた大きさで表示させる
請求項７に記載の情報処理装置。
【請求項９】
上記制御部は、
上記タッチ位置検出部により生成された上記タッチ位置検出データに基づき、上記表示部の上記情報表示面の上記タッチ位置が当該情報表示面の縁部の上記所定領域内から上記斜め一方向へ連続的に変位したことを検出すると、上記表示部の上記情報表示面において上記タッチ位置の変位の軌跡で指定される略扇形の表示領域内に１又は複数の上記表示子を表示させる
請求項３に記載の情報処理装置。
【請求項１０】
上記制御部は、
上記タッチ位置検出部により生成された上記タッチ位置検出データに基づき、上記表示部の上記情報表示面の上記タッチ位置が当該情報表示面の縁部の上記所定領域内から上記斜め一方向へ連続的に変位したことを検出すると、上記表示部の上記情報表示面に対し１又は複数の上記表示子を上記表示領域の面積に応じた大きさで表示させる
請求項９に記載の情報処理装置。
【請求項１１】
上記制御部は、
上記表示部の上記情報表示面に階層的に生成された複数の上記情報を順次切り換えて表示させているとき、上記タッチ位置検出部により生成された上記タッチ位置検出データに基づき、上記表示部の上記情報表示面の上記タッチ位置が当該情報表示面の縁部の上記所定領域内から上記斜め一方向へ連続的に変位したことを検出すると、当該検出時点に上記表示部の上記情報表示面に表示させていた上記情報の階層に応じた上記所定の情報を当該表示部の上記情報表示面に表示させる
請求項２に記載の情報処理装置。
【請求項１２】
上記制御部は、
上記タッチ位置検出部により生成された上記タッチ位置検出データに基づき、上記表示部の上記情報表示面の上記タッチ位置が当該情報表示面の上記所定領域内で一時的に検出されていると、当該所定領域内での上記タッチ位置の一時的な検出に応じた処理を実行する
請求項１１に記載の情報処理装置。
【請求項１３】
上記制御部は、
上記タッチ位置検出部により生成された上記タッチ位置検出データに基づき、上記表示部の上記情報表示面の上記タッチ位置が当該情報表示面の上記所定領域内で一時的に検出されていると、上記表示部の上記情報表示面に対し、上記所定領域内で上記タッチ位置が一時的に検出されたときに表示させていた上記所定の情報に替えて、当該所定の情報よりも階層的に上位の他の情報を表示させる
請求項１２に記載の情報処理装置。
【請求項１４】
利き手を検出する利き手検出部と、
上記利き手検出部により検出された上記利き手に応じて、上記表示部の上記情報表示面内における上記所定領域の位置を変更すると共に、上記斜め一方向を規定し直す変更部と
を具える請求項２に記載の情報処理装置。
【請求項１５】
上記本体部の挟持姿勢を検出する姿勢検出部と、
上記姿勢検出部により検出された上記本体部の上記挟持姿勢に応じて、上記表示部の上記情報表示面における上記所定領域の位置を変更すると共に、上記斜め一方向を規定し直す変更部と
を具える請求項２に記載の情報処理装置。
【請求項１６】
上記制御部は、
上記本体部が、一方の側面に手のひらの親指の付け根側が押し付けられると共に、当該手のひらが上記本体部の背面にまわされて上記親指以外の他の指が他方の側面に押し付けられるようにして挟持された状態で、上記タッチ位置検出部により生成された上記タッチ位置検出データに基づき上記タッチ位置が、上記表示部の上記情報表示面の上記縁部として、上記本体部を挟持している上記手の小指側の隅部に設けられた上記所定領域内から上記本体部の上記一方の側面の中央部に向かう上記斜め一方向へ連続的に変位したことを検出すると、上記表示部の上記情報表示面に上記表示子を表示させる
請求項３に記載の情報処理装置。
【請求項１７】
挟持可能な本体部に対し当該本体部の正面に情報表示面を配置するように設けられた表示部の当該情報表示面のタッチ位置を検出して、当該検出したタッチ位置を互いに直交する２軸を基準とした座標で表すタッチ位置検出データを生成するタッチ位置検出ステップと、
上記生成した上記タッチ位置検出データに基づき、上記表示部の上記情報表示面の上記タッチ位置が当該情報表示面の所定領域内から上記２軸各々に沿った２方向に対して斜めな所定の斜め一方向へ連続的に変位したことを検出すると、上記表示部の上記情報表示面に所定の情報を表示する表示ステップと
を具える情報処理方法。
【請求項１８】
情報処理装置に対し、
挟持可能な本体部に対し当該本体部の正面に情報表示面を配置するように設けられた表示部の当該情報表示面のタッチ位置を検出して、当該検出したタッチ位置を互いに直交する２軸を基準とした座標で表すタッチ位置検出データを生成するタッチ位置検出ステップと、
上記生成した上記タッチ位置検出データに基づき、上記表示部の上記情報表示面の上記タッチ位置が当該情報表示面の所定領域内から上記２軸各々に沿った２方向に対して斜めな所定の斜め一方向へ連続的に変位したことを検出すると、上記表示部の上記情報表示面に所定の情報を表示する表示ステップと
を実行させるための情報処理プログラム。
【発明の詳細な説明】
【技術分野】
【０００１】
本発明は情報処理装置、情報処理方法及び情報処理プログラムに関し、例えば、タッチパネルが設けられた携帯再生装置に適用して好適なものである。
【背景技術】
【０００２】
従来の手書き入力表示装置は、記憶部に対し、複数画で描かれるＬ字や、連続する複数の円弧等のような所定形状の線画（以下、これをジェスチャとも呼ぶ）の特徴量と、当該ジェスチャの入力に応じて実行する処理の処理方法とを組み合せて記憶している。
【０００３】
また手書き入力表示装置は、キーボードや入力タブレットを介して入力された１又は複数の文字や線分をディスプレイに表示する。
【０００４】
この状態で手書き入力表示装置は、ペンを用いて入力タブレット上でジェスチャが描かれて入力されると、当該入力されたジェスチャの特徴量を抽出すると共に、当該抽出した特徴量を記憶部内の特徴量と比較する。
【０００５】
その結果、手書き入力表示装置は、入力されたジェスチャを特定し、当該特定したジェスチャに応じた処理方法で、例えば複数の文字を直線上に揃えて表示し直し、又は複数の線分を等間隔で並行に表示し直したりする。
【０００６】
このようにして手書き入力表示装置は、入力タブレット上で１画又は複数画のジェスチャを描かせるだけの簡易な操作で、ディスプレイの表示状態を変更するような種々の処理を実行していた（例えば、特許文献１参照）。
【特許文献１】特許第３２８２６３７号公報（第５頁、第６頁、第７頁）
【発明の開示】
【発明が解決しようとする課題】
【０００７】
ところで、最近では、携帯再生装置において表示部の情報表示面上にタッチパネルを設け、指によりタッチパネルを介して情報表示面上で所定形状のジェスチャを描かせるようにして命令を入力させることで、操作性を向上させることが提案されている。
【０００８】
ところが携帯再生装置では、命令入力用のジェスチャの形状が、手書き入力表示装置で入力されるジェスチャの形状のように複雑だと、一方の手で携帯再生装置を保持させながら、わざわざ他方の手を命令の入力にのみ使用させ当該他方の手の人差し指でジェスチャを描かせることになる。
【０００９】
このため携帯再生装置では、手書き入力表示装置のようなジェスチャの入力機能を単に適用すると、指によりタッチパネルを介して情報表示面上でジェスチャを描かせて命令を入力させる際、操作性を向上させるには未だ不十分であるという問題があった。
【００１０】
本発明は以上の点を考慮してなされたもので、操作性を格段的に向上させ得る情報処理装置、情報処理方法及び情報処理プログラムを提案しようとするものである。
【課題を解決するための手段】
【００１１】
かかる課題を解決するため本発明においては、情報処理装置において、挟持可能な本体部に対し当該本体部の正面に情報表示面を配置するように設けられた表示部の当該情報表示面のタッチ位置を検出して、当該検出したタッチ位置を互いに直交する２軸を基準とした座標で表すタッチ位置検出データを生成し、当該生成したタッチ位置検出データに基づき、表示部の情報表示面のタッチ位置が当該情報表示面の所定領域内から２軸各々に沿った２方向に対して斜めな所定の斜め一方向へ連続的に変位したことを検出すると、表示部の情報表示面に所定の情報を表示するようにした。
【００１２】
従って本発明では、手で本体部を挟持したときに当該手の親指が表示部の情報表示面と対向するように位置すると、当該親指をその根本部分を支点として、２軸各々に沿った２方向に対して斜めな斜め一方向へ動かし易いことを利用して、手で本体部を挟持させながら当該本体部を挟持している手の親指を表示部の情報表示面に接触させたまま斜め一方向へ移動させるだけで、表示部の情報表示面に所定の情報を表示させることができる。
【発明の効果】
【００１３】
本発明によれば、情報処理装置において、情報処理装置において、挟持可能な本体部に対し当該本体部の正面に情報表示面を配置するように設けられた表示部の当該情報表示面のタッチ位置を検出して、当該検出したタッチ位置を互いに直交する２軸を基準とした座標で表すタッチ位置検出データを生成し、当該生成したタッチ位置検出データに基づき、表示部の情報表示面のタッチ位置が当該情報表示面の所定領域内から２軸各々に沿った２方向に対して斜めな所定の斜め一方向へ連続的に変位したことを検出すると、表示部の情報表示面に所定の情報を表示するようにしたことにより、手で本体部を挟持させながら当該本体部を挟持している手の親指を表示部の情報表示面に接触させたまま斜め一方向へ移動させるだけで、表示部の情報表示面に所定の情報を表示させることができ、かくして操作性を格段的に向上させ得る情報処理装置、情報処理方法及び情報処理プログラムを実現することができる。
【発明を実施するための最良の形態】
【００１４】
以下図面について、本発明の一実施の形態を詳述する。
【００１５】
（１）本発明による情報処理装置の概要
図１において、１は全体として本発明による情報処理装置の構成の概要を示す。かかる情報処理装置１において本体部２は、片手又は両手で挟持可能な大きさ及び又は形状を有している。
【００１６】
また情報処理装置１において表示部３は、本体部２に対し当該本体部２の正面に情報表示面を配置するように設けられ、当該情報表示面に情報を表示し得るようになされている。
【００１７】
さらに情報処理装置１においてタッチ位置検出部４は、表示部３の情報表示面のタッチ位置を検出して、当該検出したタッチ位置を互いに直交する２軸を基準とした座標で表すタッチ位置検出データを生成する。
【００１８】
そして情報処理装置１において制御部５は、タッチ位置検出部４により生成されたタッチ位置検出データに基づき、表示部３の情報表示面のタッチ位置が当該情報表示面の所定領域内から２軸各々に沿った２方向に対して斜めな所定の斜め一方向へ連続的に変位したことを検出すると、表示部３の情報表示面に所定の情報を表示させるようにした。
【００１９】
ここで情報処理装置１を使用するユーザにとっては、本体部２を挟持した手の親指が表示部３の情報表示面と対向するように位置すると、当該親指をその根本部分を支点として、２軸各々に沿った２方向に対して斜めな斜め一方向へ動かし易い。
【００２０】
よって情報処理装置１は、かかる身体的構造を利用して、手で本体部２を挟持させながら当該本体部２を挟持している手の親指を表示部３の情報表示面に接触させたまま斜め一方向へ移動させるだけで、表示部３の情報表示面に所定の情報を表示させることができる。これにより情報処理装置１は、操作性を格段的に向上させることができる。
【００２１】
（２）第１の実施の形態
（２−１）携帯再生装置の外観構成
図１において、１０は全体として本発明による情報処理装置を適用した第１の実施の形態による携帯再生装置の外観構成を示す。
【００２２】
かかる携帯再生装置１０は、正面１１Ａ及び背面１１Ｂが共に略長方形状に形成された扁平形状の本体部１１を有している。
【００２３】
因みに、以下の説明では、本体部１１の長手方向（すなわち、正面１１Ａ及び背面１１Ｂの長辺と平行な方向）を本体長手方向とも呼ぶ。
【００２４】
そして、以下の説明では、本体部１１において本体長手方向の一端側の端面を一端面１１Ｃとも呼び、当該本体部１１において本体長手方向の他端側の端面を他端面１１Ｄとも呼ぶ。
【００２５】
また、以下の説明では、本体部１１の本体長手方向と直交する短手方向（すなわち、正面１１Ａ及び背面１１Ｂの短辺と平行な方向）を本体幅方向とも呼ぶ。
【００２６】
そして、以下の説明では、本体部１１において本体幅方向の一端側の側面を一側面１１Ｅとも呼び、当該本体部１１において本体幅方向の他端側の側面を他側面１１Ｆとも呼ぶ。
【００２７】
本体部１１には、長方形状の情報表示面１２Ａを有する表示部１２が設けられている。表示部１２の情報表示面１２Ａは、その長手方向の長さが、本体部１１の正面１１Ａの長さ（すなわち、本体長手方向の長さ）よりもわずかに短く選定され、幅が本体部１１の正面１１Ａの幅よりもわずかに短く選定されている。
【００２８】
表示部１２の情報表示面１２Ａは、本体部１１の正面１１Ａに対し当該情報表示面１２Ａの長手方向を本体長手方向と平行にし、かつ上寄り（すなわち、本体長手方向の一端寄り）に配置されている。
【００２９】
そして表示部１２の情報表示面１２Ａには、１又は複数の表示子（以下、これをアイコンとも呼ぶ）を有する表示画面や所定の情報をリスト化して示す表示画面等のように、種々の構成の表示画面を表示し得るようになされている。
【００３０】
また表示部１２の情報表示面１２Ａには、種々の表示画面を単独で表示し、また特定の表示画面上に他の表示画面や１又は複数のアイコン等の他の情報を重畳させて表示することもできるようになされている。
【００３１】
そして表示部１２の情報表示面１２Ａ上には、当該情報表示面１２Ａとほぼ同じ大きさ及び形状の透明なタッチパネル１３が、その情報表示面１２Ａ全体を覆うように設けられている。
【００３２】
さらに本体部１１の正面１１Ａにおいて下側（すなわち、本体長手方向の他端側）には、再生の開始及び停止を指示するための再生停止ボタン１４と、ホームメニュー画面を表示するためのホームボタン１５とが配置されている。
【００３３】
さらにまた本体部１１の一側面１１Ｅには、上側に音量を調節するための音量調節ボタン１６が設けられている。因みに、以下の説明では、再生停止ボタン１４、ホームボタン１５及び音量調整ボタン１６を特には区別する必要のない場合、これらをまとめて操作ボタンとも呼ぶ。
【００３４】
そして本体部１１は、その幅が大人の手のひらの平均的な長さ（すなわち、手のひらにおいて、手首との境界から親指を除く他の４本の指の根元部分までの長さ）よりも短く選定されている。
【００３５】
よって図３に示すように、本体部１１は、ユーザの利き手が右手であると、一側面１１Ｅの下寄りに右手の親指の根元部分を押し付けさせると共に、当該右手のひらを背面１１Ｂにまわさせて他側面１１Ｆに親指を除く他の指の少なくとも一部を押し付けさせるようにして挟持させることができる。
【００３６】
また図４に示すように、本体部１１は、ユーザの利き手が左手であると、他側面１１Ｆの下寄りに左手の親指の根元部分を押し付けさせると共に、当該左手のひらを背面１１Ｂにまわさせて一側面１１Ｅに親指を除く他の指の少なくとも一部を押し付けさせるようにして挟持させることもできる。
【００３７】
すなわち本体部１１は、ユーザに対し視界の上側及び下側に一端面１１Ｃ及び他端面１１Ｄを位置させ、かつ当該視界の右側及び左側に一側面１１Ｅ及び他側面１１Ｆを位置させるような姿勢で、片手により一側面１１Ｅ及び他側面１１Ｆを挟み込むように保持させることができる。
【００３８】
因みに、以下の説明では、本体部１１における、ユーザの視界の上側及び下側に一端面１１Ｃ及び他端面１１Ｄを位置させ、かつ当該視界の右側及び左側に一側面１１Ｅ及び他側面１１Ｆを位置させるような姿勢を、縦挟持姿勢とも呼ぶ。
【００３９】
そして携帯再生装置１０は、ユーザにより片手で本体部１１が挟持されると、当該本体部１１を挟持している片方の手（すなわち、利き手）の親指を正面１１Ａと対向するように位置させることができる。
【００４０】
これにより携帯再生装置１０は、本体部１１が片手で挟持されると、当該本体部１１を挟持している片方の手の親指によりタッチパネル１３を介して情報表示面１２Ａをタッチ操作させて各種命令を入力させることができる。
【００４１】
また携帯再生装置１０は、本体部１１が片手で挟持されると、当該本体部１１を挟持している片方の手の親指により、再生停止ボタン１４やホームボタン１５を押下操作させることもできる。
【００４２】
ところで表示部１２の情報表示面１２Ａには、通常、表示画面をその画面上側及び画面下側を一端面１１Ｃ側及び他端面１１Ｄ側に位置させ、かつその画面右側及び画面左側を一側面１１Ｅ側及び他側面１１Ｆ側に位置させるように表示させている。
【００４３】
因みに、以下の説明では、表示部１２の情報表示面１２Ａに対する表示画面の画面上側及び画面下側を一端面１１Ｃ側及び他端面１１Ｄ側に位置させ、画面右側及び画面左側を一側面１１Ｅ側及び他側面１１Ｆ側に位置させるような表示形態を通常表示形態とも呼ぶ。
【００４４】
よって本体部１１は、表示部１２の情報表示面１２Ａに対し通常表示形態で表示画面を表示したまま片手により縦挟持姿勢で挟持されると、当該表示画面内の文字や図形の上下を視界の上下に合せるようにして当該文字や図形を正しく見せることができる。
【００４５】
そして本体部１１は、このように表示部１２の情報表示面１２Ａに表示した表示画面内の文字や図形を正しく見せながら、親指により情報表示面１２Ａをタッチ操作させ、また再生停止ボタン１４やホームボタン１５を押下操作させることができる。
【００４６】
これに加えて図５に示すように、本体部１１は、ユーザの利き手が右手であると、他端面１１Ｄに右手の親指の根元部分を押し付けさせると共に、一端面１１Ｃに左手の親指の根元部分を押し付けさせ、かつ左右の親指を除く他の８本の指の少なくとも一部で背面１１Ｂを支持させるようにして両手で挟持させることもできる。
【００４７】
すなわち本体部１１は、ユーザに対し視界の上側及び下側に一側面１１Ｅ及び他側面１１Ｆを位置させ、かつ当該視界の右側及び左側に他端面１１Ｄ及び一端面１１Ｃを位置させるような姿勢で、両手により一端面１１Ｃ及び他端面１１Ｄを挟み込むように保持させることができる。
【００４８】
因みに、以下の説明では、本体部１１における、ユーザの視界の上側及び下側に一側面１１Ｅ及び他側面１１Ｆを位置させ、かつ当該視界の右側及び左側に他端面１１Ｄ及び一端面１１Ｃを位置させるような姿勢を、右利き横挟持姿勢とも呼ぶ。
【００４９】
また図６に示すように、本体部１１は、ユーザの利き手が左手であると、一端面１１Ｃに右手の親指の根元部分を押し付けさせると共に、他端面１１Ｄに左手の親指の根元部分を押し付けさせ、かつ左右の親指を除く他の８本の指の少なくとも一部で背面１１Ｂを支持させるようにして両手で挟持させることもできる。
【００５０】
すなわち本体部１１は、ユーザに対し視界の上側及び下側に他側面１１Ｆ及び一側面１１Ｅを位置させ、かつ当該視界の右側及び左側に一端面１１Ｃ及び他端面１１Ｄを位置させるような姿勢で、両手により一端面１１Ｃ及び他端面１１Ｄを挟み込むように保持させることもできる。
【００５１】
因みに、以下の説明では、本体部１１における、視界の上側及び下側に他側面１１Ｆ及び一側面１１Ｅを位置させ、かつ当該視界の右側及び左側に一端面１１Ｃ及び他端面１１Ｄを位置させるような姿勢を、左利き横挟持姿勢とも呼ぶ。
【００５２】
そして携帯再生装置１０は、ユーザにより両手で本体部１１が挟持されると、当該本体部１１を両手で挟持させたまま少なくとも一方の利き手の親指を正面１１Ａと対向するように位置させることができる。
【００５３】
これにより携帯再生装置１０は、本体部１１が両手で挟持されると、当該本体部１１を両手で挟持させたまま少なくとも一方の利き手の親指によりタッチパネル１３を介して情報表示面１２Ａをタッチ操作させて各種命令を入力させることができる。
【００５４】
ところで表示部１２の情報表示面１２Ａには、表示画面を画面上側及び画面下側を一側面１１Ｅ側及び他側面１１Ｆ側に位置させ、かつ画面右側及び画面左側を他端面１１Ｄ側及び一端面１１Ｃ側に位置させるように表示させることもできる。
【００５５】
因みに、以下の説明では、表示部１２の情報表示面１２Ａに対する表示画面の画面上側及び画面下側を一側面１１Ｅ側及び他側面１１Ｆ側に位置させ、画面右側及び画面左側を他端面１１Ｄ側及び一端面１１Ｃ側に位置させるような表示形態を右利き表示形態とも呼ぶ。
【００５６】
よって本体部１１は、表示部１２の情報表示面１２Ａに対し右利き表示形態で表示画面を表示したまま両手により右利き挟持姿勢で挟持されると、当該表示画面内の文字や図形の上下を視界の上下に合せるようにして当該文字や図形を正しく見せることができる。
【００５７】
そして本体部１１は、このように表示部１２の情報表示面１２Ａに表示した表示画面内の文字や図形を正しく見せながら、利き手（右手）の親指により情報表示面１２Ａをタッチ操作させ、また再生停止ボタン１４やホームボタン１５を押下操作させることができる。
【００５８】
また表示部１２の情報表示面１２Ａには、表示画面を画面上側及び画面下側を他側面１１Ｆ側及び一側面１１Ｅ側に位置させ、かつ画面右側及び画面左側を一端面１１Ｃ側及び他端面１１Ｄ側に位置させるように表示させることもできる。
【００５９】
因みに、以下の説明では、表示部１２の情報表示面１２Ａに対する表示画面の画面上側及び画面下側を他側面１１Ｆ側及び一側面１１Ｅ側に位置させ、かつ画面右側及び画面左側を一端面１１Ｃ側及び他端面１１Ｄ側に位置させるような表示形態を左利き表示形態とも呼ぶ。
【００６０】
よって本体部１１は、表示部１２の情報表示面１２Ａに対し左利き表示形態で表示画面を表示したまま両手により左利き挟持姿勢で挟持されると、当該表示画面内の文字や図形の上下を視界の上下に合せるようにして当該文字や図形を正しく見せることができる。
【００６１】
そして本体部１１は、このように表示部１２の情報表示面１２Ａに表示した表示画面内の文字や図形を正しく見せながら、利き手（左手）の親指により情報表示面１２Ａをタッチ操作させ、また再生停止ボタン１４やホームボタン１５を押下操作させることができる。
【００６２】
ところで、携帯再生装置１０では、種々の命令を入力するために、表示部１２の情報表示面１２Ａに対し種類の異なるタッチ操作を行わせて、より多くの命令を入力させ得るようになされている。
【００６３】
そして携帯再生装置１０では、例えば、表示部１２の情報表示面１２Ａに表示可能な表示画面毎に、その情報表示面１２Ａに当該表示画面を表示したときにタッチ操作で入力可能な命令の種類が規定されている。
【００６４】
また携帯再生装置１０では、表示部１２の情報表示面１２Ａに表示可能な表示画面毎に、入力可能な命令の種類と共に、当該命令を入力するためのタッチ操作の種類も規定されている。
【００６５】
実際に命令を入力可能なタッチ操作としては、表示画面内の入力可能な命令を示すアイコンや文字等に対応する情報表示面１２Ａの所定領域内の１点に右手又は左手の親指を接触させて直ぐに離すようなタッチ操作（以下、これを特にタップ操作とも呼ぶ）がある。
【００６６】
かかるタップ操作は、表示画面内のアイコンや所定領域等を選択するようにして当該アイコンや所定領域等に割り当てられている命令を入力するために行われる。
【００６７】
また命令を入力可能なタッチ操作としては、表示画面内の入力可能な命令を示すアイコンや文字等に対応する情報表示面１２Ａの所定領域内の１点に右手又は左手の親指を所定の比較基準時間以上接触させ続けた後、離させるようなタッチ操作もある。
【００６８】
因みに、以下の説明では、情報表示面１２Ａの所定領域内の１点に右手又は左手の親指を所定の比較基準時間以上接触させ続けた後、離させるようなタッチ操作を、特に長押操作とも呼ぶ。
【００６９】
かかる長押操作は、例えば、所定の表示画面上に他の子画面や文字列を出現させて重畳するように表示する（すなわち、ポップアップ表示する）ためのポップアップ表示命令等を入力するために行われるタッチ操作である。
【００７０】
さらに命令を入力可能なタッチ操作としては、情報表示面１２Ａに右手（又は左手）の親指を接触させたまま画面右側から画面左側へ滑らせて動かすようなタッチ操作（以下、これを画面左方向摺動操作とも呼ぶ）もある。
【００７１】
さらに命令を入力可能なタッチ操作としては、情報表示面１２Ａに右手又は左手の親指を接触させたまま画面左側から画面右側へ滑らせて動かすようなタッチ操作（以下、これを画面右方向摺動操作とも呼ぶ）もある。
【００７２】
かかる画面左方向摺動操作や画面右方向摺動操作は、例えば、表示画面の表示モードを切り換えるためのモード切換命令を入力するために行われるタッチ操作である。
【００７３】
さらに命令を入力可能なタッチ操作としては、情報表示面１２Ａに右手又は左手の親指を接触させたまま画面上側から画面下側へ滑らせて動かすようなタッチ操作（以下、これを画面下方向摺動操作とも呼ぶ）もある。
【００７４】
かかる画面下方向摺動操作は、例えば、情報表示面１２Ａに対し表示画面内のリストを画面下方向へスクロール表示するための下スクロール命令を入力するために行われるタッチ操作である。
【００７５】
さらに命令を入力可能なタッチ操作としては、情報表示面１２Ａに右手（又は左手）の親指を接触させたまま画面下側から画面上側へ滑らせて動かすようなタッチ操作（以下、これを画面上方向摺動操作とも呼ぶ）もある。
【００７６】
かかる画面上方向摺動操作は、例えば、情報表示面１２Ａに対し表示画面内のリストを画面上方向へスクロール表示するための上スクロール命令を入力するために行われるタッチ操作である。
【００７７】
さらに命令を入力可能なタッチ操作としては、タッチ操作開始時点に情報表示面１２Ａの所定領域内に右手又は左手の親指を接触させ、当該所定領域内に接触させた親指をそのまま本体長手方向及び本体幅方向に対して斜めな斜め一方向へ滑らせて動かすようなタッチ操作もある。
【００７８】
因みに、以下の説明では、情報表示面１２Ａの所定領域内に接触させた親指を斜め一方向へ滑らせて動かすようなタッチ操作を、特に斜め一方向摺動操作とも呼ぶ。
【００７９】
また、以下の説明では、斜め一方向摺動操作のようなタッチ操作を開始するときに、他のタッチ操作とは区別するために表示部１２の情報表示面１２Ａにおいて親指を最初に接触させる所定領域を、特に操作開始タッチ領域とも呼ぶ。
【００８０】
かかる斜め一方向摺動操作は、例えば、実行可能な処理メニューの項目を示すアイコンを表示させるためのアイコン表示命令を入力するために行われるタッチ操作である。
【００８１】
因みに、以下の説明では、実行可能な処理メニューの項目を示すアイコンを、特にメニューアイコンとも呼ぶ。
【００８２】
さらに命令を入力可能なタッチ操作としては、情報表示面１２Ａに接触させた右手又は左手の親指をそのまま斜め一方向とは逆方向となる他方向へ滑らせて動かすようなタッチ操作もある。
【００８３】
因みに、以下の説明では、情報表示面１２Ａにおいて表示画面の右上に対応する部分に接触させた親指をそのまま斜め一方向とは逆の他方向へ滑らせて動かすようなタッチ操作、特に斜め他方向摺動操作とも呼ぶ。
【００８４】
かかる斜め他方向摺動操作は、例えば、斜め一方向摺動操作に応じて表示画面に重畳させて表示されていた１又は複数のメニューアイコンを消去するためのアイコン消去命令を入力するために行われるタッチ操作である。
【００８５】
ところで携帯再生装置１０では、上述したように表示部１２の情報表示面１２Ａに対し表示画面を通常表示形態や右利き表示形態、左利き表示形態のように、種々の表示形態で表示することができる。
【００８６】
また携帯再生装置１０は、表示部１２の情報表示面１２Ａに対する表示画面の表示形態に応じて、ユーザに対し本体部１１を縦挟持姿勢で利き手（片手）のみにより、又は右利き横挟持姿勢や左利き挟持姿勢で両手により挟持させることができる。
【００８７】
このため、携帯再生装置１０では、本体部１１の挟持姿勢が異なっても、情報表示面１２Ａを利き手の親指でタッチ操作して同一の命令を入力するときには、当該親指の動かし方の印象を変えないようなタッチ操作を行わせている。
【００８８】
よって図７（Ａ）乃至（Ｃ）を用いて上述したタッチ操作としての画面左方向摺動操作について説明する。携帯再生装置１０（図７（Ａ））では、本体部１１が縦挟持姿勢で挟持されていると、情報表示面１２Ａに利き手（右手又は左手）の親指を接触させたまま一側面１１Ｅ側から他側面１１Ｆ側へ移動させるようなタッチ操作を、画面左方向摺動操作としている。
【００８９】
また携帯再生装置１０（図７（Ｂ））では、本体部１１が右利き挟持姿勢で挟持されていると、情報表示面１２Ａに利き手（右手）の親指を接触させたまま他端面１１Ｄ側から一端面１１Ｃ側へ移動させるようなタッチ操作を、画面左方向摺動操作としている。
【００９０】
さらに携帯再生装置１０（図７（Ｃ））では、本体部１１が左利き挟持姿勢で挟持されていると、情報表示面１２Ａに利き手（左手）の親指を接触させたまま一側面１１Ｅ側から他側面１１Ｆ側へ移動させるようなタッチ操作を、画面左方向摺動操作としている。
【００９１】
これにより携帯再生装置１０は、本体部１１の挟持姿勢が異なっても、情報表示面１２Ａに対して画面左方向摺動操作を行う場合、利き手（右手又は左手）の親指の動かし方を特には変えずに同一の命令を入力させることができる。
【００９２】
また図８（Ａ）乃至（Ｃ）を用いて上述したタッチ操作としての画面右方向摺動操作について説明する。携帯再生装置１０（図８（Ａ））では、本体部１１が縦挟持姿勢で挟持されていると、情報表示面１２Ａに利き手（右手又は左手）の親指を接触させたまま他側面１１Ｆ側から一側面１１Ｅ側へ移動させるようなタッチ操作を、画面右方向摺動操作としている。
【００９３】
また携帯再生装置１０（図８（Ｂ））では、本体部１１が右利き挟持姿勢で挟持されていると、情報表示面１２Ａに利き手（右手）の親指を接触させたまま一側面１１Ｅ側から他側面１１Ｆ側へ移動させるようなタッチ操作を、画面右方向摺動操作としている。
【００９４】
さらに携帯再生装置１０（図８（Ｃ））では、本体部１１が左利き挟持姿勢で挟持されていると、情報表示面１２Ａに利き手（左手）の親指を接触させたまま他端面１１Ｄ側から一端面１１Ｃ側へ移動させるようなタッチ操作を、画面右方向摺動操作としている。
【００９５】
これにより携帯再生装置１０は、本体部１１の挟持姿勢が異なるものの、情報表示面１２Ａに対して画面右方向摺動操作を行う場合も、利き手（右手又は左手）の親指の動かし方を特には変えずに同一の命令を入力させることができる。
【００９６】
さらに図９（Ａ）乃至（Ｃ）を用いて上述したタッチ操作としての画面下方向摺動操作について説明する。携帯再生装置１０（図９（Ａ））では、本体部１１が縦挟持姿勢で挟持されていると、情報表示面１２Ａに利き手（右手又は左手）の親指を接触させたまま一端面１１Ｃ側から他端面１１Ｄ側へ移動させるようなタッチ操作を、画面下方向摺動操作としている。
【００９７】
また携帯再生装置１０（図９（Ｂ））では、本体部１１が右利き挟持姿勢で挟持されていると、情報表示面１２Ａに利き手（右手）の親指を接触させたまま一側面１１Ｅ側から他側面１１Ｆ側へ移動させるようなタッチ操作を、画面下方向摺動操作としている。
【００９８】
さらに携帯再生装置１０（図９（Ｃ））では、本体部１１が左利き挟持姿勢で挟持されていると、情報表示面１２Ａに利き手（左手）の親指を接触させたまま他側面１１Ｆ側から一側面１１Ｅ側へ移動させるようなタッチ操作を、画面下方向摺動操作としている。
【００９９】
これにより携帯再生装置１０は、本体部１１の挟持姿勢が異なるものの、情報表示面１２Ａに対して画面下方向摺動操作を行う場合も、利き手（右手又は左手）の親指の動かし方を特には変えずに同一の命令を入力させることができる。
【０１００】
さらに図１０（Ａ）乃至（Ｃ）を用いて上述したタッチ操作としての画面上方向摺動操作について説明する。携帯再生装置１０（図１０（Ａ））では、本体部１１が縦挟持姿勢で挟持されていると、情報表示面１２Ａに利き手（右手又は左手）の親指を接触させたまま他端面１１Ｄ側から一端面１１Ｃ側へ移動させるようなタッチ操作を、画面上方向摺動操作としている。
【０１０１】
また携帯再生装置１０（図１０（Ｂ））では、本体部１１が右利き挟持姿勢で挟持されていると、情報表示面１２Ａに利き手（右手）の親指を接触させたまま他側面１１Ｆ側から一側面１１Ｅ側へ移動させるようなタッチ操作を、画面上方向摺動操作としている。
【０１０２】
さらに携帯再生装置１０（図１０（Ｃ））では、本体部１１が左利き挟持姿勢で挟持されていると、情報表示面１２Ａに利き手（左手）の親指を接触させたまま一側面１１Ｅ側から他側面１１Ｆ側へ移動させるようなタッチ操作を、画面上方向摺動操作としている。
【０１０３】
これにより携帯再生装置１０は、本体部１１の挟持姿勢が異なるものの、情報表示面１２Ａに対して画面上方向摺動操作を行う場合も、利き手（右手又は左手）の親指の動かし方を特には変えずに同一の命令を入力させることができる。
【０１０４】
さらに図１１乃至図１４を用いて上述したタッチ操作としての斜め一方向摺動操作について説明する。図１１に示すように、携帯再生装置１０では、利き手である右手により本体部１１が縦挟持姿勢で挟持されると、情報表示面１２Ａにおいて当該右手の小指側の隅部（すなわち、表示画面の画面左下隅部に対応する部分）に扇状の操作開始タッチ領域１２ＡＭを設ける。
【０１０５】
そして携帯再生装置１０は、タッチ操作開始時点に情報表示面１２Ａの操作開始タッチ領域１２ＡＭに接触させた右手の親指をそのまま、当該操作開始タッチ領域１２ＡＭから一側面１１Ｅの中央部へ向かう斜め一方向（すなわち、表示画面の画面右上方向）へ滑らせて動かすようなタッチ操作を、斜め一方向摺動操作としている。
【０１０６】
また図１２に示すように、携帯再生装置１０では、利き手である左手により本体部１１が縦挟持姿勢で挟持されると、情報表示面１２Ａにおいて当該左手の小指側の隅部（すなわち、表示画面の画面右下隅部に対応する部分）に扇状の操作開始タッチ領域１２ＡＮを設ける。
【０１０７】
そして携帯再生装置１０は、タッチ操作開始時点に情報表示面１２Ａの操作開始タッチ領域１２ＡＮに接触させた左手の親指をそのまま、当該操作開始タッチ領域１２ＡＮから他側面１１Ｆの中央部へ向かう斜め一方向（すなわち、表示画面の画面左上方向）へ滑らせて動かすようなタッチ操作を、斜め一方向摺動操作としている。
【０１０８】
さらに図１３に示すように、携帯再生装置１０では、両手により本体部１１が右利き挟持姿勢で挟持されると、情報表示面１２Ａにおいて他側面１１Ｆ寄りの縁の中央部（すなわち、表示画面の画面下側中央部に対応する部分）に扇状の操作開始タッチ領域１２ＡＰを設ける。
【０１０９】
そして携帯再生装置１０は、タッチ操作開始時点に情報表示面１２Ａの操作開始タッチ領域１２ＡＰに接触させた利き手である右手の親指をそのまま、当該操作開始タッチ領域１２ＡＰから他端面１１Ｄと一側面１１Ｅとの角へ向かう斜め一方向（すなわち、表示画面の画面右上方向）へ滑らせて動かすようなタッチ操作を、斜め一方向摺動操作としている。
【０１１０】
さらに図１４に示すように、携帯再生装置１０では、両手により本体部１１が左利き挟持姿勢で挟持されると、情報表示面１２Ａにおいて一側面１１Ｅ寄りの縁の中央部（すなわち、表示画面の画面下側中央部に対応する部分）に扇状の操作開始タッチ領域１２ＡＱを設ける。
【０１１１】
そして携帯再生装置１０は、タッチ操作開始時点に情報表示面１２Ａの操作開始タッチ領域１２ＡＱに接触させた利き手である右手の親指をそのまま、当該操作開始タッチ領域１２ＡＱから他端面１１Ｄと他側面１１Ｆとの角へ向かう斜め一方向（すなわち、表示画面の画面左上方向）へ滑らせて動かすようなタッチ操作を、斜め一方向摺動操作としている。
【０１１２】
これにより携帯再生装置１０は、本体部１１の挟持姿勢が異なっても、情報表示面１２Ａに対して斜め一方向摺動操作を行う場合、右手及び左手の親指を、その根元部分を回転中心にした円弧を描かせるような動かし方で同一の命令を入力させることができる。
【０１１３】
さらに上述したタッチ操作としての斜め他方向摺動操作について説明する。携帯再生装置１０（図１１）では、利き手である右手により本体部１１が縦挟持姿勢で挟持されると、情報表示面１２Ａにおいて一側面１１Ｅの中央部寄りの部分に接触させた右手の親指をそのまま操作開始タッチ領域１２ＡＭに向かう斜め他方向へ滑らせて動かすようなタッチ操作を、斜め他方向摺動操作としている。
【０１１４】
また携帯再生装置１０（図１２）では、利き手である左手により本体部１１が縦挟持姿勢で挟持されると、情報表示面１２Ａにおいて他側面１１Ｆの中央部寄りの部分に接触させた左手の親指をそのまま操作開始タッチ領域１２ＡＮに向かう斜め他方向へ滑らせて動かすようなタッチ操作を、斜め他方向摺動操作としている。
【０１１５】
さらに携帯再生装置１０（図１３）では、両手により本体部１１が右利き挟持姿勢で挟持されると、情報表示面１２Ａにおいて他端面１１Ｄと一側面１１Ｅとの角寄りの部分に接触させた利き手である右手の親指をそのまま操作開始タッチ領域１２ＡＰに向かう斜め他方向へ滑らせて動かすようなタッチ操作を、斜め他方向摺動操作としている。
【０１１６】
さらに携帯再生装置１０（図１４）では、両手により本体部１１が左利き挟持姿勢で挟持されると、情報表示面１２Ａにおいて他端面１１Ｄと他側面１１Ｆとの角寄りの部分に接触させた利き手である左手の親指をそのまま操作開始タッチ領域１２ＡＱに向かう斜め他方向へ滑らせて動かすようなタッチ操作を、斜め他方向摺動操作としている。
【０１１７】
これにより携帯再生装置１０は、本体部１１の挟持姿勢が異なるものの、情報表示面１２Ａに対して斜め他方向摺動操作を行う場合も、利き手（右手又は左手）の親指を、その根元部分を回転中心にした円弧を描かせるような動かし方で同一の命令を入力させることができる。
【０１１８】
因みに、携帯再生装置１０では、情報表示面１２Ａに対する表示画面の表示形態の違いに起因して、当該表示画面内の入力可能な命令を示すアイコンや文字等の配置位置が変化すると、これに応じて情報表示面１２Ａの、対応する所定領域の位置も変更する。
【０１１９】
これにより携帯再生装置１０では、情報表示面１２Ａに表示する表示画面の表示形態を変更しても、当該表示画面のアイコンや文字等の位置を目安にして当該情報表示面１２Ａで親指を接触させる所定領域を容易に認識させて、タップ操作や長押操作を行わせることができる。
【０１２０】
（２−２）携帯再生装置の回路構成
次いで、図１５を用いて携帯再生装置１０の機能回路ブロックによるハードウェア回路構成について説明する。
【０１２１】
携帯再生装置１０において制御部２０は、例えば、当該携帯再生装置１０が外部のコンピュータ装置（図示せず）に有線接続されると、当該コンピュータ装置を主体として従属的に機能する。
【０１２２】
これにより制御部２０は、この際、コンピュータ装置から音楽の音声データ（以下、これを特に音楽データとも呼ぶ）と、当該音楽データに関連する音楽関連情報とが転送されると、当該転送された音楽データ及び音楽関連情報を、有線通信部２１を介して取り込む。
【０１２３】
そして制御部２０は、その音楽データ及び音楽関連情報をコンテンツ記憶部２２に送出することにより、当該コンテンツ記憶部２２に対し、音楽データと音楽関連情報とを対応付けて記憶する。
【０１２４】
因みに、音楽関連情報には、対応する音楽データ固有の識別情報、当該音楽データに基づく音楽の音楽タイトル、アーティスト名、その音楽が属するジャンルのジャンル名、その音楽が収録されたアルバムのアルバムタイトルのような情報が含まれている。
【０１２５】
これに加えて音楽関連情報には、対応する音楽データに基づく音楽が収録されたアルバムのジャケット写真画像の画像データ（以下、これをジャケット画像データとも呼ぶ）、音楽データの再生時間、データフォーマット等のような情報も含まれている。
【０１２６】
また制御部２０は、コンピュータ装置から、例えば、音楽データ固有の識別情報を任意の順番で登録するようにして生成された当該音楽データの再生順序を規定するプレイリストが転送されると、当該転送されたプレイリストを、有線通信部２１を介して取り込む。
【０１２７】
そして制御部２０は、そのプレイリストをコンテンツ記憶部２２に送出することにより、当該コンテンツ記憶部２２に対し、そのプレイリストを記憶する。
【０１２８】
さらに制御部２０は、コンピュータ装置から映画等の映像データと、当該映像データに関連する映像関連情報とが転送されると、当該転送された映像データ及び映像関連情報を、有線通信部２１を介して取り込む。
【０１２９】
そして制御部２０は、その映像データ及び映像関連情報をコンテンツ記憶部２２に送出することにより、当該コンテンツ記憶部２２に対し、映像データと映像関連情報とを対応付けて記憶する。
【０１３０】
因みに、映像関連情報には、対応する映像データに基づく映像の映像タイトル、当該映像データの再生時間、データフォーマット等のような情報が含まれている。
【０１３１】
さらに制御部２０は、コンピュータ装置から写真画像データと、当該写真画像データに関連する写真関連情報とが転送されると、当該転送された写真画像データ及び写真関連情報を、有線通信部２１を介して取り込む。
【０１３２】
そして制御部２０は、その写真画像データ及び写真関連情報をコンテンツ記憶部２２に送出することにより、当該コンテンツ記憶部２２に対し、写真画像データと写真関連情報とを対応付けて記憶する。
【０１３３】
因みに、写真関連情報には、対応する写真画像データに基づく写真画像の写真画像タイトル、当該写真画像データのデータフォーマット等の情報が含まれている。
【０１３４】
ところで制御部２０は、携帯再生装置１０がコンピュータ装置から外されていると、操作ボタンの押下操作や、情報表示面１２Ａに対するタッチ操作によッて入力された命令に応じて携帯再生装置１０全体を制御すると共に、各種処理を実行する。
【０１３５】
実際に携帯再生装置１０には、操作ボタンを有する押下入力部２３が設けられ、当該押下入力部２３は、操作ボタンが押下操作されると、押下操作に応じた各種命令を制御部２０に送出する。
【０１３６】
これにより制御部２０は、操作ボタンの押下操作に応じて入力された命令に従い、各種処理を実行し得るようになされている。
【０１３７】
また携帯再生装置１０には、上述したタッチパネル１３を有し、当該タッチパネル１３を介して情報表示面１２Ａのタッチ位置（すなわち、タッチ操作による親指の接触位置）を検出するタッチ位置検出部２４が設けられている。
【０１３８】
さらに携帯再生装置１０には、タッチ操作の種類の判別と、当該タッチ操作により入力された命令の検出とに用いられるデータテーブル（以下、これを種類判別用テーブルとも呼ぶ）が予め記憶されたテーブル記憶部２５も設けられている。
【０１３９】
種類判別用テーブルは、表示部１２の情報表示面１２Ａに対し個々の表示画面を単独で表示するような表示状態や、所定の表示画面に他の表示画面や１又は複数のメニューアイコン等を重畳させて表示するような種々の表示状態それぞれに対応させて生成されている。
【０１４０】
実際に種類判別用テーブルは、情報表示面１２Ａの対応する表示状態で命令を入力可能なタッチ操作の種類と、当該タッチ操作の種類を判別するための条件と、そのタッチ操作により入力される命令とが対応付けられて生成されている。
【０１４１】
因みに、以下の説明では、タッチ操作の種類を判別するための条件を、判別条件とも呼ぶ。そして判別条件は、種々の要件を組み合せて規定されている。因みに、以下の説明では、判別条件を規定する種々の要件を、条件規定要件とも呼ぶ。
【０１４２】
条件規定要件としては、例えば、タッチ操作の継続時間（すなわち、１回のタッチ操作で情報表示面１２Ａに親指が接触し続けている時間であり、以下、これをタッチ操作継続時間とも呼ぶ）に対する許容時間（以下、これを操作継続許容時間とも呼ぶ）がある。
【０１４３】
そして条件規定要件としてのタッチ操作継続時間に対する操作継続許容時間は、例えば予め選定された１秒以下の所定の比較基準時間未満や、当該比較基準時間以上で示されている。
【０１４４】
また条件規定要件としては、親指が情報表示面１２Ａに接触したまま移動した方向（以下、これを親指移動方向とも呼ぶ）を検出するための方向検出用角度範囲もある。
【０１４５】
因みに、条件規定要件としての方向検出用角度範囲は、例えば、本体幅方向と平行なＸ軸及び本体長手方向と平行なＹ軸のように互いに直交する２軸の原点を起点として親指移動方向に伸びる基準線分の当該Ｘ軸に対する角度を中心角度としている。
【０１４６】
そして条件規定要件としての方向検出用角度範囲は、その最小角度及び最大角度が基準線分の角度と同様にＸ軸に対する角度で示されている。
【０１４７】
さらに条件規定要件としては、情報表示面１２Ａにおいてタッチ操作開始時点に親指を接触させる操作開始タッチ領域の位置もある。
【０１４８】
因みに、条件規定要件としての操作開始タッチ領域の位置については、例えば、上述の２軸を基準にした複数の座標で示されている。
【０１４９】
さらに条件規定要件としては、タッチ操作の終了により情報表示面１２Ａから親指が離されるときに、当該情報表示面１２Ａにおいて親指が最後に接触しているべき所定領域（以下、これを操作終了タッチ領域とも呼ぶ）の位置等もある。
【０１５０】
因みに、条件規定要件としての操作終了タッチ領域の位置については、例えば、操作開始タッチ領域の位置と同様に２軸を基準とした複数の座標で示され、又は対応する表示画面の特定部分と対向する位置として規定されている。
【０１５１】
そして上述したタップ操作や長押操作を判別するための判別条件は、例えば、タッチ操作継続時間に対する操作継続許容時間と操作終了タッチ領域の位置との組み合せにより規定されている。
【０１５２】
また上述した画面左方向摺動操作、画面右方向摺動操作、画面下方向摺動操作及び画面上方向摺動操作を判別するための判別条件は、例えば、方向検出用角度範囲のみによって規定されている。
【０１５３】
因みに、以下の説明では、便宜上、画面左方向摺動操作、画面右方向摺動操作、画面下方向摺動操作及び画面上方向摺動操作を特には区別する必要のない場合、これらをまとめて画面摺動操作とも呼ぶ。
【０１５４】
さらに上述した斜め一方向摺動操作を判別するための判別条件は、例えば、操作開始タッチ領域の位置と方向検出用角度範囲との組み合せによって規定されている。
【０１５５】
さらに上述した斜め他方向摺動操作を判別するための判別条件は、例えば、情報表示面１２Ａの表示状態と方向検出用角度範囲との組み合せによって規定されている。
【０１５６】
ところで、第１の実施の形態の場合、斜め一方向摺動操作が開始されるときに親指を接触させる操作開始タッチ領域は、後述するように特定の命令を入力するためのタップ操作の操作終了タッチ領域としても利用されている。
【０１５７】
このようにして個々の判別条件は、上述した種々の条件規定要件の１つ、又は複数の組み合せによって規定されている。
【０１５８】
ところで、制御部２０は、例えば、携帯再生装置１０が使用される際の本体部１の挟持姿勢を「縦挟持姿勢」に設定すると共に、当該本体部１１を縦挟持姿勢で挟持する利き手を「右手」に設定している。
【０１５９】
また制御部２０は、その挟持姿勢の設定内容に応じて、表示部１２の情報表示面１２Ａに対する表示画面の表示形態を「通常表示形態」に設定している。
【０１６０】
このため種類判別用テーブルに記述された個々の判別条件は、初期状態として、本体部１１が縦挟持姿勢で利き手としての右手により挟持された場合にタッチ操作の種類を判別し得るように規定されている。
【０１６１】
ただし制御部２０は、ユーザにより任意に操作ボタンやタッチ操作により設定画面を表示するための画面表示命令が入力されると、これに応じて表示部１２の情報表示面１２Ａに対し設定画面（図示せず）を表示する。
【０１６２】
そして制御部２０は、その設定画面上で、ユーザに対し実際に本体部１１を挟持する際の挟持姿勢を、「縦挟持姿勢」、「右利き横挟持姿勢」及び「左利き横挟持姿勢」の中から選択させるようにして指定させることができる。
【０１６３】
また制御部２０は、ユーザにより本体部１１の挟持姿勢として「縦挟持姿勢」が指定されたときには、引き続き、その本体部１１を縦挟持姿勢で実際に挟持する利き手を、「右手」及び「左手」の中から選択させるようにして指定させることができる。
【０１６４】
そして制御部２０は、ユーザにより本体部１１の挟持姿勢や当該本体部１１を挟持する際の利き手が指定されると、その時点までの挟持姿勢の設定内容や利き手の設定内容を、当該ユーザにより指定された挟持姿勢や利き手を示すように変更する。
【０１６５】
このようにして制御部２０は、ユーザに対し本体部１１の挟持姿勢や利き手を適宜指定させて、当該挟持姿勢の設定内容や利き手の設定内容を変更し得るようになされている。
【０１６６】
すなわち、制御部２０は、ユーザにより挟持姿勢として「縦挟持姿勢」が指定され、利き手として「右手」が指定されると、挟持姿勢の設定内容を、その「縦挟持姿勢」を示すように変更し、利き手の設定内容を、その「右手」を示すように変更する。
【０１６７】
また制御部２０は、ユーザにより挟持姿勢として「縦挟持姿勢」が指定され、利き手として「左手」が指定されると、挟持姿勢の設定内容を、その「縦挟持姿勢」を示すように変更し、利き手の設定内容を、その「左手」を示すように変更する。
【０１６８】
さらに制御部２０は、ユーザにより挟持姿勢として「右利き横挟持姿勢」が指定されると、挟持姿勢の設定内容を、その「右利き横挟持姿勢」を示すように変更し、利き手の設定内容を、自動的に「右手」を示すように変更する。
【０１６９】
さらに制御部２０は、ユーザにより挟持姿勢として「左利き横挟持姿勢」が指定されると、挟持姿勢の設定内容を、その「左利き横挟持姿勢」を示すように変更し、利き手の設定内容を、自動的に「左手」を示すように変更する。
【０１７０】
そして制御部２０は、挟持姿勢の設定内容を変更すると、その都度、情報表示面１２Ａに対する表示画面の表示形態の設定内容を、当該挟持姿勢の設定内容に対応する「通常表示形態」、「右利き表示形態」及び「左利き表示形態」の何れかを示すように変更する。
【０１７１】
これに加えて姿勢検出部２６は、制御部２０により設定された本体部１１の挟持姿勢の設定内容について変更の有無を監視している。
【０１７２】
その結果、姿勢検出部２６は、挟持姿勢の設定内容が変更されたことを検出すると、変更後の挟持姿勢を判別条件変更部２７に通知する。
【０１７３】
また利き手検出部２８は、制御部２０により設定された利き手の設定内容について変更の有無を監視している。
【０１７４】
その結果、利き手検出部２８は、利き手の設定内容が変更されたことを検出すると、変更後の利き手を判別条件変更部２７に通知する。
【０１７５】
判別条件変更部２７は、挟持姿勢と利き手とが必ずしも同時に変更されるわけではないため、姿勢検出部２６及び利き手検出部２８から同時又は異なるタイミングで変更後の挟持姿勢及び利き手が通知される。
【０１７６】
そして判別条件変更部２７は、姿勢検出部２６及び利き手検出部２８から同時に変更後の挟持姿勢及び利き手が通知されると、当該通知された変更後の挟持姿勢及び利き手の両方に基づき、種類判別用テーブルに記述されている判別条件の内容を変更する。
【０１７７】
また判別条件変更部２７は、姿勢検出部２６及び利き手検出部２８から異なるタイミングで変更後の挟持姿勢及び利き手が通知されると、当該通知された変更後の一方の挟持姿勢及び利き手に基づき、種類判別用テーブルに記述されている判別条件の内容を変更する。
【０１７８】
実際に判別条件変更部２７は、例えば、変更後の挟持姿勢及び又は利き手に基づき、画面摺動操作を判別するための条件規定要件として方向検出用角度範囲を規定し直すようにして当該画面摺動操作の判別条件を変更する。
【０１７９】
また判別条件変更部２７は、例えば、変更後の挟持姿勢及び又は利き手に基づき、斜め一方向摺動操作を判別するための条件規定要件として操作開始タッチ領域の位置を変更すると共に、方向検出用角度範囲を規定し直すようにして、当該斜め一方向摺動操作の判別条件を変更する。
【０１８０】
さらに判別条件変更部２７は、例えば、変更後の挟持姿勢及び又は利き手に基づき、斜め他方向摺動操作を判別するための条件規定要件として方向検出用角度範囲を規定し直すようにして、当該斜め他方向摺動操作の判別条件を変更する。
【０１８１】
このようにして判別条件変更部２７は、本体部１１の挟持姿勢やユーザの利き手に合せて、種類判別用テーブルにおいてタッチ操作の種類を判別するための判別条件を適宜変更する。
【０１８２】
よって判別条件変更部２７は、制御部２０に対し、本体部１１が挟持された状態で情報表示面１２Ａに対し行われるタッチ操作の種類を的確に判別させ得るようになされている。
【０１８３】
実際にタッチ位置検出部２４は、親指によりタッチパネル１３を介して表示部１２の情報表示面１２Ａがタッチ操作されると、そのタッチ操作によって情報表示面１２Ａに親指が接触している間、当該情報表示面１２Ａに対するタッチ位置を所定周期で定期的に検出する。
【０１８４】
またタッチ位置検出部２４は、タッチ位置を検出する毎に、当該検出したタッチ位置を、上述した２軸を基準とした座標（すなわち、Ｘ座標及びＹ座標）で表すタッチ位置検出データを生成する。
【０１８５】
そしてタッチ位置検出部２４は、タッチ操作により表示部１２の情報表示面１２Ａに親指が接触している間、そのタッチ位置検出データを生成する毎に、当該生成したタッチ位置検出データを制御部２０に送出する。
【０１８６】
このようにしてタッチ位置検出部２４は、表示部１２の情報表示面１２Ａがタッチ操作される毎に、当該情報表示面１２Ａに対するタッチ位置を検出しながらタッチ位置検出データを生成して制御部２０に送出する。
【０１８７】
ところで制御部２０は、表示部１２の情報表示面１２Ａに対する表示状態を変更する毎に、当該変更後の表示状態を把握している。
【０１８８】
この状態で制御部２０は、タッチ位置検出部２４からタッチ位置検出データが与えられると、そのタッチ位置検出データに基づき、このとき行われたタッチ操作の種類を判別して、入力された命令を検出する種類判別処理を実行する。
【０１８９】
この際、制御部２０は、タッチ位置検出部２４からタッチ位置検出データが与えられ始めた時点をタッチ操作開始時点としてタッチ操作継続時間の計時を開始する。
【０１９０】
そして制御部２０は、１回のタッチ操作に応じたタッチ位置検出部２４からのタッチ位置検出データの取り込みが完了するタッチ操作終了時点までタッチ操作継続時間を計時する（すなわち、タッチ操作終了時点にタッチ操作継続時間の計時を終了する）。
【０１９１】
また制御部２０は、タッチ操作開始時点からタッチ操作終了時点までの間、タッチ位置検出部２４から与えられたタッチ位置検出データに基づき、タッチ操作開始時点のタッチ位置を起点として当該タッチ位置の変位の軌跡を検出する。
【０１９２】
因みに、以下の説明では、タッチ位置の変位の軌跡をタッチ軌跡とも呼ぶ。また、以下の説明では、タッチ軌跡を検出するために起点とした、タッチ操作開始時点のタッチ位置を、特に開始時点タッチ位置とも呼ぶ。
【０１９３】
さらに制御部２０は、タッチ操作開始時点からタッチ操作終了時点までの間、タッチ軌跡を検出しながら、当該検出しているタッチ軌跡に沿って開始時点タッチ位置と、他の個々のタッチ位置との距離を順次検出する。
【０１９４】
因みに、以下の説明では、タッチ軌跡に沿って順次検出した開始時点タッチ位置と他の個々のタッチ位置との距離を、それぞれタッチ変位量とも呼ぶ。
【０１９５】
さらにまた制御部２０は、タッチ軌跡に沿ってタッチ変位量を順次検出しながら、当該検出した複数のタッチ変位量のうち最も長い１つのタッチ変位量（以下、これを最大変位量とも呼ぶ）を検出して適宜更新する。
【０１９６】
すなわち、制御部２０は、タッチ軌跡を検出しながら、そのタッチ軌跡上で開始時点タッチ位置と、これから最も離れている他のタッチ位置との間の最大変位量を検出して適宜更新する。
【０１９７】
これに加えて制御部２０は、種類判別処理を開始すると、かかる処理と並行してテーブル記憶部２５から、このときの情報表示面１２Ａの表示状態に対応する種類判別用テーブルを読み出す。
【０１９８】
そして制御部２０は、種類判別用テーブルに基づき、このとき斜め一方向摺動操作が命令入力用に実行可能であるか否かを判別する。
【０１９９】
その結果、制御部２０は、種類判別用テーブルに斜め一方向摺動操作判別用の判別条件が含まれていないと、このとき斜め一方向摺動操作が命令入力用に実行されないと判別する。
【０２００】
そして制御部２０は、タッチ操作開始時点に計時を開始していたタッチ操作継続時間を比較基準時間と比較する。
【０２０１】
制御部２０は、比較基準時間に達する前にタッチ操作継続時間の計時が終了すると、このときのタッチ操作がタップ操作である可能性があるため、種類判別用テーブルにタップ操作判別用の判別条件が含まれているか否かを検出する。
【０２０２】
そして制御部２０は、種類判別用テーブルにタップ操作判別用の判別条件が含まれていると、タッチ操作終了時点のタッチ位置を、当該タップ操作判別用の判別条件に含まれている操作終了タッチ領域の位置と比較する。
【０２０３】
因みに、以下の説明では、タッチ操作継続時間の計時が終了したタッチ操作終了時点のタッチ位置を、終了時点タッチ位置とも呼ぶ。
【０２０４】
その結果、制御部２０は、終了時点タッチ位置が操作終了タッチ領域内の位置であると、このとき命令入力用に行われたタッチ操作を、その操作終了タッチ領域を含む判別条件で規定されているタップ操作であると判別する。
【０２０５】
これにより制御部２０は、種類判別用テーブルに基づき、その判別したタップ操作に対応付けられている命令を、このときユーザによって入力された命令として検出する。
【０２０６】
因みに、制御部２０は、この際、種類判別用テーブルにタップ操作判別用の判別条件が含まれていないと、このとき情報表示面１２Ａに対するタップ操作は行われていないと判断する。
【０２０７】
また制御部２０は、種類判別用テーブルにタップ操作判別用の判別条件が含まれていても、終了時点タッチ位置が操作終了タッチ領域外の位置であると、この場合にも、タップ操作は行われていないと判断する。
【０２０８】
これに対して制御部２０は、タッチ操作継続時間が比較基準時間を経過すると、当該タッチ操作継続時間の計時を継続しながら、その際に検出し適宜更新している最大変位量を、予め設定された格段的に短い所定の比較基準変位量と比較する。
【０２０９】
その結果、制御部２０は、タッチ操作終了時点までに検出した最大変位量が比較基準変位量よりも短いと、このときのタッチ操作が長押操作である可能性があるため、種類判別用テーブルに長押操作判別用の判別条件が含まれているか否かを検出する。
【０２１０】
そして制御部２０は、種類判別用テーブルに長押操作判別用の判別条件が含まれていると、終了時点タッチ位置を、当該長押操作判別用の判別条件に含まれている操作終了タッチ領域の位置とを比較する。
【０２１１】
その結果、制御部２０は、終了時点タッチ位置が操作終了タッチ領域内の位置であると、このとき命令入力用に行われたタッチ操作を、その操作終了タッチ領域を含む判別条件で規定されている長押操作であると判別する。
【０２１２】
これにより制御部２０は、種類判別用テーブルに基づき、その判別した長押操作に対応付けられている命令を、このときユーザによって入力された命令として検出する。
【０２１３】
因みに、制御部２０は、この際、種類判別用テーブルに長押操作判別用の判別条件が含まれていないと、このとき情報表示面１２Ａに親指や他の指等が誤って接触し、長押操作や他のタッチ操作は行われていないと判断する。
【０２１４】
また制御部２０は、種類判別用テーブルに長押操作判別用の判別条件が含まれていても、終了時点タッチ位置が操作終了タッチ領域外の位置であると、この場合にも、長押操作や他のタッチ操作は行われていないと判断する。
【０２１５】
さらに制御部２０は、タッチ操作継続時間が比較基準時間を経過した状態でタッチ操作終了時点までに比較基準変位量以上の最大変位量を検出すると、このときのタッチ操作が斜め他方向摺動操作である可能性があるため、種類判別用テーブルに斜め他方向摺動操作判別用の判別条件が含まれているか否かを検出する。
【０２１６】
その結果、制御部２０は、種類判別用テーブルに斜め他方向摺動操作判別用の判別条件が含まれていると、最大変位量の検出に用いた開始時点タッチ位置と他の１個のタッチ位置とを結ぶ線分を求める。
【０２１７】
因みに、以下の説明では、最大変位量の検出に用いた開始時点タッチ位置と他の１個のタッチ位置とを結ぶ線分を、タッチ位置間線分とも呼ぶ。
【０２１８】
また制御部２０は、開始時点タッチ位置をＸ軸及びＹ軸の原点に一致させるようにタッチ位置間線分を座標変換すると共に、当該座標変換したタッチ位置間線分のＸ軸に対する角度（以下、これをタッチ位置間線分角度とも呼ぶ）を検出する。
【０２１９】
そして制御部２０は、タッチ位置間線分角度を、斜め他方向摺動操作判別用の判別条件に含まれている方向検出用角度範囲と比較する。
【０２２０】
その結果、制御部２０は、タッチ位置間線分角度が方向検出用角度範囲内の角度であると、このとき命令入力用に行われたタッチ操作を、当該方向検出用角度範囲を含む判別条件で規定されている斜め他方向摺動操作であると判別する。
【０２２１】
これにより制御部２０は、種類判別用テーブルに基づき、その判別した斜め他方向摺動操作に対応付けられている命令を、このときユーザによって入力された命令として検出する。
【０２２２】
ところで制御部２０は、この際、種類判別用テーブルに斜め他方向摺動操作判別用の判別条件が含まれていないと、このときのタッチ操作が画面摺動操作である可能性があるため、種類判別用テーブルに画面摺動操作判別用の判別条件が含まれているか否かを検出する。
【０２２３】
また制御部２０は、種類判別用テーブルに斜め他方向摺動操作判別用の判別条件が含まれていても、タッチ位置間線分角度がその判別条件に含まれる方向検出用角度範囲外の角度であると、このときにも種類判別用テーブルに画面摺動操作判別用の判別条件が含まれているか否かを検出する。
【０２２４】
すなわち、制御部２０は、このときのタッチ操作が斜め他方向摺動操作ではないと判別すると、種類判別用テーブルに画面摺動操作判別用の判別条件が含まれているか否かを検出する。
【０２２５】
その結果、制御部２０は、種類判別用テーブルに画面摺動操作判別の判別条件が含まれていると、上述と同様にタッチ位置間線分を求めて座標変換すると共に、当該座標変換したタッチ位置間線分のＸ軸に対するタッチ位置間線分角度を検出する。
【０２２６】
そして制御部２０は、タッチ位置間線分角度を、画面摺動操作判別用の判別条件に含まれている方向検出用角度範囲と比較する。
【０２２７】
その結果、制御部２０は、タッチ位置間線分角度が方向検出用角度範囲内の角度であると、このとき命令入力用に行われたタッチ操作を、当該方向検出用角度範囲を含む判別条件で規定されている画面摺動操作であると判別する。
【０２２８】
これにより制御部２０は、種類判別用テーブルに基づき、その判別した画面摺動操作に対応付けられている命令を、このときユーザによって入力された命令として検出する。
【０２２９】
因みに、制御部２０は、この際、種類判別用テーブルに画面摺動操作判別用の判別条件が含まれていないと、このとき情報表示面１２Ａに親指や他の指等が誤って接触し、タッチ操作は行われていないと判断する。
【０２３０】
また制御部２０は、種類判別用テーブルに画面摺動操作判別用の判別条件が含まれていても、タッチ位置間線分角度が方向検出用角度範囲外の角度であると、この場合にも、タッチ操作は行われていないと判断する。
【０２３１】
ところで制御部２０は、種類判別処理を開始したときにテーブル記憶部２５から読み出した種類判別用テーブルに対し、斜め一方向摺動操作判別用の判別条件が含まれていると、タッチ操作として斜め一方向摺動操作が命令入力用に実行可能であると判別する。
【０２３２】
この場合、制御部２０は、開始時点タッチ位置を、斜め一方向摺動操作判別用の判別条件に含まれている操作開始タッチ領域の位置と比較する。
【０２３３】
そして制御部２０は、開始時点タッチ位置が操作開始タッチ領域内の位置であると、このときのタッチ操作が斜め一方向摺動操作の可能性と共に、当該操作開始タッチ領域を操作終了タッチ領域とするタップ操作の可能性もあるため、引き続きタッチ操作継続時間を比較基準時間と比較する。
【０２３４】
その結果、制御部２０は、比較基準時間に達する前にタッチ操作継続時間の計時が終了すると、このとき命令入力用に行われたタッチ操作が斜め一方向摺動操作用の操作開始タッチ領域を操作終了タッチ領域とするタップ操作であると判別する。
【０２３５】
すなわち、制御部２０は、このとき命令入力用に行われたタッチ操作を、斜め一方向摺動操作用の操作開始タッチ領域を操作終了タッチ領域として含む判別条件で規定されたタップ操作であると判別する。
【０２３６】
これにより制御部２０は、種類判別用テーブルに基づき、その判別したタップ操作に対応付けられている命令を、このときユーザによって入力された命令として検出する。
【０２３７】
これに対して制御部２０は、タッチ操作継続時間が比較基準時間を経過すると、その際に検出し適宜更新している最大変位量を比較基準変位量と比較する。
【０２３８】
その結果、制御部２０は、タッチ操作終了時点までに検出した最大変位量が比較基準変位量よりも短いと、このとき情報表示面１２Ａに親指や他の指等が誤って接触し、タッチ操作は行われていないと判断する。
【０２３９】
また制御部２０は、タッチ操作継続時間が比較基準時間を経過した状態でタッチ操作終了時点までに比較基準変位量以上の最大変位量を検出すると、上述と同様にタッチ位置間線分を求めて座標変換すると共に、当該座標変換したタッチ位置間線分のＸ軸に対するタッチ位置間線分角度を検出する。
【０２４０】
そして制御部２０は、タッチ位置間線分角度を、斜め一方向摺動操作判別用の判別条件に含まれている方向検出用角度範囲と比較する。
【０２４１】
その結果、制御部２０は、タッチ位置間線分角度が方向検出用角度範囲内の角度であると、このとき命令入力用に行われたタッチ操作を、斜め一方向摺動操作であると判別する。
【０２４２】
これにより制御部２０は、種類判別用テーブルに基づき、その判別した斜め一方向摺動操作に対応付けられている命令を、このときユーザによって入力された命令として検出する。
【０２４３】
因みに、制御部２０は、この際、タッチ位置間線分角度が斜め一方向摺動操作判別用の方向検出用角度範囲外の角度であると、このとき情報表示面１２Ａに親指や他の指等が誤って接触し、タッチ操作は行われていないと判断する。
【０２４４】
このようにして制御部２０は、情報表示面１２Ａに対して行われたタッチ操作の種類を判別すると共に、その判別結果に応じて当該タッチ操作により入力された命令を検出する。
【０２４５】
そして制御部２０は、タッチ操作によって入力され命令を検出すると、当該検出した（すなわち、ユーザによりタッチ操作で入力された）命令に従い、各種処理を実行する。
【０２４６】
実際に制御部２０は、操作ボタンに対する押下操作や情報表示面１２Ａに対するタッチ操作によって種々の命令が入力されると、これに応じてテレビジョン放送の受信機能や録画機能、ラジオ放送の受信機能や録音機能を実現する。
【０２４７】
また制御部２０は、インターネット上の情報提供装置（図示せず）から種々の情報を検索させて取得し閲覧させる閲覧機能、インターネット上の情報提供装置から所望の音楽データを検索して購入する購入機能、各種データを再生するデータ再生機能等も実現する。
【０２４８】
実際に制御部２０は、例えば、情報表示面１２Ａに対するタッチ操作によりテレビジョン放送の受信機能を選択する機能選択命令が入力されると、これに応じてテレビジョン放送の受信処理を実行する。
【０２４９】
この場合、制御部２０は、複数のテレビジョン放送局により放送されている複数の番組映像データを含むテレビジョン放送波をテレビジョンアンテナ３０によって受信してテレビジョン受信部３１に取り込む。
【０２５０】
テレビジョン受信部３１は、テレビジョン放送波の中からユーザにより選局されたテレビジョン放送局で放送されているテレビジョン番組の映像データを抽出して所定の受信処理を施し、この結果得られる番組画像の画像データ及び番組音声の音声データを制御部２０に送出する。
【０２５１】
制御部２０は、テレビジョン受信部３１から与えられた画像データ及び音声データのうち当該画像データを表示部１２に送出することにより情報表示面１２Ａに対し当該画像データに基づく番組画像を表示する。
【０２５２】
また制御部２０は、音声データを出力部３２により、携帯再生装置１０に対し無線接続又は有線接続されているスピーカ又はヘッドホン（図示せず）に送出することにより、当該スピーカ又はヘッドホンから音声データに基づく番組音声を出力させる。
【０２５３】
これにより制御部２０は、ユーザに対し所望のテレビジョン放送局で放送されている所望のテレビジョン番組を視聴させることができる。
【０２５４】
ところで制御部２０は、例えば、テレビジョン放送の受信処理の実行中に情報表示面１２Ａに対するタッチ操作によりテレビジョン放送の録画機能を選択する機能選択命令が入力されると、その受信処理と共にテレビジョン放送の録画処理も実行する。
【０２５５】
この場合、制御部２０は、上述したようにユーザに対しテレビジョン番組を視聴させながら、このときテレビジョン受信部３１から与えられている画像データ及び音声データに対応する番組タイトルや放送日時等を含む録画番組関連情報を生成する。
【０２５６】
そして制御部２０は、ユーザに対しテレビジョン番組を視聴させながら、そのテレビジョン受信部３１から与えられている画像データ及び音声データを、対応する録画番組関連情報と共にコンテンツ記憶部２２に送出する。
【０２５７】
これにより制御部２０は、コンテンツ記憶部２２に対しテレビジョン番組の画像データ及び音声データと、録画番組関連情報とを対応付けて記憶するようにして、そのテレビジョン番組を録画することができる。
【０２５８】
また制御部２０は、例えば、情報表示面１２Ａに対するタッチ操作によりラジオ放送の受信機能を選択する機能選択命令が入力されると、これに応じてラジオ放送の受信処理を実行する。
【０２５９】
この場合、制御部２０は、複数のラジオ放送局により送信されているラジオ放送波をラジオアンテナ３３によって受信してラジオ受信部３４に取り込む。
【０２６０】
ラジオ受信部３４は、ラジオ放送波の中からユーザにより選局されたラジオ放送局に対応する放送周波数のラジオ放送信号を抽出して所定の受信処理を施し、この結果得られるラジオ番組の番組音声の音声データを制御部２０に送出する。
【０２６１】
制御部２０は、ラジオ受信部３４から与えられた音声データを上述と同様に出力部３２を介してスピーカ又はヘッドホンに送出することにより、当該スピーカ又はヘッドホンから音声データに基づく番組音声を出力させる。
【０２６２】
これにより制御部２０は、ユーザに対し所望のラジオ放送局で放送されている所望のラジオ番組の番組音声を聴かせることができる。
【０２６３】
ところで制御部２０は、例えば、ラジオ放送の受信処理の実行中に情報表示面１２Ａに対するタッチ操作によりラジオ放送の録音機能を選択する機能選択命令が入力されると、その受信処理と共にラジオ放送の録音処理も実行する。
【０２６４】
この場合、制御部２０は、上述したようにユーザに対しラジオ番組を聴かせながら、このときラジオ受信部３４から与えられている音声データに対応する番組タイトルや放送日時等を含む録音番組関連情報を生成する。
【０２６５】
そして制御部２０は、ユーザに対しラジオ番組を聴かせながら、そのラジオ受信部３４から与えられている音声データを、対応する録音番組関連情報と共にコンテンツ記憶部２２に送出する。
【０２６６】
これにより制御部２０は、コンテンツ記憶部２２に対しラジオ番組の音声データと、録音番組関連情報とを対応付けて記憶するようにして、そのラジオ番組を録音することができる。
【０２６７】
さらに制御部２０は、例えば、情報表示面１２Ａに対するタッチ操作により情報の閲覧機能を選択する機能選択命令が入力されると、これに応じて情報の閲覧処理を実行する。
【０２６８】
この場合、制御部２０は、例えば、上述した音楽関連情報や映像関連情報、写真画像関連情報に含まれる少なくとも一部の情報を検索用の検索キーとして格納し所望の情報の検索を要求する検索要求データを生成する。
【０２６９】
そして制御部２０は、かかる検索要求データを無線通信部３５により最寄りのアクセスポイントを介してインターネット上の情報提供装置に送信する。
【０２７０】
その結果、制御部２０は、情報提供装置から検索要求データに含まれる検索キーを用いて所望の情報が検索されアクセスポイント経由で送信されると、当該所望の情報を無線通信部３５によって受信して取り込む。
【０２７１】
そして制御部２０は、その所望の情報を表示部１２に送出することにより情報表示面１２Ａに当該所望の情報を表示する。
【０２７２】
このようにして制御部２０は、情報提供装置から検索キーを用いで検索された、例えば、特定のアーティストの音楽が収録されたアルバムや、当該アーティストが掲載されている雑誌や写真集を紹介するような各種情報を取得してユーザに提示することができる。
【０２７３】
また制御部２０は、例えば、情報表示面１２Ａに対し、情報提供装置から取得したアルバムを示す情報を表示している状態で当該情報表示面１２Ａに対するタッチ操作により所望のアルバムが購入用に選択されると、これに応じて音楽データの購入処理を実行する。
【０２７４】
この場合、制御部２０は、ユーザによりアルバムとして選択された音楽データを購入要求する購入要求データを生成し、当該生成した購入要求データを無線通信部３５により最寄りのアクセスポイントを介してインターネット上の情報提供装置に送信する。
【０２７５】
その結果、制御部２０は、情報提供装置から音楽データの購入に対する課金処理が完了して、当該音楽データと、これに対応する音楽関連情報とがアクセスポイント経由で送信されると、その音楽データ及び音楽関連情報を無線通信部３５によって受信して取り込む。
【０２７６】
そして制御部２０は、その音楽データ及び音楽関連情報をコンテンツ記憶部２２に送出することにより、当該コンテンツ記憶部２２に対し、音楽データと音楽関連情報とを対応付けて記憶する。
【０２７７】
このようにして制御部２０は、情報提供装置から音楽データを購入してコンテンツ記憶部２２に記憶保持することができる。
【０２７８】
さらに制御部２０は、例えば、情報表示面１２Ａに対するタッチ操作によりデータを再生するデータ再生機能を選択する機能選択命令が入力されると、これに応じてデータ再生処理を実行する。
【０２７９】
この場合、制御部２０は、ユーザにより選択されたデータの種類に応じて、当該データの種類に対応する上述した音楽関連情報や映像関連情報等の関連情報に基づき、再生するデータを選択させるための選択画面の選択画面データを生成する。
【０２８０】
そして制御部２０は、その選択画面データを表示部１２に送出することにより情報表示面１２Ａに選択画面データに基づく選択画面を表示して、再生用に選択可能な各種データを、上述した音楽タイトルや映像タイトル等のタイトル等としてユーザに提示する。
【０２８１】
この状態で制御部２０は、情報表示面１２Ａに対するタッチ操作により所望のデータが選択され、再生命令が入力されると、コンテンツ記憶部２２から、その選択されたデータを読み出して再生部３６に送出する。
【０２８２】
再生部３６は、このとき制御部２０から与えられたデータに対し復号処理や誤り訂正処理等の所定の再生処理を施す。
【０２８３】
そして再生部３６は、再生処理して得られたデータが画像データの場合、当該画像データを表示部１２に送出することにより情報表示面１２Ａに、その画像データに基づく画像（映画の画像や番組画像、写真画像等）を表示させる。
【０２８４】
また再生部３６は、再生処理して得られたデータが音声データの場合、その音声データを上述と同様に出力部３２を介してスピーカ又はヘッドホンに送出することにより、当該スピーカ又はヘッドホンから音声データに基づく音声（音楽や番組音声等）を出力させる。
【０２８５】
このようにして制御部２０は、コンテンツ記憶部２２に記憶している音楽データやテレビジョン番組の画像データ及び音声データ等のような種々のデータを再生して、音楽やテレビジョン番組等を視聴させることができる。
【０２８６】
次いで、音楽データを再生するデータ再生処理を例にして、表示部１２の情報表示面１２Ａに表示する複数の表示画面と、これら表示画面を表示した情報表示面１２Ａに対して命令入力用に実行可能なタッチ操作について詳細に説明する。
【０２８７】
因みに、以下の説明では、例えば、利き手としての右手により本体部１１が縦挟持姿勢で挟持され、表示部１２の情報表示面１２Ａに表示画面を通常表示形態で表示するものとする。
【０２８８】
制御部２０は、コンテンツ記憶部２２内に、音楽データを登録して管理するためのデータベース（以下、これを管理データベースとも呼ぶ）を予め構築している。
【０２８９】
実際に制御部２０は、上述したようにコンテンツ記憶部２２に音楽データを音楽関連情報と共に記憶すると、その音楽関連情報に基づき音楽データをジャンルで分類し、そのジャンル毎にアーティストで分類し、そのアーティスト毎にアルバムで分類する。
【０２９０】
また制御部２０は、このような音楽データの階層的な分類を示すように、ジャンル名にアーティスト名を対応付けると共に、当該アーティスト名にアルバムタイトルを対応付け、さらにアルバムタイトルに音楽タイトルを対応付けた音楽管理情報を生成する。
【０２９１】
さらに制御部２０は、その音声管理情報をコンテンツ記憶部２２に送出して管理データベースに登録するようにして、当該コンテンツ記憶部２２に、その音楽管理情報を記憶する。
【０２９２】
このようにして制御部２０は、コンテンツ記憶部２２に、コンピュータ装置から転送された音楽データや情報提供装置から購入した音楽データを音楽関連情報と共に記憶する毎に、当該記憶した音楽関連情報に基づき音楽管理情報の内容を更新している。
【０２９３】
これにより制御部２０は、管理データベースに登録している音楽管理情報に基づき、コンテンツ記憶部２２に記憶している全ての音楽データを管理し得るようになされている。
【０２９４】
この状態で制御部２０は、音楽データを再生するためのデータ再生機能を選択する機能選択命令が入力されると、コンテンツ記憶部２２から音楽管理情報を読み出すと共に、音楽関連情報に含まれるジャケット画像データも読み出す。
【０２９５】
また制御部２０は、音楽管理情報に基づき、例えば、複数のジャンル名をアルファベット順に並べて示すジャンルリストを生成する。
【０２９６】
さらに制御部２０は、音楽管理情報に基づき、ジャンル名毎に、当該ジャンル名に対応付けている複数のアーティスト名をアルファベット順に並べて示すアーティストリストも生成する。
【０２９７】
さらに制御部２０は、音楽管理情報に基づき、アーティスト名毎に、当該アーティスト名に対応付けている複数のアルバムタイトルをアルファベット順に並べて示すアルバムリストも生成する。
【０２９８】
さらに制御部２０は、音楽管理情報に基づき、アルバムタイトル毎に、当該アルバムタイトルに対応付けている複数の音楽タイトルを、対応する音楽データの再生順序（アルバム内で予め決められていた再生順序）に並べて示す音楽タイトルリストも生成する。
【０２９９】
さらに制御部２０は、ジャンルリストとジャケット画像データとに基づき表示モードとしてのリストモードで、ユーザに所望のジャンルを選択させるための表示画面の表示画面データを生成する。
【０３００】
因みに、以下の説明では、ユーザに所望のジャンルを選択させるための表示画面を、特にジャンル選択画面とも呼び、当該ジャンル選択画面の表示画面データを、特にジャンル選択画面データとも呼ぶ。
【０３０１】
そして制御部２０は、ジャンル選択画面データを表示部１２に送出することにより情報表示面１２Ａに対して当該ジャンル選択画面データに基づき図１６に示すようなジャンル選択画面４０を表示する。
【０３０２】
ジャンル選択画面４０は、画面上側に、画面左右方向と平行な帯状の命令通知部４０Ａが設けられると共に、当該命令通知部４０Ａよりも画面下側にリスト表示部４０Ｂが設けられいる。
【０３０３】
ジャンル選択画面４０の命令通知部４０Ａには、当該ジャンル選択画面４０の表示中にタップ操作によって入力可能な命令を示す２種類の文字列４１及び４２と、１つのアイコン４３とが１列に並べられて表示されている。
【０３０４】
実際に命令通知部４０Ａには、例えば、コンテンツ記憶部２２に記憶された全ての音楽データを、予め設定された再生順序を無作為に並べ替えた他の再生順序で再生するためのシャッフル再生命令を示す文字列４１が表示されている。
【０３０５】
またの命令通知部４０Ａには、例えば、情報表示面１２Ａの表示状態を、現在の表示状態から１つ前の表示状態に戻すためのバック命令を示す文字列４２も表示されている。さらにの命令通知部４０Ａには、例えば、複数のジャンル名の中から所望のジャンル名を、そのイニシャルで探索するためのイニシャルサーチ命令を示すアイコン（以下、これをイニシャルサーチアイコンとも呼ぶ）４３も表示されている。
【０３０６】
一方、ジャンル選択画面４０のリスト表示部４０Ｂには、画面上寄りに、当該ジャンル選択画面４０でユーザに提示するリストの種類を表すリストタイトル４４が表示されている。
【０３０７】
またジャンル選択画面４０のリスト表示部４０Ｂには、複数のジャンル名４５が画面下方向に沿って、例えば、アルファベット順に一列に並べられたリスト形式で表示されている。
【０３０８】
さらにジャンル選択画面４０のリスト表示部４０Ｂには、個々のジャンル名４５の横に、それぞれ対応する１又は複数のアルバムのジャケット写真画像４６が表示されている。
【０３０９】
ところでリスト表示部４０Ｂには、ジャンル名４５に対応するジャケット写真画像４６が複数存在する場合、当該複数のジャケット写真画像４６が、僅かにずらしながら積み上げられているようにして表示されている。
【０３１０】
これによりジャンル選択画面４０では、個々のジャンル名４５に対応するアルバム（すなわち、個々のジャンルに属する音楽が収録されたアルバム）の枚数が多いか少ないかを直感的に認識させ得るようになされている。
【０３１１】
さらにジャンル選択画面４０のリスト表示部４０Ｂには、画面下側に携帯再生装置１０内のバッテリの残量を示すアイコン４７や、無線通信部３５によって受信する電波の強度を示すアイコン４８も表示されている。
【０３１２】
因みに、以下の説明では、バッテリの残量を示すアイコン４７を、残量通知アイコン４７とも呼び、電波の強度を示すアイコン４８を、強度通知アイコン４８とも呼ぶ。
【０３１３】
さらに携帯再生装置１０では、情報表示面１２Ａにジャンル選択画面４０を表示した場合、当該情報表示面１２Ａに対して斜め一方向摺動操作を行わせることができる。
【０３１４】
このためジャンル選択画面４０の左下隅部には、操作開始タッチ領域の通知用として、画面左縁部及び画面下縁部に接する略扇状のタッチ領域通知部４９が設けられ、当該タッチ領域通知部４９が他の部分とは異なる色で表示されている。
【０３１５】
これによりジャンル選択画面４０は、タッチ領域通知部４９により、情報表示面１２Ａにおいて、当該タッチ領域通知部４９と対向する所定領域を斜め一方向摺動操作用の操作開始タッチ領域として通知し得るようになされている。
【０３１６】
さらに携帯再生装置１０では、情報表示面１２Ａにジャンル選択画面４０を単独で表示した場合、当該情報表示面１２Ａに対して操作開始タッチ領域を除く部分に親指を接触させて画面上方向摺動操作や画面下方向摺動操作も行わせることができる。
【０３１７】
制御部２０は、ジャンル選択画面４０の表示中に情報表示面１２Ａに対して画面上方向摺動操作が行われて上スクロール命令が入力されると、ジャンル名４５のリストをジャケット写真画像４６と共に画面上方向へスクロールさせる。
【０３１８】
また制御部２０は、ジャンル選択画面４０の表示中に情報表示面１２Ａに対して画面下方向摺動操作が行われて下スクロール命令が入力されると、ジャンル名４５のリストをジャケット写真画像４６と共に画面下方向へスクロールさせる。
【０３１９】
これにより制御部２０は、ジャンル選択画面４０において、すでに表示していたジャンル名４５やジャケット写真画像４６を画面外へ移動させる分、それまで表示しきれなかった他のジャンル名４５やジャケット写真画像４６を画面内へ移動させて見せることができる。
【０３２０】
さらに携帯再生装置１０では、情報表示面１２Ａにおいて、個々の組のジャンル名４５及びジャケット写真画像４６の表示部分と対向する所定領域（操作開始タッチ領域は除く）それぞれを命令入力用のタップ操作の操作終了タッチ領域に設定している。
【０３２１】
そして携帯再生装置１０では、情報表示面１２Ａにジャンル選択画面４０を単独で表示した場合、当該情報表示面１２Ａにおいてジャンル名４５及びジャケット写真画像４６の組の表示部分と対向する操作終了タッチ領域内がタップ操作されると、そのジャンル名４５を選択する選択命令を入力させることができる。
【０３２２】
制御部２０は、情報表示面１２Ａにジャンル選択画面４０を表示した状態でタップ操作が行われて所望のジャンル名４５の選択命令が入力されると、ユーザにより選択されたジャンル名４５に対応するアーティストリストとジャケット画像データとに基づき表示モードとしてのリストモードで、表示画面データを生成する。
【０３２３】
すなわち、制御部２０は、このとき、ユーザに所望のアーティストを選択させるための表示画面（以下、これを特にアーティスト選択画面とも呼ぶ）の表示画面データ（以下、これを特にアーティスト選択画面データとも呼ぶ）を生成する。
【０３２４】
そして制御部２０は、アーティスト選択画面データを表示部１２に送出することにより情報表示面１２Ａに対してジャンル選択画面４０に替えて、当該アーティスト選択画面データに基づき図１７に示すようなアーティスト選択画面５０を表示する。
【０３２５】
アーティスト選択画面５０は、画面上側に、画面左右方向と平行な帯状の命令通知部５０Ａが設けられると共に、当該命令通知部５０Ａよりも画面下側にリスト表示部５０Ｂが設けられいる。
【０３２６】
アーティスト選択画面５０の命令通知部５０Ａには、上述したジャンル選択画面４０と同様の文字列４１及び４２が表示されている。
【０３２７】
また命令通知部５０Ａには、例えば、１つ前のジャンル選択画面４０上でユーザにより選択されたジャンル名４５に対応する複数のアーティスト名の中から所望のアーティスト名を、そのイニシャルで探索するためのイニシャルサーチ命令を示すイニシャルサーチアイコン５１も表示されている。
【０３２８】
一方、アーティスト選択画面５０のリスト表示部５０Ｂには、画面上寄りに、当該アーティスト選択画面５０でユーザに提示するリストの種類を表すリストタイトル５２（例えば、ユーザによって選択されたジャンル名４５）が表示されている。
【０３２９】
またアーティスト選択画面５０のリスト表示部５０Ｂには、ユーザにより選択されたジャンル名４５に対応する複数のアーティスト名５３が画面下方向に沿って、例えば、アルファベット順に一列に並べられたリスト形式で表示されている。
【０３３０】
さらにアーティスト選択画面５０のリスト表示部５０Ｂには、個々のアーティスト名５３の横に、それぞれ対応する１又は複数のアルバムのジャケット写真画像５４が表示されている。
【０３３１】
ところでリスト表示部５０Ｂにも、アーティスト名５３に対応するジャケット写真画像５４が複数存在する場合、当該複数のジャケット写真画像５４が、僅かにずらしながら積み上げられているようにして表示されている。
【０３３２】
これによりアーティスト選択画面５０では、個々のアーティスト名５３に対応するアルバム（すなわち、アーティスト毎のアルバム）の枚数が多いか少ないかを直感的に認識させ得るようになされている。
【０３３３】
さらにアーティスト選択画面５０のリスト表示部５０Ｂには、上述したジャンル選択画面４０と同様の残量通知アイコン４７及び強度通知アイコン４８が表示されている。
【０３３４】
さらに携帯再生装置１０では、情報表示面１２Ａにアーティスト選択画面５０を表示した場合も、当該情報表示面１２Ａに対して斜め一方向摺動操作を行わせることができる。
【０３３５】
このためアーティスト選択画面５０の左下隅部には、上述したジャンル選択画面４０と同様のタッチ領域通知部５５が設けられ、当該タッチ領域通知部５５が他の部分とは異なる色で表示されている。
【０３３６】
さらに携帯再生装置１０では、情報表示面１２Ａにアーティスト選択画面５０を単独で表示した場合も、当該情報表示面１２Ａに対して操作開始タッチ領域を除く部分に親指を接触させて画面上方向摺動操作や画面下方向摺動操作も行わせることができる。
【０３３７】
制御部２０は、アーティスト選択画面５０の表示中に情報表示面１２Ａに対して画面上方向摺動操作が行われて上スクロール命令が入力されると、アーティスト名５３のリストをジャケット写真画像５４と共に画面上方向へスクロールさせる。
【０３３８】
また制御部２０は、アーティスト選択画面５０の表示中に情報表示面１２Ａに対して画面下方向摺動操作が行われて下スクロール命令が入力されると、アーティスト名５３のリストをジャケット写真画像５４と共に画面下方向へスクロールさせる。
【０３３９】
さらに携帯再生装置１０では、情報表示面１２Ａにおいて、個々の組のアーティスト名５３及びジャケット写真画像５４の表示部分と対向する所定領域（操作開始タッチ領域は除く）それぞれを命令入力用のタップ操作の操作終了タッチ領域に設定している。
【０３４０】
そして携帯再生装置１０では、情報表示面１２Ａにアーティスト選択画面５０を単独で表示した場合、当該情報表示面１２Ａにおいてアーティスト名５３及びジャケット写真画像５４の組の表示部分と対向する操作終了タッチ領域内がタップ操作されると、アーティスト名５３を選択する選択命令を入力させることができる。
【０３４１】
制御部２０は、情報表示面１２Ａにアーティスト選択画面５０を表示した状態でタップ操作が行われて所望のアーティスト名５３の選択命令が入力されると、ユーザにより選択されたアーティスト名５３に対応するアルバムリストとジャケット画像データとに基づき表示モードとしてのリストモードで、表示画面データを生成する。
【０３４２】
すなわち、制御部２０は、このとき、ユーザに所望のアルバムを選択させるための表示画面（以下、これを特にアルバム選択画面とも呼ぶ）の表示画面データ（以下、これを特にアルバム選択画面データとも呼ぶ）を生成する。
【０３４３】
そして制御部２０は、アルバム選択画面データを表示部１２に送出することにより情報表示面１２Ａに対してアーティスト選択画面５０に替えて、当該アルバム選択画面データに基づき図１８に示すようなアルバム選択画面６０を表示する。
【０３４４】
アルバム選択画面６０は、画面上側に、画面左右方向と平行な帯状の命令通知部６０Ａが設けられると共に、当該命令通知部６０Ａよりも画面下側にリスト表示部６０Ｂが設けられいる。
【０３４５】
アルバム選択画面６０の命令通知部６０Ａには、上述したジャンル選択画面４０と同様の文字列４１及び４２が表示されている。
【０３４６】
また命令通知部６０Ａには、例えば、１つ前のアーティスト選択画面５０上でユーザにより選択されたアーティスト名５３に対応する複数のアルバムタイトルの中から所望のアルバムタイトルを、そのイニシャルで探索するためのイニシャルサーチ命令を示すイニシャルサーチアイコン６１も表示されている。
【０３４７】
一方、アルバム選択画面６０のリスト表示部６０Ｂには、画面上寄りに、当該アルバム選択画面６０でユーザに提示するリストの種類を表すリストタイトル６２（例えば、ユーザによって選択されたアーティスト名５３）が表示されている。
【０３４８】
またアルバム選択画面６０のリスト表示部６０Ｂには、ユーザにより選択されたアーティスト名５３に対応する複数のアルバムタイトル６３が画面下方向に沿って、例えば、アルファベット順に一列に並べられたリスト形式で表示されている。
【０３４９】
さらにアルバム選択画面６０のリスト表示部６０Ｂには、個々のアルバムタイトル６３の横に、そのアルバムタイトル６３のアルバムのジャケット写真画像６４が表示されている。
【０３５０】
さらにアルバム選択画面６０のリスト表示部６０Ｂには、上述したジャンル選択画面４０と同様の残量通知アイコン４７及び強度通知アイコン４８が表示されている。
【０３５１】
さらに携帯再生装置１０では、情報表示面１２Ａにアルバム選択画面６０を表示した場合も、当該情報表示面１２Ａに対して斜め一方向摺動操作を行わせることができる。
【０３５２】
このためアルバム選択画面６０の左下隅部には、上述したジャンル選択画面４０と同様のタッチ領域通知部６５が設けられ、当該タッチ領域通知部６５が他の部分とは異なる色で表示されている。
【０３５３】
さらに携帯再生装置１０では、情報表示面１２Ａにアルバム選択画面６０を単独で表示した場合も、当該情報表示面１２Ａに対して操作開始タッチ領域を除く部分に親指を接触させて画面上方向摺動操作や画面下方向摺動操作も行わせることができる。
【０３５４】
制御部２０は、アルバム選択画面６０の表示中に情報表示面１２Ａに対して画面上方向摺動操作が行われて上スクロール命令が入力されると、アルバムタイトル６３のリストをジャケット写真画像６４と共に画面上方向へスクロールさせる。
【０３５５】
また制御部２０は、アルバム選択画面６０の表示中に情報表示面１２Ａに対して画面下方向摺動操作が行われて下スクロール命令が入力されると、アルバムタイトル６３のリストをジャケット写真画像６４と共に画面下方向へスクロールさせる。
【０３５６】
さらに携帯再生装置１０では、情報表示面１２Ａにおいて、個々の組のアルバムタイトル６３及びジャケット写真画像６４の表示部分と対向する所定領域（操作開始タッチ領域は除く）それぞれを命令入力用のタップ操作の操作終了タッチ領域に設定している。
【０３５７】
そして携帯再生装置１０では、情報表示面１２Ａにアルバム選択画面６０を単独で表示した場合、当該情報表示面１２Ａにおいてアルバムタイトル６３及びジャケット写真画像６４の組の表示部分と対向する操作終了タッチ領域内がタップ操作されると、アルバムタイトル６３を選択する選択命令を入力させることができる。
【０３５８】
そして制御部２０は、情報表示面１２Ａにアルバム選択画面６０を表示した状態でタップ操作が行われて所望のアルバムタイトル６３の選択命令が入力されると、ユーザにより選択されたアルバムタイトル６３に対応する音楽タイトルリストに基づき表示モードとしてのリストモードで表示画面データを生成する。
【０３５９】
すなわち、制御部２０は、このとき、ユーザに対し、再生する音楽データを選択させるための表示画面（以下、これを特に音楽選択画面とも呼ぶ）の表示画面データ（以下、これを特に音楽選択画面データとも呼ぶ）を生成する。
【０３６０】
そして制御部２０は、音楽選択画面データを表示部１２に送出することにより情報表示面１２Ａに対してアルバム選択画面６０に替えて、当該音楽選択画面データに基づき図１９に示すような音楽選択画面７０を表示する。
【０３６１】
音楽選択画面７０は、画面上側に、画面左右方向と平行な帯状の命令通知部７０Ａが設けられると共に、当該命令通知部７０Ａよりも画面下側にリスト表示部７０Ｂが設けられいる。
【０３６２】
音楽選択画面７０の命令通知部７０Ａには、上述したジャンル選択画面４０と同様の文字列４１及び４２が表示されている。
【０３６３】
また命令通知部７０Ａには、例えば、１つ前のアルバム選択画面６０上でユーザにより選択されたアルバムタイトル６３に対応する複数の音楽タイトルの中から所望の音楽タイトルを、そのイニシャルで探索するためのイニシャルサーチ命令を示すイニシャルサーチアイコン７１も表示されている。
【０３６４】
一方、音楽選択画面７０のリスト表示部７０Ｂには、画面上寄りに、当該音楽選択画面７０でユーザに提示するリストの種類を表すリストタイトル７２（例えば、ユーザによって選択されたアルバムタイトル６３）が表示されている。
【０３６５】
またリスト表示部７０Ｂには、ユーザにより選択されたアルバムタイトルのアルバムに収録されている複数の音楽の音楽タイトル７３が画面下方向に沿って、例えば、対応する音楽データの再生順序で一列に並べられたリスト形式で表示されている。
【０３６６】
さらに音楽選択画面７０のリスト表示部７０Ｂには、上述したジャンル選択画面４０と同様の残量通知アイコン４７及び強度通知アイコン４８が表示されている。
【０３６７】
さらに携帯再生装置１０では、情報表示面１２Ａに音楽選択画面７０を表示した場合も、当該情報表示面１２Ａに対して斜め一方向摺動操作を行わせることができる。
【０３６８】
このため音楽選択画面７０の左下隅部には、上述したジャンル選択画面４０と同様のタッチ領域通知部７４が設けられ、当該タッチ領域通知部７４が他の部分とは異なる色で表示されている。
【０３６９】
さらに携帯再生装置１０では、情報表示面１２Ａに音楽選択画面７０を単独で表示した場合も、当該情報表示面１２Ａに対して操作開始タッチ領域を除く部分に親指を接触させて画面上方向摺動操作や画面下方向摺動操作も行わせることができる。
【０３７０】
制御部２０は、音楽選択画面７０の表示中に情報表示面１２Ａに対して画面上方向摺動操作が行われて上スクロール命令が入力されると、音楽タイトル７３のリストを画面上方向へスクロールさせる。
【０３７１】
また制御部２０は、音楽選択画面７０の表示中に情報表示面１２Ａに対して画面下方向摺動操作が行われて下スクロール命令が入力されると、音楽タイトル７３のリストを画面下方向へスクロールさせる。
【０３７２】
さらに携帯再生装置１０では、情報表示面１２Ａにおいて、個々の音楽タイトル７３の表示部分と対向する所定領域（操作開始タッチ領域は除く）それぞれを命令入力用のタップ操作の操作終了タッチ領域に設定している。
【０３７３】
そして携帯再生装置１０では、情報表示面１２Ａに音楽選択画面７０を単独で表示した場合、当該情報表示面１２Ａにおいて音楽タイトル７３の表示部分と対向する操作終了タッチ領域内がタップ操作されると、音楽タイトル７３を任意に選択して再生命令を入力させることができる。
【０３７４】
そして制御部２０は、音楽選択画面７０の表示中に情報表示面１２Ａに対してタップ操作が行われて所望の音楽タイトル７３の音楽データを再生する再生命令が入力されると、これに応じて音楽タイトル７３として選択された音楽データの再生を開始する。
【０３７５】
また制御部２０は、表示モードとしてのリストモードで音楽選択画面データを加工して、ユーザに対し音楽の再生を通知するための表示画面（以下、これを特に音楽再生画面とも呼ぶ）の表示画面データ（以下、これを特に音楽再生画面データとも呼ぶ）を生成する。
【０３７６】
そして制御部２０は、音楽再生画面データを表示部１２に送出することにより情報表示面１２Ａに対して音楽選択画面７０に替えて、当該音楽再生画面データに基づき、図１９との対応部分に同一符号を付した図２０に示すような音楽再生画面８０を表示する。
【０３７７】
音楽再生画面８０の命令通知部７０Ａには、例えば、再生用の各設定項目やジャケット写真画像への表示の切換等を選択可能なオプション画面（図示せず）を当該音楽再生画面８０上に重畳させて表示するためのオプション命令を示すアイコン８１が表示されている。
【０３７８】
一方、音楽再生画面８０のリスト表示部８０Ｂには、再生中の音楽データの音楽タイトル７３の横に、当該音楽データが再生中であることを示すアイコン（以下、これを再生通知アイコンとも呼ぶ）８２が表示されている。
【０３７９】
またリスト表示部８０Ｂには、画面下寄りに、タッチ操作で入力可能な命令として、再生開始及び再生停止命令を示すアイコン８３と、曲送り命令を示すアイコン８４と、曲戻し命令を示すアイコン８５とが表示されている。
【０３８０】
因みに、以下の説明では、再生開始及び再生停止命令を示すアイコン８３を、再生開始アイコン８３とも呼び、曲送り命令を示すアイコン８４を、曲送りアイコン８４とも呼び、曲戻し命令を示すアイコン８５を、曲戻しアイコン８５とも呼ぶ。
【０３８１】
この場合、再生開始アイコン８３、曲送りアイコン８４及び曲戻しアイコン８５は、音楽タイトル７３のリストに重畳されて表示されるものの、個々の下に位置する音楽タイトル７３を透過させて見せるように形成されている。
【０３８２】
また携帯再生装置１０では、情報表示面１２Ａにおいて、再生開始アイコン８３、曲送りアイコン８４及び曲戻しアイコン８５の表示部分と対向する所定領域（操作開始タッチ領域は除く）それぞれを操作終了タッチ領域に設定している。
【０３８３】
そして携帯再生装置１０では、情報表示面１２Ａにおいて再生開始アイコン８３の表示部分と対向する操作終了タッチ領域内がタップ操作される毎に、再生開始命令と再生停止命令とを順次交互に入力させることができる。
【０３８４】
また携帯再生装置１０では、情報表示面１２Ａにおいて曲送りアイコン８４の表示部分と対向する操作終了タッチ領域内がタップ操作されると、再生順序に従い、現在再生中の音楽データに換えて次の音楽データを再生する曲送り命令を入力させることができる。
【０３８５】
さらに携帯再生装置１０では、情報表示面１２Ａにおいて曲戻しアイコン８５の表示部分と対向する操作終了タッチ領域内がタップ操作されると、再生順序に従い、現在再生中の音楽データに換えて１つ前の音楽データを再生する曲戻し命令を入力させることができる。
【０３８６】
ところで携帯再生装置１０では、情報表示面１２Ａにおいて曲送りアイコン８４の表示部分と対向する操作終了タッチ領域内が長押操作されると、その長押操作の間、現在再生中の音楽データを早送り再生する早送り命令も入力させることができる。
【０３８７】
また携帯再生装置１０では、情報表示面１２Ａにおいて曲戻しアイコン８５の表示部分と対向する操作終了タッチ領域内が長押操作されると、その長押操作の間、現在再生中の音楽データを早戻し再生する早戻し命令も入力させることができる。
【０３８８】
このようにして制御部２０は、リストモードでは情報表示面１２Ａに表示する表示画面を、音楽データの階層的な管理構造に準じて上位のジャンル選択画面４０から順次１階層下位のアーティスト選択画面５０、アルバム選択画面６０、音楽選択画面７０へと切り換える。
【０３８９】
これにより制御部２０は、ユーザに対し音楽データの階層的な管理構造を上位から下位へ順に辿らせるようにして音楽データを選択させ、当該選択された音楽データを再生して所望の音楽を聴かせることができる。
【０３９０】
ところで携帯再生装置１０では、情報表示面１２Ａに上述したジャンル選択画面４０を単独で表示した場合、当該情報表示面１２Ａに対して操作開始タッチ領域を除く部分に親指を接触させて画面右方向摺動操作や画面左方向摺動操作も行わせることができる。
【０３９１】
制御部２０は、ジャンル選択画面４０の表示中に情報表示面１２Ａに対して画面右方向摺動操作や画面左方向摺動操作が行われてモード切換命令が入力されると、情報表示面１２Ａに対する表示画面の表示モードをビジュアルモードに切り換える。
【０３９２】
そして制御部２０は、ジャンルリストとジャケット画像データとに基づき表示モードとしてのビジュアルモードで、ジャンル選択画面のジャンル選択画面データを生成する。
【０３９３】
そして制御部２０は、ジャンル選択画面データを表示部１２に送出することにより情報表示面１２Ａに対して当該ジャンル選択画面データに基づき図２１に示すようなジャンル選択画面９０を表示する。
【０３９４】
ジャンル選択画面９０は、画面上側に、画面左右方向と平行な帯状の命令通知部９０Ａが設けられると共に、当該命令通知部９０Ａよりも画面下側にリスト表示部９０Ｂが設けられいる。
【０３９５】
ジャンル選択画面９０の命令通知部９０Ａには、上述したリストモードのジャンル選択画面４０と同様の文字列４１及び４２と、イニシャルサーチアイコン４３とが表示されている。
【０３９６】
一方、ジャンル選択画面９０のリスト表示部９０Ｂには、画面上寄りに、当該ジャンル選択画面９０でユーザに提示するリストの種類を表すリストタイトル９１が表示されている。
【０３９７】
またジャンル選択画面９０のリスト表示部９０Ｂには、複数のジャンル名の代わりに当該ジャンル名毎にまとめられたジャケット写真画像９２が立体的に表示されている。
【０３９８】
ジャンル名毎にまとめられたジャケット写真画像９２は、あたかも画面上奥から画面下手前の方向へジャンル名のアルファベット順で並べられて配置されているように表示されている。
【０３９９】
またジャンル名毎のジャケット写真画像９２は、画面左右方向に対する位置が無作為に選択されて配置され、当該ジャンルに対応するジャケット写真画像９２が複数存在する場合、僅かにずらしながら積み上げられたような状態で表示されている。
【０４００】
これによりジャンル選択画面９０では、ジャンル名毎のアルバム（すなわち、個々のジャンルに属する音楽が収録されたアルバム）の枚数が多いか少ないかを、上述したリストモードのジャンル選択画面４０よりもさらに認識させ易くしている。
【０４０１】
さらにジャンル選択画面９０のリスト表示部９０Ｂには、画面下側に上述したリストモードのジャンル選択画面４０と同様の残量通知アイコン４７と強度通知アイコン４８とが表示されている。
【０４０２】
そして携帯再生装置１０では、情報表示面１２Ａにジャンル選択画面９０を表示した場合、当該情報表示面１２Ａに対して斜め一方向摺動操作を行わせることができる。
【０４０３】
このためジャンル選択画面９０の左下隅部には、操作開始タッチ領域の通知用として、上述したリストモードのジャンル選択画面４０と同様のタッチ領域通知部９３が設けられ、当該タッチ領域通知部９３が他の部分とは異なる色で表示されている。
【０４０４】
これによりジャンル選択画面９０は、タッチ領域通知部９３により、情報表示面１２Ａにおいて、当該タッチ領域通知部９３と対向する所定領域を斜め一方向摺動操作用の操作開始タッチ領域として通知し得るようになされている。
【０４０５】
さらに携帯再生装置１０では、情報表示面１２Ａにジャンル選択画面９０を単独で表示した場合、当該情報表示面１２Ａに対して操作開始タッチ領域を除く部分に親指を接触させて画面上方向摺動操作や画面下方向摺動操作も行わせることができる。
【０４０６】
制御部２０は、ジャンル選択画面９０の表示中に情報表示面１２Ａに対して画面上方向摺動操作が行われて上スクロール命令が入力されると、ジャンル名毎にまとめられたジャケット写真画像９２をあたかも画面下手前から画面上奥へ移動させているようにスクロールさせる。
【０４０７】
また制御部２０は、ジャンル選択画面９０の表示中に情報表示面１２Ａに対して画面下方向摺動操作が行われて下スクロール命令が入力されると、ジャンル名毎にまとめられたジャケット写真画像９２をあたかも画面上奥から画面下手前へ移動させているようにスクロールさせる。
【０４０８】
これにより制御部２０は、ジャンル選択画面９０において、すでに表示していたジャンル名毎のジャケット写真画像９２を画面外へ移動させる分、それまで表示しきれなかった他のジャンル名毎のジャケット写真画像９２を画面内へ移動させて見せることができる。
【０４０９】
さらに携帯再生装置１０では、情報表示面１２Ａにおいて、ジャンル名毎のジャケット写真画像９２の表示部分と対向する所定領域（操作開始タッチ領域は除く）それぞれを命令入力用のタップ操作及び長押操作の操作終了タッチ領域に設定している。
【０４１０】
携帯再生装置１０では、情報表示面１２Ａにジャンル選択画面９０を単独で表示した場合、当該情報表示面１２Ａにおいてジャンル名毎のジャケット写真画像９２の表示部分と対向する操作終了タッチ領域内が長押操作されると、ジャンル名をポップアップ表示するポップアップ表示命令を入力させることができる。
【０４１１】
すなわち制御部２０は、情報表示面１２Ａにジャンル選択画面９０を表示した状態で長押操作が行われてポップアップ表示命令が入力されると、その長押操作された操作終了タッチ領域と対向するジャケット写真画像９２をまとめているジャンル名（図示せず）を当該ジャンル選択画面９０上にポップアップ表示する。
【０４１２】
携帯再生装置１０では、情報表示面１２Ａにジャンル選択画面９０を単独で表示した場合、当該情報表示面１２Ａにおいてジャンル名毎のジャケット写真画像９２の表示部分と対向する操作終了タッチ領域内がタップ操作されると、そのジャケット写真画像９２をまとめているジャンル名を選択する選択命令を入力させることができる。
【０４１３】
制御部２０は、情報表示面１２Ａにジャンル選択画面９０を表示した状態でタップ操作が行われて所望のジャンル名の選択命令が入力されると、ユーザにより選択されたジャンル名に対応するアーティストリストとジャケット画像データとに基づき表示モードとしてのビジュアルモードでアーティスト選択画面のアーティスト選択画面データを生成する。
【０４１４】
そして制御部２０は、アーティスト選択画面データを表示部１２に送出することにより情報表示面１２Ａに対してジャンル選択画面９０に替えて、当該アーティスト選択画面データに基づき図２２に示すようなアーティスト選択画面１００を表示する。
【０４１５】
アーティスト選択画面１００は、画面上側に、画面左右方向と平行な帯状の命令通知部１００Ａが設けられると共に、当該命令通知部１００Ａよりも画面下側にリスト表示部１００Ｂが設けられいる。
【０４１６】
アーティスト選択画面１００の命令通知部１００Ａには、上述したリストモードのアーティスト選択画面５０と同様の文字列４１及び４２が表示されている。
【０４１７】
また命令通知部１００Ａには、上述したリストモードのジアーティスト選択画面５０と同様に、例えば、１つ前のジャンル選択画面９０上でユーザにより選択されたジャンル名に対応する複数のアーティスト名の中から所望のアーティスト名を、そのイニシャルで探索するためのイニシャルサーチ命令を示すイニシャルサーチアイコン５１も表示されている。
【０４１８】
一方、アーティスト選択画面１００のリスト表示部１００Ｂには、画面上寄りに、当該アーティスト選択画面１００でユーザに提示するリストの種類を表すリストタイトル１０１（例えば、ユーザによって選択されたジャンル名）が表示されている。
【０４１９】
またリスト表示部１００Ｂには、ユーザにより選択されたジャンル名に対応する複数のアーティスト名の代わりに、当該アーティスト名毎にまとめられたジャケット写真画像１０２が立体的に表示されている。
【０４２０】
アーティスト名毎にまとめられたジャケット写真画像１０２は、あたかも画面上奥から画面下手前の方向へアーティスト名のアルファベット順で並べられて配置されているように表示されている。
【０４２１】
またアーティスト名毎のジャケット写真画像１０２は、画面左右方向に対する位置が無作為に選択されて配置され、当該アーティスト名に対応するジャケット写真画像１０２が複数存在する場合、僅かにずらしながら積み上げられたような状態で表示されている。
【０４２２】
これによりアーティスト選択画面１００では、アーティスト名毎のアルバム（すなわち、個々のアーティストのアルバム）の枚数が多いか少ないかを、上述したリストモードのアーティスト選択画面５０よりもさらに認識させ易くしている。
【０４２３】
さらにアーティスト選択画面１００のリスト表示部１００Ｂには、上述したリストモードのジャンル選択画面４０と同様の残量通知アイコン４７及び強度通知アイコン４８が表示されている。
【０４２４】
さらに携帯再生装置１０では、情報表示面１２Ａにアーティスト選択画面１００を表示した場合も、当該情報表示面１２Ａに対して斜め一方向摺動操作を行わせることができる。
【０４２５】
このためアーティスト選択画面１００の左下隅部には、上述したリストモードのジャンル選択画面４０と同様のタッチ領域通知部１０３が設けられ、当該タッチ領域通知部１０３が他の部分とは異なる色で表示されている。
【０４２６】
さらに携帯再生装置１０では、情報表示面１２Ａにアーティスト選択画面１００を単独で表示した場合、当該情報表示面１２Ａに対して操作開始タッチ領域を除く部分に親指を接触させて画面上方向摺動操作や画面下方向摺動操作も行わせることができる。
【０４２７】
制御部２０は、アーティスト選択画面１００の表示中に情報表示面１２Ａに対して画面上方向摺動操作が行われて上スクロール命令が入力されると、アーティスト名毎にまとめられたジャケット写真画像１０２をあたかも画面下手前から画面上奥へ移動させているようにスクロールさせる。
【０４２８】
また制御部２０は、アーティスト選択画面１００の表示中に情報表示面１２Ａに対して画面下方向摺動操作が行われて下スクロール命令が入力されると、アーティスト名毎にまとめられたジャケット写真画像１０２をあたかも画面上奥から画面下手前へ移動させているようにスクロールさせる。
【０４２９】
これにより制御部２０は、アーティスト選択画面１００において、すでに表示していたアーティスト名毎のジャケット写真画像１０２を画面外へ移動させる分、それまで表示しきれなかった他のアーティスト名毎のジャケット写真画像１０２を画面内へ移動させて見せることができる。
【０４３０】
さらに携帯再生装置１０では、情報表示面１２Ａにおいて、アーティスト名毎のジャケット写真画像１０２の表示部分と対向する所定領域（操作開始タッチ領域は除く）それぞれを命令入力用のタップ操作及び長押操作の操作終了タッチ領域に設定している。
【０４３１】
携帯再生装置１０では、情報表示面１２Ａにアーティスト選択画面１００を単独で表示した場合、当該情報表示面１２Ａにおいてアーティスト名毎のジャケット写真画像１０２の表示部分と対向する操作終了タッチ領域内が長押操作されると、アーティスト名をポップアップ表示するポップアップ表示命令を入力させることができる。
【０４３２】
すなわち制御部２０は、情報表示面１２Ａにアーティスト選択画面１００を表示した状態で長押操作が行われてポップアップ表示命令が入力されると、その長押操作された操作終了タッチ領域と対向するジャケット写真画像１０２をまとめているアーティスト名（図示せず）を当該アーティスト選択画面１００上にポップアップ表示する。
【０４３３】
携帯再生装置１０では、情報表示面１２Ａにアーティスト選択画面１００を単独で表示した場合、情報表示面１２Ａにおいてアーティスト名毎のジャケット写真画像１０２の表示部分と対向する操作終了タッチ領域内がタップ操作されると、そのジャケット写真画像１０２をまとめているアーティスト名を選択する選択命令を入力させることができる。
【０４３４】
制御部２０は、情報表示面１２Ａにアーティスト選択画面１００を表示した状態でタップ操作が行われて所望のアーティスト名の選択命令が入力されると、ユーザにより選択されたアーティスト名に対応するアルバムリストとジャケット画像データとに基づき表示画面データを生成する。
【０４３５】
すなわち制御部２０は、ユーザにより選択されたアーティスト名に対応するアルバムリストとジャケット画像データとに基づき表示画面データとして、アルバム選択画面のアルバム選択画面データを生成する。
【０４３６】
そして制御部２０は、アルバム選択画面データを表示部１２に送出することにより情報表示面１２Ａに対してアーティスト選択画面１００に替えて、当該アルバム選択画面データに基づき図２３に示すようなアルバム選択画面１１０を表示する。
【０４３７】
アルバム選択画面１１０は、画面上側に、画面左右方向と平行な帯状の命令通知部１１０Ａが設けられると共に、当該命令通知部１１０Ａよりも画面下側にリスト表示部１１０Ｂが設けられいる。
【０４３８】
アルバム選択画面１１０の命令通知部１１０Ａには、上述したリストモードのアルバム選択画面６０と同様の文字列４１及び４２が表示されている。
【０４３９】
また命令通知部１１０Ａには、上述したリストモードのアルバム選択画面６０と同様に、例えば、１つ前のアーティスト選択画面１００上でユーザにより選択されたアーティスト名に対応する複数のアルバムタイトルの中から所望のアルバムタイトルを、そのイニシャルで探索するためのイニシャルサーチ命令を示すイニシャルサーチアイコン６１も表示されている。
【０４４０】
一方、アルバム選択画面１１０のリスト表示部１１０Ｂには、画面上寄りに、当該アルバム選択画面１１０でユーザに提示するリストの種類を表すリストタイトル１１１（例えば、ユーザによって選択されたアーティスト名）が表示されている。
【０４４１】
またリスト表示部１１０Ｂには、ユーザにより選択されたアーティスト名に対応する複数のアルバムタイトルの代わりに、これら複数のアルバムタイトルのアルバムのジャケット写真画像１１２が立体的に表示されている。
【０４４２】
複数のアルバムタイトルに対応する複数のジャケット写真画像１１２は、あたかも画面上奥から画面下手前の方向へ当該アルバムタイトルのアルファベット順で並べられ、かつ画面左右方向に対する位置が無作為に選択されて配置されて表示されている。
【０４４３】
さらにアルバム選択画面１１０のリスト表示部１１０Ｂには、上述したリストモードのジャンル選択画面４０と同様の残量通知アイコン４７及び強度通知アイコン４８が表示されている。
【０４４４】
さらに携帯再生装置１０では、情報表示面１２Ａにアルバム選択画面１１０を表示した場合も、当該情報表示面１２Ａに対して斜め一方向摺動操作を行わせることができる。
【０４４５】
このためアルバム選択画面１１０の左下隅部には、上述したリストモードのジャンル選択画面４０と同様のタッチ領域通知部１１３が設けられ、当該タッチ領域通知部１１３が他の部分とは異なる色で表示されている。
【０４４６】
さらに携帯再生装置１０では、情報表示面１２Ａにアルバム選択画面１１０を単独で表示した場合も、当該情報表示面１２Ａに対して操作開始タッチ領域を除く部分に親指を接触させて画面上方向摺動操作や画面下方向摺動操作も行わせることができる。
【０４４７】
制御部２０は、アルバム選択画面１１０の表示中に情報表示面１２Ａに対して画面上方向摺動操作が行われて上スクロール命令が入力されると、複数のジャケット写真画像１１２をあたかも画面下手前から画面上奥へ移動させているようにスクロールさせる。
【０４４８】
また制御部２０は、アルバム選択画面１１０の表示中に情報表示面１２Ａに対して画面下方向摺動操作が行われて下スクロール命令が入力されると、複数のジャケット写真画像１１２をあたかも画面上奥から画面下手前へ移動させているようにスクロールさせる。
【０４４９】
これにより制御部２０は、アルバム選択画面１１０において、すでに表示していたジャケット写真画像１１２を画面外へ移動させる分、それまで表示しきれなかった他のジャケット写真画像１１２を画面内へ移動させて見せることができる。
【０４５０】
さらに携帯再生装置１０では、情報表示面１２Ａにおいて、個々のジャケット写真画像１１２の表示部分と対向する所定領域（操作開始タッチ領域は除く）それぞれを命令入力用のタップ操作及び長押操作の操作終了タッチ領域に設定している。
【０４５１】
携帯再生装置１０では、情報表示面１２Ａにアルバム選択画面１１０を単独で表示した場合、当該情報表示面１２Ａにおいてジャケット写真画像１１２の表示部分と対向する操作終了タッチ領域内が長押操作されると、アルバムタイトルをポップアップ表示するポップアップ表示命令を入力させることができる。
【０４５２】
すなわち制御部２０は、情報表示面１２Ａにアルバム選択画面１１０を表示した状態で長押操作が行われてポップアップ表示命令が入力されると、その長押操作された操作終了タッチ領域と対向するジャケット写真画像１１２のアルバムのアルバムタイトル（図示せず）を当該アルバム選択画面１１０上にポップアップ表示する。
【０４５３】
携帯再生装置１０では、情報表示面１２Ａにアルバム選択画面１１０を単独で表示した場合、当該情報表示面１２Ａにおいてジャケット写真画像１１２の表示部分と対向する操作終了タッチ領域内がタップ操作されると、そのジャケット写真画像１１２のアルバムのアルバムタイトルを選択する選択命令を入力させることができる。
【０４５４】
制御部２０は、情報表示面１２Ａにアルバム選択画面１１０を表示した状態でタップ操作が行われて所望のアルバムタイトルの選択命令が入力されると、ユーザにより選択されたアルバムタイトルに対応する音楽タイトルリストとジャケット画像データとに基づき表示モードとしてのビジュアルモードで表示画面データを生成する。
【０４５５】
すなわち、制御部２０は、ユーザにより選択されたアルバムタイトルに対応する音楽タイトルリストとジャケット画像データとに基づき表示モードとしてのビジュアルモードで表示画面データとして、音楽選択画面の音楽選択画面データを生成する。
【０４５６】
そして制御部２０は、音楽選択画面データを表示部１２に送出することにより情報表示面１２Ａに対してアルバム選択画面１１０に替えて、当該音楽選択画面データに基づき図２４に示すような音楽選択画面１２０を表示する。
【０４５７】
音楽選択画面１２０は、画面上側に、画面左右方向と平行な帯状の命令通知部１２０Ａが設けられると共に、当該命令通知部１２０Ａよりも画面下側にリスト表示部１２０Ｂが設けられいる。
【０４５８】
音楽選択画面１２０の命令通知部１２０Ａには、上述したリストモードの音楽選択画面７０と同様の文字列４１及び４２が表示されている。
【０４５９】
また命令通知部１２０Ａには、上述したリストモードの音楽選択画面７０と同様に、例えば、１つ前のアルバム選択画面１１０上でユーザにより選択されたアルバムタイトルに対応する複数の音楽タイトルの中から所望の音楽タイトルを、そのイニシャルで探索するためのイニシャルサーチ命令を示すイニシャルサーチアイコン６１も表示されている。
【０４６０】
一方、音楽選択画面１２０のリスト表示部１２０Ｂには、画面上寄りに、当該音楽選択画面１２０でユーザに提示するリストの種類を表すリストタイトル１２１（例えば、ユーザによって選択されたアルバムタイトル）が表示されている。
【０４６１】
また音楽選択画面１２０のリスト表示部１２０Ｂには、その中央部に、ユーザにより選択されたアルバムタイトルのアルバムのジャケット写真画像１２２が表示されている。
【０４６２】
さらにリスト表示部１２０Ｂには、ユーザにより選択されたアルバムタイトルのアルバムに収録されている複数の音楽の音楽タイトル１２３が、あたかも画面上奥から画面下手前の方向へ、例えば、対応する音楽データの再生順序で並べられ、画面左右方向に対する位置が無作為に選択されて配置されて表示されている。
【０４６３】
さらに音楽選択画面１２０のリスト表示部１２０Ｂには、上述したリストモードのジャンル選択画面４０と同様の残量通知アイコン４７及び強度通知アイコン４８が表示されている。
【０４６４】
さらに携帯再生装置１０では、情報表示面１２Ａに音楽選択画面１２０を表示した場合も、当該情報表示面１２Ａに対して斜め一方向摺動操作を行わせることができる。
【０４６５】
このため音楽選択画面１２０の左下隅部には、上述したリストモードのジャンル選択画面４０と同様のタッチ領域通知部１２４が設けられ、当該タッチ領域通知部１２４が他の部分とは異なる色で表示されている。
【０４６６】
さらに携帯再生装置１０では、情報表示面１２Ａに音楽選択画面１２０を単独で表示した場合も、当該情報表示面１２Ａに対して操作開始タッチ領域を除く部分に親指を接触させて画面上方向摺動操作や画面下方向摺動操作も行わせることができる。
【０４６７】
制御部２０は、音楽選択画面１２０の表示中に情報表示面１２Ａに対して画面上方向摺動操作が行われて上スクロール命令が入力されると、音楽タイトル１２３をジャケット写真画像１２２の上を通して、あたかも画面下手前から画面上奥へ移動させているようにスクロールさせる。
【０４６８】
また制御部２０は、音楽選択画面１２０の表示中に情報表示面１２Ａに対して画面下方向摺動操作が行われて下スクロール命令が入力されると、音楽タイトル１２３をジャケット写真画像１２２の上を通して、あたかも画面上奥から画面下手前へ移動させているようにスクロールさせる。
【０４６９】
さらに携帯再生装置１０では、情報表示面１２Ａにおいて、個々の音楽タイトル１２３の表示部分と対向する所定領域（操作開始タッチ領域は除く）それぞれを命令入力用のタップ操作の操作終了タッチ領域に設定している。
【０４７０】
そして携帯再生装置１０では、情報表示面１２Ａに音楽選択画面１２０を単独で表示した場合、当該情報表示面１２Ａにおいて音楽タイトル１２３の表示部分と対向する操作終了タッチ領域内がタップ操作されると、音楽タイトル１２３を任意に選択して再生命令を入力させ得るようにしている。
【０４７１】
そして制御部２０は、音楽選択画面１２０の表示中に情報表示面１２Ａに対してタップ操作が行われて所望の音楽タイトル１２３の音楽データを再生する再生命令が入力されると、これに応じて音楽タイトル１２３として選択された音楽データの再生を開始する。
【０４７２】
また制御部２０は、表示モードとしてのビジュアルモードで音楽選択画面データを加工して、音楽再生画面の音楽再生画面データを生成する。
【０４７３】
そして制御部２０は、音楽再生画面データを表示部１２に送出することにより情報表示面１２Ａに対して音楽選択画面１２０に替えて、当該音楽再生画面データに基づき、図２４との対応部分に同一符号を付した図２５に示すような音楽再生画面１３０を表示する。
【０４７４】
音楽再生画面１３０には、画面上側に、画面左右方向と平行な帯状の命令通知部１３０Ａが設けられると共に、当該命令通知部１３０Ａよりも画面下側に再生音楽通知部１３０Ｂが設けられいる。
【０４７５】
音楽再生画面１３０の命令通知部１３０Ａには、例えば、上述したリストモードの音楽再生画面８０と同様のアイコン８１が表示されている。
【０４７６】
一方、音楽再生画面１３０の再生音楽通知部１３０Ｂには、再生中の音楽データに対応するアーティスト名１３１、アルバムタイトル１３２、音楽タイトル１３３及びジャケット写真画像１３４が表示されている。
【０４７７】
また再生音楽通知部１３０Ｂには、上述したリストモードの音楽再生画面８０と同様の再生開始アイコン８３、曲送りアイコン８４及び曲戻しアイコン８５が表示されている。
【０４７８】
そして携帯再生装置１０では、情報表示面１２Ａに音楽再生画面１３０を表示した場合、上述したリストモードの音楽再生画面８０と同様に、再生開始命令、再生停止命令、曲送り命令、曲戻し命令、早送り命令及び早戻し命令を入力させることができる。
【０４７９】
このようにして制御部２０は、ビジュアルモードでも情報表示面１２Ａに表示する表示画面を、音楽データの階層的な管理構造に準じて上位のジャンル選択画面９０から順次１階層下位のアーティスト選択画面１００、アルバム選択画面１１０、音楽選択画面１２０へと切り換える。
【０４８０】
これにより制御部２０は、ユーザに対し音楽データの階層的な管理構造を上位から下位へ順に辿らせるようにして音楽データを選択させ、当該選択された音楽データを再生して所望の音楽を聴かせることができる。
【０４８１】
ところで携帯再生装置１０では、情報表示面１２Ａに上述したリストモードのアーティスト選択画面５０やアルバム選択画面６０を単独で表示した場合も、情報表示面１２Ａに対して上述と同様に画面右方向摺動操作や画面左方向摺動操作を行わせることができる。
【０４８２】
また携帯再生装置１０では、情報表示面１２Ａに上述したリストモードの音楽選択画面７０や音楽再生画面８０を単独で表示した場合も、情報表示面１２Ａに対して上述と同様に画面右方向摺動操作や画面左方向摺動操作を行わせることができる。
【０４８３】
さらに携帯再生装置１０では、情報表示面１２Ａに上述したビジュアルモードのジャンル選択画面９０やアーティスト選択画面１００を単独で表示した場合も、情報表示面１２Ａに対して上述と同様に画面右方向摺動操作や画面左方向摺動操作を行わせることができる。
【０４８４】
さらに携帯再生装置１０では、情報表示面１２Ａに上述したビジュアルモードのアルバム選択画面１１０や音楽選択画面１２０、音楽再生画面１３０を単独で表示した場合も、情報表示面１２Ａに対して上述と同様に画面右方向摺動操作や画面左方向摺動操作を行わせることができる。
【０４８５】
そして図２６に示すように、制御部２０は、情報表示面１２Ａにビジュアルモードのジャンル選択画面９０を単独で表示した状態で画面右方向摺動操作や画面左方向摺動操作が行われると、当該情報表示面１２Ａに対しビジュアルモードのジャンル選択画面９０に替えてリストモードのジャンル選択画面４０を表示させる。
【０４８６】
また制御部２０は、情報表示面１２Ａにリストモードのアーティスト選択画面５０及びビジュアルモードのアーティスト選択画面１００の一方を単独で表示した状態で画面右方向摺動操作や画面左方向摺動操作が行われると、当該情報表示面１２Ａに対しこれらの一方に替えて他方を表示させる。
【０４８７】
さらに制御部２０は、情報表示面１２Ａにリストモードのアルバム選択画面６０及びビジュアルモードのアルバム選択画面１１０の一方を単独で表示した状態で画面右方向摺動操作や画面左方向摺動操作が行われると、当該情報表示面１２Ａに対しこれらの一方に替えて他方を表示させる。
【０４８８】
さらに制御部２０は、情報表示面１２Ａにリストモードの音楽選択画面７０及びビジュアルモードの音楽選択画面１２０の一方を単独で表示した状態で画面右方向摺動操作や画面左方向摺動操作が行われると、当該情報表示面１２Ａに対しこれらの一方に替えて他方を表示させる。
【０４８９】
さらに制御部２０は、情報表示面１２Ａにリストモードの音楽再生画面８０及びビジュアルモードの音楽再生画面１３０の一方を単独で表示した状態で画面右方向摺動操作や画面左方向摺動操作が行われると、当該情報表示面１２Ａに対しこれらの一方に替えて他方を表示させる。
【０４９０】
このようにして制御部２０は、表示部１２の情報表示面１２Ａに対しリストモードの表示画面とビジュアルモードの表示画面とを容易に切り替えて表示させることができる。
【０４９１】
ところで携帯再生装置１０では、情報表示面１２Ａにリストモードのジャンル選択画面４０を単独で表示した状態で、情報表示面１２Ａの操作開始タッチ領域が操作終了タッチ領域としてタップ操作されると、情報表示面１２Ａに表示する表示画面を１つ上の階層の表示画面に戻す階層戻し命令を入力させることができる。
【０４９２】
また携帯再生装置１０では、情報表示面１２Ａに上述したリストモードのアーティスト選択画面５０やアルバム選択画面６０、音楽選択画面７０、音楽再生画面８０を単独で表示した状態で、当該情報表示面１２Ａの操作開始タッチ領域が操作終了タッチ領域としてタップ操作されても、同様に階層戻し命令を入力させることができる。
【０４９３】
さらに携帯再生装置１０では、情報表示面１２Ａに上述したビジュアルモードのジャンル選択画面９０やアーティスト選択画面１００を単独で表示した状態で、当該情報表示面１２Ａの操作開始タッチ領域が操作終了タッチ領域としてタップ操作されても、同様に階層戻し命令を入力させることができる。
【０４９４】
さらに携帯再生装置１０では、情報表示面１２Ａに上述したビジュアルモードのアルバム選択画面１１０や音楽選択画面１２０、音楽再生画面１３０を単独で表示した状態で、当該情報表示面１２Ａの操作開始タッチ領域が操作終了タッチ領域としてタップ操作されても、同様に階層戻し命令を入力させることができる。
【０４９５】
すなわち、制御部２０は、情報表示面１２Ａにリストモードの音楽選択画面７０や音楽再生画面８０を単独で表示した状態でタップ操作により階層戻し命令が入力されると、情報表示面１２Ａに対し表示モードは変えずに１階層上位のアルバム選択画面６０や音楽選択画面７０を表示する。
【０４９６】
また制御部２０は、情報表示面１２Ａにリストモードのアーティスト選択画面５０やアルバム選択画面６０を単独で表示した状態でタップ操作により階層戻し命令が入力されると、情報表示面１２Ａに対し表示モードは変えずに１階層上位のジャンル選択画面４０やアーティスト選択画面５０を表示する。
【０４９７】
さらに制御部２０は、情報表示面１２Ａにビジュアルモードの音楽選択画面１２０や音楽再生画面１３０を単独で表示した状態でタップ操作により階層戻し命令が入力されると、情報表示面１２Ａに対し表示モードは変えずに１階層上位のアルバム選択画面１１０や音楽選択画面１２０を表示する。
【０４９８】
さらに制御部２０は、情報表示面１２Ａにビジュアルモードのアーティスト選択画面１００やアルバム選択画面１１０を単独で表示した状態でタップ操作により階層戻し命令が入力されると、情報表示面１２Ａに対し表示モードは変えずに１階層上位のジャンル選択画面９０やアーティスト選択画面１００を表示する。
【０４９９】
このようにして制御部２０は、何れかの表示モードの表示画面を表示した状態で階層戻し命令が入力されると、情報表示面１２Ａに対し１つ前に表示していた表示画面の表示モードが異なっていても、何ら気にせずに現在の表示モードと同一の表示モードでかつ１階層上位の表示画面を容易に表示することができる。
【０５００】
ただし制御部２０は、情報表示面１２Ａにリストモードのジャンル選択画面４０を単独で表示した状態でタップ操作により階層戻し命令が入力されると、情報表示面１２Ａに対し１階層上位の表示画面として、当該ジャンル選択画面４０の表示を選択可能な後述するホームメニュー画面を表示する。
【０５０１】
また制御部２０は、情報表示面１２Ａにビジュアルモードのジャンル選択画面９０を単独で表示した状態でタップ操作により階層戻し命令が入力された場合も、情報表示面１２Ａに対し１階層上位の表示画面として、当該ジャンル選択画面９０の表示を選択可能な後述するホームメニュー画面を表示する。
【０５０２】
ところで携帯再生装置１０では、例えば、情報表示面１２Ａにビジュアルモードのアーティスト選択画面１００を単独で表示した状態で、上述したように情報表示面１２においてイニシャルサーチアイコン５１の表示部分と対向する操作終了タッチ領域がタップ操作されると、イニシャルサーチ命令を入力させることができる。
【０５０３】
制御部２０は、かかるイニシャルサーチ命令が入力されると、アーティスト選択画面データを加工してイニシャルサーチ用の表示画面の表示画面データを生成する。
【０５０４】
因みに、以下の説明では、イニシャルサーチ用の表示画面を、イニシャルサーチ画面とも呼び、当該イニシャルサーチ画面の表示画面データを、イニシャルサーチ画面データとも呼ぶ。
【０５０５】
そして制御部２０は、イニシャルサーチ画面データを表示部１２に送出することにより情報表示面１２Ａに対して当該イニシャルサーチ画面データに基づき図２７に示すようなイニシャルサーチ画面１４０を表示する。
【０５０６】
この場合、イニシャルサーチ画面１４０は、画面上側に、画面左右方向と平行な帯状の命令通知部１４０Ａが設けられると共に、当該命令通知部１４０Ａよりも画面下側にリスト表示部１４０Ｂが設けられいる。
【０５０７】
イニシャルサーチ画面１４０の命令通知部１４０Ａには、上述したビジュアルモードのアーティスト選択画面１００と同様の文字列４１及び４２と、イニシャルサーチアイコン５１とが表示されている。
【０５０８】
またイニシャルサーチ画面１４０のリスト表示部１４０Ｂには、上述したビジュアルモードのアーティスト選択画像１００と同様に、アーティスト名毎にまとめられたジャケット写真画像１０２が立体的に表示されている。
【０５０９】
さらにリスト表示部１４０Ｂには、ジャケット写真画像１０２上に、イニシャル選択用のアルファベットが１文字ずつ表示された複数のアイコン１４１が、画面下方向に沿って、アルファベット順に１列に並べて配置されている。
【０５１０】
因みに、以下の説明では、イニシャル選択用のアルファベットが１文字ずつ表示されたアイコン１４１を、イニシャル選択アイコン１４１とも呼ぶ。
【０５１１】
またイニシャルサーチ画面１４０のリスト表示部１４０Ｂには、上述したビジュアルモードのアーティスト選択画面１００と同様の残量通知アイコン４７及び強度通知アイコン４８も表示されている。
【０５１２】
ところでリスト表示部１４０Ｂには、情報表示面１２Ａに対しアーティスト選択画面１００に替えてイニシャルサーチ画面１４０が表示されたとき、その表示の切替直前に当該アーティスト選択画面１００のリスト表示部１００Ｂに表示されていたジャケット写真画像１０２が表示状態をそのままに表示されている。
【０５１３】
そして各イニシャル選択アイコン１４１は、下に位置するジャケット写真画像１０２を透かして見せることができるように形成されている。
【０５１４】
このため、イニシャルサーチ画面１４０は、リスト表示部１４０Ｂの表示内容により、何れの表示画面（この場合は、ビジュアルモードのアーティスト選択画面１００）から切り替えられて表示されたのかを容易に認識させることができる。
【０５１５】
これによりイニシャルサーチ画面１４０は、表示切替前のアーティスト選択画面１００の変わりに用いて当該アーティスト選択画面１００と同様に、すでに選択されたジャンル名に対応する複数のアーティスト名の中から所望のアーティスト名を選択するために、当該アーティスト名が探索可能であることを直感的に認識させることができる。
【０５１６】
実際に携帯再生装置１０では、情報表示面１２Ａにイニシャルサーチ画面１４０を表示した場合、当該情報表示面１２Ａに対して画面上方向摺動操作や画面下方向摺動操作も行わせることができる。
【０５１７】
そして制御部２０は、イニシャルサーチ画面１４０の表示中に情報表示面１２Ａに対して画面上方向摺動操作が行われて上スクロール命令が入力されると、各イニシャル選択アイコン１４１を画面上方向へスクロールさせる。
【０５１８】
また制御部２０は、イニシャルサーチ画面１４０の表示中に情報表示面１２Ａに対して画面下方向摺動操作が行われて下スクロール命令が入力されると、各イニシャル選択アイコン１４１を画面下方向へスクロールさせる。
【０５１９】
これにより制御部２０は、イニシャルサーチ画面１４０において、すでに表示していたイニシャル選択アイコン１４１を画面外へ移動させる分、それまで表示しきれなかった他のイニシャル選択アイコン１４１を画面内へ移動させて見せることができる。
【０５２０】
さらに携帯再生装置１０では、情報表示面１２Ａにおいて、個々のイニシャル選択アイコン１４１の表示部分と対向する所定領域それぞれを命令入力用のタップ操作の操作終了タッチ領域に設定している。
【０５２１】
そして携帯再生装置１０では、イニシャルサーチ画面１４０を表示した情報表示面１２Ａにおいて各イニシャル選択アイコン１４１の表示部分と対向する操作終了タッチ領域内がタップ操作されると、そのイニシャル選択アイコン１４１に表示されたイニシャル（アルファベット）を選択する選択命令を入力させることができる。
【０５２２】
制御部２０は、情報表示面１２Ａにイニシャルサーチ画面１４０を表示した状態でタップ操作が行われて所望のイニシャルの選択命令が入力されると、ユーザによって選択されたイニシャルに応じてリスト表示部１４０Ｂ内でジャケット写真画像１０２を画面下方向又は画面下方向へスクロールさせる。
【０５２３】
これにより制御部２０は、ユーザによりすでに選択されていたジャンル名に対応する複数のアーティスト名の中から、当該ユーザによりさらに選択されたイニシャルのアーティスト名に対応するジャケット写真画像１０２をリスト表示部１４０Ｂの中央（すなわち、画面上下方向の中央）に表示する。
【０５２４】
この状態で携帯再生装置１０では、例えば、情報表示面１２においてイニシャルサーチアイコン５１の表示部分と対向する操作終了タッチ領域がタップ操作されると、イニシャルサーチの解除命令を入力させることができる。
【０５２５】
よって制御部２０は、情報表示面１２においてイニシャルサーチアイコン５１の表示部分と対向する操作終了タッチ領域がタップ操作され解除命令が入力されると、再びアーティスト選択画面データを生成して表示部１２に送出する。
【０５２６】
これにより制御部２０は、情報表示面１２Ａに対しイニシャルサーチ画面１４０に替えてビジュアルモードのアーティスト選択画面１００を表示するものの、リスト表示部１４０Ｂの中央には、ユーザにより選択されたイニシャルのアーティスト名に対応するジャケット写真画像１０２をそのまま表示している。
【０５２７】
制御部２０は、ユーザにタッチ操作でアーティスト選択画面１００内のジャケット写真画像１０２をスクロールさせながら所望のアーティスト名に対応するジャケット写真画像１０２を探せなくても、イニシャルサーチ画面１４０に表示を切り替えることで所望のアーティスト名に対応するジャケット写真画像１０２を容易に探させることができる。
【０５２８】
また制御部２０は、情報表示面１２Ａに対し、図１６乃至図１９及び図２１乃至２４について上述した何れの表示画面を表示した状態でもイニシャルサーチ命令が入力されると、当該イニシャルサーチ命令が入力されたときの表示画面をもとにして上述したイニシャルサーチ画面１４０と同様構成のイニシャルサーチ画面を生成して表示する。
【０５２９】
そして制御部２０は、そのイニシャルサーチ画面上で、上述と同様にイニシャルを選択させて、当該選択されたイニシャルのジャンル名やアルバムタイトルに対応するジャケット写真画像又はアーティスト名やアルバムタイトルのリスト、音楽タイトルをリスト表示部の中央（すなわち、画面上下方向の中央）に表示させることができる。
【０５３０】
ところで制御部２０は、例えば、情報表示面１２Ａにビジュアルモードのアーティスト選択画面１００を単独で表示した状態で、ホームボタン１４が押下操作されホームメニュー表示命令が入力されると、アーティスト選択画面データを加工してホームメニュー用の表示画面の表示画面データを生成する。
【０５３１】
因みに、以下の説明では、ホームメニュー用の表示画面を、ホームメニュー画面とも呼び、当該ホームメニュー画面の表示画面データを、ホームメニュー画面データとも呼ぶ。
【０５３２】
そして制御部２０は、ホームメニュー画面データを表示部１２に送出することにより情報表示面１２Ａに対して当該ホームメニュー画面データに基づき図２８に示すようなホームメニュー画面１５０を表示する。
【０５３３】
ホームメニュー画面１５０は、画面上端から画面下端に亘り、上述したビジュアルモードのアーティスト選択画像１００と同様に、アーティスト名毎にまとめられたジャケット写真画像１０２が立体的に表示されている。
【０５３４】
またホームメニュー画面１５０の中央部には、制御部２０が実行可能な例えば、９つの機能を示すアイコン１５１乃至１５９がマトリクス状に配置されている。
【０５３５】
実際に各アイコン１５１乃至１５９としては、イニシャルサーチ機能を示すアイコン（以下、これをサーチ機能アイコンとも呼ぶ）１５１や、映像データのデータ再生機能を示すアイコン（以下、これを映像再生機能アイコンとも呼ぶ）１５２がある。
【０５３６】
また各アイコン１５１乃至１５９としては、情報表示面１２Ａに音楽再生画面８０を表示する再生画面表示機能を示すアイコン（以下、これを再生画面表示機能アイコンとも呼ぶ）１５３や、テレビジョン放送の受信機能を示すアイコン（以下、これをテレビジョン受信機能アイコンとも呼ぶ）１５４もある。
【０５３７】
さらに各アイコン１５１乃至１５９としては、音楽データのデータ再生機能を示すアイコン（以下、これを音楽再生機能アイコンとも呼ぶ）１５５や、ラジオ放送の受信機能を示すアイコン（以下、これをラジオ受信機能アイコンとも呼ぶ）１５６もある。
【０５３８】
さらに各アイコン１５１乃至１５９としては、音楽データのシャッフル再生機能を示すアイコン（以下、これをシャッフル再生機能アイコンとも呼ぶ）１５７や、写真画像データの再生機能を示すアイコン（以下、これを写真画像再生機能アイコンとも呼ぶ）１５８もある。
【０５３９】
さらに各アイコン１５１乃至１５９としては、設定機能を示すアイコン（以下、これを設定機能アイコンとも呼ぶ）１５９もある。
【０５４０】
携帯再生装置１０では、ホームメニュー画面１５０を表示した情報表示面１２Ａにおいて各アイコン１５１乃至１５９の表示部分と対向する所定領域がタップ操作用の操作終了タッチ領域に設定されている。
【０５４１】
そして携帯再生装置１０では、ホームメニュー画面１５０を表示した情報表示面１２Ａにおいて各アイコン１５１乃至１５９の表示部分と対向する操作終了タッチ領域内がタップ操作されると、そのアイコン１５１乃至１５９が示す機能を選択する機能選択命令を入力させることができる。
【０５４２】
よって制御部２０は、情報表示面１２Ａにホームメニュー画面１５０を表示した状態でタップ操作が行われて種々の機能選択命令が入力されると、これに応じて上述したような各種機能を実現する。
【０５４３】
因みに、制御部２０は、情報表示面１２Ａに対し図１６乃至図２５について何れの表示画面を生じている状態でも、ホームメニュー表示命令が入力されると、当該ホームメニュー表示命令が入力されたときの表示画面をもとにして、上述したホームメニュー画面１５０と同様構成のホームメニュー画面を生成して表示することができる。
【０５４４】
そして制御部２０は、そのホームメニュー画面上で、上述と同様に各種機能を選択する機能選択命令を入力させることができる。
【０５４５】
かかる構成に加えて制御部２０は、例えば、情報表示面１２Ａにビジュアルモードのアーティスト選択画面１００を単独で表示した状態で、情報表示面１２Ａに対し斜め一方向摺動操作が行われてアイコン表示命令が入力されると、当該アーティスト選択画面１００の表示状態を変更する。
【０５４６】
すなわち、図２２との対応部分に同一符号を付した図２９に示すように、制御部２０は、このときユーザによって行われた斜め一方向摺動操作に応じて、情報表示面１２Ａに単独で表示していたアーティスト選択画面１００に複数のメニューアイコン１６０乃至１６７を重畳させて表示する。
【０５４７】
例えば、各メニューアイコン１６０乃至１６７は、それぞれ異なる形状に形成されている。そして各メニューアイコン１６０乃至１６７は、例えば、その形状により、コンテンツ記憶部２２に記憶している複数の音楽データの再生順序を所定の基準に従って並べ替える（すなわち、ソートする）処理の種類（すなわち、実行可能な処理メニューの項目）を示している。
【０５４８】
因みに、これら各メニューアイコン１６０乃至１６７は、実行可能なソート処理の種類を示していることにより、以下の説明では、これら各メニューアイコン１６０乃至１６７を、特にソートアイコン１６０乃至１６７とも呼ぶ。
【０５４９】
実際にソートアイコン１６０乃至１６７としては、例えば、複数の音楽データの再生順序をジャンル名やアーティスト名、アルバムタイトル、音楽タイトルのアルファベット順を基準として並べ替えるようなソート処理を示すものがある。
【０５５０】
またソートアイコン１６０乃至１６７としては、例えば、複数の音楽データの再生順序を音楽のリリース年や、情報提供装置及びコンピュータ装置からの取得年月日、評価値（例えば、再生頻度）、プレイリストを基準にして並べ替えるようなソート処理を示すものもある。
【０５５１】
そして携帯再生装置１０では、斜め一方向摺動装置に応じてアーティスト選択画面１００上に各ソートアイコン１６０乃至１６７を重畳させて表示した場合、情報表示面１２Ａにおいて当該ソートアイコン１６０乃至１６７の表示部分と対向する所定領域をタップ操作用の操作終了タッチ領域に設定している。
【０５５２】
また携帯再生装置１０では、情報表示面１２Ａにおいてソートアイコン１６０乃至１６７の表示部分と対向する所定領域内がタップ操作されたときに入力可能な命令を、当該ソートアイコン１６０乃至１６７が示すソート処理の実行命令に設定している。
【０５５３】
従って制御部２０は、アーティスト選択画面１００上に各ソートアイコン１６０乃至１６７を重畳させて表示した状態で情報表示面１２Ａに対しタップ操作が行われてソート処理の実行命令が入力されると、そのソート処理を実行して複数の音楽データの再生順序を並べ替える。
【０５５４】
そして制御部２０は、その並べ替えた再生順序を示すソートリスト（図示せず）を生成し、当該生成したソートリストを表示部１２に送出して情報表示面１２Ａに表示する。
【０５５５】
この場合のソートリストは、ジャンル名やアーティスト名等をアルファベット順で並べて示すリストや、プレイリストに登録している音楽データ固有の識別情報を、その順番通り音楽タイトルに置き換えて示すリスト等である。
【０５５６】
このようにして制御部２０は、情報表示面１２Ａに表示したソートリストにより音楽データの再生順序をユーザに提示し、この状態で例えばユーザにより再生停止ボタン１４が押下操作され再生開始命令が入力されると、当該音楽データをソートリストに従った順番で再生する。
【０５５７】
ところで図３０に示すように、制御部２０は、情報表示面１２Ａに対し斜め一方向摺動操作が行われると、各ソートアイコン１６０乃至１６７をあたかも操作開始タッチ領域の外側からアーティスト選択画面１００内に引き込むように移動させて表示している。
【０５５８】
ただし制御部２０は、タッチ操作の種類を判別する場合、上述したようにタッチ操作継続時間が比較基準時間を経過した状態でタッチ操作終了時点までの間に比較基準変位量以上の最大変位量を検出すると、その時点にタッチ位置間線分角度を検出している。
【０５５９】
そして制御部２０が、このようなタッチ操作の種類の判別に利用する比較基準変位量については、ユーザによって情報表示面１２Ａ上で斜め一方向摺動操作を行なわれている間に親指が動かされる距離に比べ、十分に短い距離に選定されている。
【０５６０】
このため制御部２０は、ユーザにより情報表示面１２Ａに対し斜め一方向摺動操作が行われた場合、その斜め一方向摺動操作が開始されて比較速い時点に、当該斜め一方向摺動操作が行われたと判別して、入力された命令を検出することができる。
【０５６１】
言い換えると、ユーザにより行われる斜め一方向摺動操作は、制御部２０により斜め一方向摺動操作が行われたと判別され、入力された命令が検出された後も、暫くの間は行われ続けていることになる。
【０５６２】
よって制御部２０は、情報表示面１２Ａに対し斜め一方向摺動操作が行われてアイコン表示命令の入力されたことを検出すると、斜め一方向摺動操作による親指のタッチ位置の変位の速度（すなわち、親指の移動速度）を検出する。
【０５６３】
因みに、以下の説明では、情報表示面１２Ａにおける親指のタッチ位置の変位き速度を、特にタッチ位置変位速度とも呼ぶ。
【０５６４】
この際、制御部２０は、斜め一方向摺動操作のタッチ操作開始時点から計時を開始していたタッチ操作継続時間と、当該タッチ操作開始時点の開始時点タッチ位置を起点として検出していたタッチ軌跡長さとに基づいてタッチ位置変位速度を検出する。
【０５６５】
ただし制御部２０は、斜め一方向摺動操作が行われている間、タッチ位置検出部２４により新たなタッチ位置が検出される毎に、タッチ軌跡の長さ（以下、これをタッチ軌跡長さとも呼ぶ）も検出し直して更新している。
【０５６６】
よって制御部２０は、斜め一方向摺動操作が行われている間、タッチ軌跡長さの検出結果を更新する毎に、その時点のタッチ操作継続時間と、当該更新したタッチ軌跡の長とに基づきタッチ位置変位速度も順次検出する。
【０５６７】
そして制御部２０は、斜め一方向摺動操作が行われている間は、タッチ位置変位速度を検出する毎に、当該タッチ位置変位速度を、予め選定された所定の比較基準速度と比較すると共に、タッチ軌跡長さを、予め選定された所定の比較基準長さと比較する。
【０５６８】
その結果、制御部２０は、タッチ軌跡長さが比較基準長さよりも短く、かつタッチ位置変位速度が比較基準速度よりも遅いと、各ソートアイコン１６０乃至１６７をあたかも操作開始タッチ領域の外側から当該タッチ位置変位速度とほぼ同じ速度でアーティスト選択画面１００内に引き込むように移動させる。
【０５６９】
これにより制御部２０は、タッチ位置変位速度が比較基準速度よりも遅いうちは、図３０に示したように各ソートアイコン１６０乃至１６７を、情報表示面１２Ａ上で変位しているタッチ位置、すなわち移動している親指に追従させるようにして、操作開始タッチ領域の外側からアーティスト選択画面１００内に徐々に引き込むように移動させる。
【０５７０】
ただし制御部２０は、タッチ位置変位速度が比較基準速度より遅くても、タッチ軌跡長さが比較基準長さに達したことを検出すると（例えば、親指がアーティスト選択画面１００の中央部を超えて画面右方向へ移動すると）、その時点に各ソートアイコン１６０乃至１６７を、アーティスト選択画面１００内の最終的な表示位置まで急激に移動させる。
【０５７１】
因みに、以下の説明では、斜め一方向摺動操作により表示画面上でアイコンを最終的に表示させる表示位置、すなわち、アイコンを表示画面上で移動させて当該表示画面上で最終的に固定して表示する表示位置を、最終表示位置とも呼ぶ。
【０５７２】
これにより制御部２０は、図２９に示したようにアーティスト選択画面１００上の所定位置（すなわち、最終表示位置）に各ソートアイコン１６０乃至１６７を重畳させて表示する。
【０５７３】
また制御部２０は、タッチ軌跡長さが比較基準長さより短くても、タッチ位置変位速度が比較基準速度以上であることを検出すると、その時点に、各ソートアイコン１６０乃至１６７を、アーティスト選択画面１００内の最終表示位置まで急激に移動させる。
【０５７４】
このようにして制御部２０は、ユーザにより斜め一方向摺動操作が行われた場合、各ソートアイコン１６０乃至１６７をあたかも操作開始タッチ領域の外側からアーティスト選択画面１００内に引き込むように移動させて最終表示位置に表示する。
【０５７５】
ここで、斜め一方向摺動操作のために動かされる親指の移動速度や移動距離は、ユーザ毎に差があると思われ、同一のユーザであっても携帯再生装置１０の使用状況によっては異なる場合があると考えられる。
【０５７６】
このため制御部２０は、タッチ操作が行われたときには、その開始時点早々にタッチ操作の種類を判別して、入力された命令を検出している。
【０５７７】
しかしながら制御部２０は、情報表示面１２Ａに対し斜め一方向摺動操作が行われると、各ソートアイコン１６０乃至１６７を親指の移動速度及び移動距離に応じた移動のさせ方で操作開始タッチ領域の外側からアーティスト選択画面１００内に入り引き込むように移動させて表示している。
【０５７８】
これにより制御部２０は、ユーザが斜め一方向摺動操作のために親指を比較的長く（すなわち、時間的な長さや距離としての長さ）移動させるつもりが、斜め一方向摺動操作の開始早々にアーティスト選択画面１００上での各ソートアイコン１６０乃至１６７の表示が完了して、操作に違和感が生じることを未然に回避している。
【０５７９】
また制御部２０は、ユーザが斜め一方向摺動操作のために親指を素早くかつ短い距離だけ移動させて、その操作を終了させているにもかかわらず、アーティスト選択画面１００上での各ソートアイコン１６０乃至１６７の表示が完了せずに、操作に違和感が生じることも未然に回避している。
【０５８０】
すなわち制御部２０は、ユーザに対し何ら違和感を生じさせずに快適に斜め一方向摺動操作を行わせることができる。
【０５８１】
これに加えて制御部２０は、アーティスト選択画面１００上への各ソートアイコン１６０乃至１６７の表示が完了する前（最終表示位置に表示する前）に、斜め一方向摺動操作の終了を検出すると、アーティスト選択画面１００内に引き込んでいた各ソートアイコン１６０乃至１６７を操作開始タッチ領域から外側に追い出すようにして消去する。
【０５８２】
これにより制御部２０は、ユーザにより斜め一方向摺動操作を中断するために情報表示面１２Ａから親指が離されたときや、誤操作に気付いて情報表示面１２Ａから親指が離されたときに、各ソートアイコン１６０乃至１６７をアーティスト選択画面１００上の最終表示位置に表示することを回避することができる。
【０５８３】
すなわち、制御部２０は、各ソートアイコン１６０乃至１６７をアーティスト選択画面１００上に表示するつもりがないにもかかわらずに、アーティスト選択画面１００上に各ソートアイコン１６０乃至１６７を表示したことで、この後、ソートアイコン１６０乃至１６７を消去させるように無駄に操作させることを回避することができる。
【０５８４】
ところで制御部２０は、アーティスト選択画面１００に各ソートアイコン１６０乃至１６７を重畳させて表示した状態で、情報表示面１２Ａに対し斜め他方向摺動操作が行われてアイコン消去命令が入力されると、アーティスト選択画面１００上の各ソートアイコン１６０乃至１６７を操作開始タッチ領域から外側に追い出すようにして消去している。
【０５８５】
そして制御部２０は、このような斜め他方向摺動操作が行われたときも、上述した斜め一方向摺動操作が行われたときと同様に、その斜め他方向摺動操作が開始されて比較速い時点に、当該斜め他方向摺動操作が行われたと判別して、入力された命令を検出している。
【０５８６】
すなわち、ユーザにより行われる斜め他方向摺動操作も、斜め一方向摺動操作の場合と同様に、制御部２０により斜め他方向摺動操作が行われたと判別され、入力された命令が検出された後も、暫くの間は行われ続けていることになる。
【０５８７】
よって制御部２０は、情報表示面１２Ａに対し斜め他方向摺動操作が行われてアイコン消去命令の入力されたことを検出すると、上述と同様に斜め他方向摺動操作によるタッチ位置変位速度を検出する。
【０５８８】
この際、制御部２０は、上述した斜め一方向摺動操作の場合と同様に、斜め他方向摺動操作が行われている間、タッチ軌跡長さを順次更新しながら、タッチ位置変位速度を順次検出する。
【０５８９】
そして制御部２０は、斜め他方向摺動操作が行われている間は、タッチ位置変位速度を検出する毎に、当該タッチ位置変位速度を比較基準速度と比較すると共に、タッチ軌跡長さを比較基準長さと比較する。
【０５９０】
制御部２０は、タッチ軌跡長さが比較基準長さよりも短く、かつタッチ位置変位速度が比較基準速度よりも遅いと、アーティスト選択画面１００上の各ソートアイコン１６０乃至１６７をタッチ位置変位速度とほぼ同じ速度で移動させて操作開始タッチ領域の外側に追い出すようにする。
【０５９１】
これにより制御部２０は、タッチ位置変位速度が比較基準速度よりも遅いうちは、各ソートアイコン１６０乃至１６７を、情報表示面１２Ａ上で変位しているタッチ位置、すなわち移動している親指に追従させるように、アーティスト選択画面１００上から操作開始タッチ領域の外側に徐々に追い出すように表示する。
【０５９２】
ただし制御部２０は、タッチ位置変位速度が比較基準速度より遅くても、タッチ軌跡長さが比較基準長さに達したことを検出すると（例えば、親指がアーティスト選択画面１００の画面右側から中央部を超えると）、その時点に各ソートアイコン１６０乃至１６７を、アーティスト選択画面１００上から操作開始タッチ領域の外側に急激に移動させる。
【０５９３】
これにより制御部２０は、アーティスト選択画面１００上から各ソートアイコン１６０乃至１６７を完全に消去する。
【０５９４】
また制御部２０は、タッチ軌跡長さが比較基準長さより短くても、タッチ位置変位速度が比較基準速度以上であることを検出すると、その時点に、各ソートアイコン１６０乃至１６７を、アーティスト選択画面１００上から操作開始タッチ領域の外側に急激に移動させて消去する。
【０５９５】
このようにして制御部２０は、ユーザにより斜め他方向摺動操作が行われた場合、各ソートアイコン１６０乃至１６７をあたかもアーティスト選択画面１００上から操作開始タッチ領域の外側に追い出すようにして最終的には完全に消去する。
【０５９６】
ここで、斜め他方向摺動操作のために動かされる親指の移動速度や移動距離は、斜め一方向摺動操作の場合と同様に、ユーザ毎に差があると思われ、同一のユーザであっても携帯再生装置１０の使用状況によっては異なる場合があると考えられる。
【０５９７】
しかしながら制御部２０は、情報表示面１２Ａに対し斜め他方向摺動操作が行われると、各ソートアイコン１６０乃至１６７を親指の移動速度及び移動距離に応じた移動のさせ方で、アーティスト選択画面１００上から操作開始タッチ領域の外側に追い出すようにして消去している。
【０５９８】
これにより制御部２０は、ユーザが斜め他方向摺動操作のために親指を比較的長く（すなわち、時間的な長さや距離としての長さ）移動させるつもりが、斜め他方向摺動操作の開始早々にアーティスト選択画面１００上から各ソートアイコン１６０乃至１６７が完了に消去されて、操作に違和感が生じることを未然に回避している。
【０５９９】
また制御部２０は、ユーザが斜め他方向摺動操作のために親指を素早くかつ短い距離だけ移動させて、その操作を終了させているにもかかわらず、アーティスト選択画面１００上からの各ソートアイコン１６０乃至１６７の消去が完了せずに、操作に違和感が生じることも未然に回避している。
【０６００】
すなわち制御部２０は、ユーザに対し何ら違和感を生じさせずに快適に斜め他方向摺動操作を行わせることができる。
【０６０１】
これに加えて制御部２０は、アーティスト選択画面１００上から各ソートアイコン１６０乃至１６７の消去が完了する前に、斜め他方向摺動操作の終了を検出すると、アーティスト選択画面１００上から追い出しかけていた各ソートアイコン１６０乃至１６７を再びアーティスト選択画面１００上の元の表示位置（すなわち、最終表示位置）に戻す。
【０６０２】
これにより制御部２０は、ユーザにより斜め他方向摺動操作を中断するために情報表示面１２Ａから親指が離されたときや、誤操作に気付いて情報表示面１２Ａから親指が離されたときに、各ソートアイコン１６０乃至１６７がアーティスト選択画面１００上から完全に消去されることを回避することができる。
【０６０３】
すなわち、制御部２０は、アーティスト選択画面１００上から各ソートアイコン１６０乃至１６７を消去するつもりがないにもかかわらずに、アーティスト選択画面１００上から各ソートアイコン１６０乃至１６７を消去したことで、この後、再び各ソートアイコン１６０乃至１６７を表示させるように無駄に操作させることを回避することができる。
【０６０４】
ところで制御部２０は、情報表示面１２Ａにリストモードのジャンル選択画面４０やアーティスト選択画面５０、アルバム選択画面６０、音楽選択画面７０を表示した場合に斜め一方向摺動操作が行われてアイコン表示命令が入力されると、上述と同様にソートアイコン１６０乃至１６７を表示する。
【０６０５】
また制御部２０は、情報表示面１２Ａにビジュアルモードのジャンル選択画面９０やアルバム選択画面１１０、音楽選択画面１２０を表示した場合に斜め一方向摺動操作が行われてアイコン表示命令が入力されても、上述と同様にソートアイコン１６０乃至１６７を表示する。
【０６０６】
そして制御部２０は、リストモードのジャンル選択画面４０やアーティスト選択画面５０、アルバム選択画面６０、音楽選択画面７０にソートアイコン１６０乃至１６７を重畳させて表示した状態で斜め他方向摺動操作が行われてアイコン消去命令が入力されると、上述と同様にソートアイコン１６０乃至１６７を消去する。
【０６０７】
また制御部２０は、ビジュアルモードのジャンル選択画面９０やアルバム選択画面１１０、音楽選択画面１２０にソートアイコン１６０乃至１６７を重畳させて表示した状態で斜め他方向摺動操作が行われてアイコン消去命令が入力されても、上述と同様にソートアイコン１６０乃至１６７を消去する。
【０６０８】
ところで制御部２０は、例えば、情報表示面１２Ａにビジュアルモードの音楽再生画面１３０を単独で表示した状態で、情報表示面１２Ａに対し斜め一方向摺動操作が行われてアイコン表示命令が入力されると、当該音楽再生画面１３０上には上述のソートアイコン１６０乃至１６７とは異なる複数のメニューアイコンを表示して表示状態を変更する。
【０６０９】
すなわち、図２５との対応部分に同一符号を付した図３１に示すように、制御部２０は、このときユーザによって行われた斜め一方向摺動操作に応じて、情報表示面１２Ａに単独で表示していた音楽再生画面１３０に複数のメニューアイコン１７０乃至１７６を重畳させて表示する。
【０６１０】
各メニューアイコン１７０乃至１７６は、それぞれ異なる形状や絵柄に形成されている。そして各メニューアイコン１７０乃至１７６は、例えば、その形状や絵柄により、インターネット上の種々の情報提供装置に情報を検索要求する処理の種類（すなわち、実行可能な処理メニューの項目）を示している。
【０６１１】
因みに、これら各メニューアイコン１７０乃至１７６は、実行可能な検索要求処理の種類を示していることにより、以下の説明では、これら各メニューアイコン１７０乃至１７６を、特に検索アイコン１７０乃至１７６とも呼ぶ。
【０６１２】
実際に検索アイコン１７０乃至１７６としては、例えば、情報提供装置に所望のアーティストの音楽データを購入用に検索要求するための検索要求処理を示すものや、情報提供装置に所望のアーティストに関連する書籍を検索要求するための検索要求処理を示すものがある。
【０６１３】
また検索アイコン１７０乃至１７６としては、例えば、情報提供装置に所望のアーティストの経歴を検索要求するための検索要求処理を示すものや、情報提供装置に所望のアーティストに関連するイベント情報を検索要求するための検索要求処理を示すものもある。
【０６１４】
さらに検索アイコン１７０乃至１７６としては、例えば、情報提供装置に所望のアーティストに関連する音楽（すなわち、所望のアーティストが他のアーティストと共演して演奏した音楽や、他のアーティストに提供した音楽等）を検索要求するための検索要求処理を示すものもある。
【０６１５】
さらに検索アイコン１７０乃至１７６としては、例えば、情報提供装置に所望のアーティストに関連するテキスト情報（すなわち、再生中の音楽データに基づく音楽の歌詞等）を検索要求するための検索要求処理を示すものもある。
【０６１６】
さらにまた検索アイコン１７０乃至１７６としては、例えば、情報提供装置に所望のアーティストに関連する動画像（すなわち、所望のアーティストのミュージッククリップ等）を検索要求するための検索要求処理を示すものもある。
【０６１７】
そして携帯再生装置１０では、斜め一方向摺動装置に応じて音楽再生画面１３０上に各検索アイコン１７０乃至１７６を重畳させて表示した場合、情報表示面１２Ａにおいて当該検索アイコン１７０乃至１７６の表示部分と対向する所定領域をタップ操作用の操作終了タッチ領域に設定している。
【０６１８】
また携帯再生装置１０では、情報表示面１２Ａにおいて各検索アイコン１７０乃至１７６の表示部分と対向する所定領域内がタップ操作されたときに入力可能な命令を、当該検索アイコン１７０乃至１７６が示す検索要求処理の実行命令に設定している。
【０６１９】
従って制御部２０は、音楽再生画面１３０上に各検索アイコン１７０乃至１７６を重畳させて表示した状態で情報表示面１２Ａに対しタップ操作が行われて検索要求処理の実行命令が入力されると、その検索要求処理を実行する。
【０６２０】
この際、制御部２０は、例えば、この時点に再生中の音楽データに対応するアーティスト名を検索キーとして、当該検索キーを実行中の検索要求処理に対応する検索条件と共に格納し、その検索条件に従って所望の情報の検索を要求する検索要求データを生成する。
【０６２１】
さらに制御部２０は、予めネットワークアドレス等で登録している種々の情報提供装置のうち、その検索条件で所望の情報を検索可能な情報提供装置を選択する。
【０６２２】
そして制御部２０は、検索要求データを無線通信部３５により最寄りのアクセスポイントを介してインターネット上の、その選択した情報提供装置に送信する。
【０６２３】
その結果、制御部２０は、情報提供装置から検索要求データに含まれる検索キーを用いて所望の情報が検索され、当該所望の情報を提示可能な表示画面データがアクセスポイント経由で送信されると、表示画面データを無線通信部３５によって受信して取り込む。
【０６２４】
そして制御部２０は、その表示画面データを表示部１２に送出することにより当該表示画面データに基づき図３２に示すような表示画面（以下、これを検索情報画面とも呼ぶ）１８０を表示する。
【０６２５】
この場合、検索情報画面１８０には、例えば、検索キーとしてのアーティスト名のアーティストにより発表されたアルバムのアルバムタイトル１８１とジャケット写真画像１８２とが一覧表示されている。
【０６２６】
また検索情報画面１８０には、例えばタップ操作により入力可能な命令として、アルバムの購入命令を示すアイコン１８３も表示されている。
【０６２７】
検索情報画面１８０の表示画面データには、例えば、当該検索情報画面１８０を表示した情報表示面１２Ａに対するタップ操作により購入命令を入力可能にするための処理手法を示す情報が付加されている。
【０６２８】
よって携帯再生装置１０では、情報表示面１２Ａに検索情報画面１８０を表示した場合、当該情報表示面１２Ａにおいてアイコン１８３の表示部分と対向する所定領域をタップ操作用の操作終了タッチ領域に設定する。
【０６２９】
これにより携帯再生装置１０では、検索情報画面１８０を表示した情報表示面１２Ａの操作終了タッチ領域内がタップ操作されると、購入命令を入力させることができる。
【０６３０】
そして制御部２０は、検索情報画面１８０を表示した情報表示面１２Ａに対しタップ操作が行われて購入命令が入力されると、処理手法を示す情報に従い、ユーザによりタップ操作で購入命令の入力と共に選択されていたアルバムとして音楽データを購入要求する購入要求データ情報を生成する。
【０６３１】
よって制御部２０は、その購入要求データを無線通信部３５により最寄りのアクセスポイントを介してインターネット上の情報提供装置に送信し、かくして上述した場合と同様に、その情報提供装置から送信された音楽データをコンテンツ記憶部２２に記録するようにして購入することができる。
【０６３２】
ところで制御部２０は、情報表示面１２Ａにビジュアルモードの音楽再生画面１３０を表示した場合に斜め一方向摺動操作が行われてアイコン表示命令が入力されると、上述したソートアイコン１６０乃至１６７を表示する場合と同様に検索アイコン１７０乃至１７６を表示する。
【０６３３】
また制御部２０は、ビジュアルモードの音楽再生画面１３０に検索アイコン１７０乃至１７６を重畳させて表示した状態で斜め他方向摺動操作が行われてアイコン消去命令が入力されると、上述したソートアイコン１６０乃至１６７を消去する場合と同様に検索アイコン１７０乃至１７６を消去する。
【０６３４】
さらに制御部２０は、情報表示面１２Ａにリストモードの音楽再生画面８０を表示した場合に斜め一方向摺動操作が行われてアイコン表示命令が入力されても、上述したソートアイコン１６０乃至１６７を表示する場合と同様に検索アイコン１７０乃至１７６を表示する。
【０６３５】
また制御部２０は、リストモードの音楽再生画面８０に検索アイコン１７０乃至１７６を重畳させて表示した状態で斜め他方向摺動操作が行われてアイコン消去命令が入力されても、上述したソートアイコン１６０乃至１６７を表示する場合と同様に検索アイコン１７０乃至１７６を消去する。
【０６３６】
（２−３）情報処理手順
次いで、図３３乃至図３４を用いて、制御部２０が斜め一方向摺動操作及び斜め他方向摺動操作に応じてソートアイコン１６０乃至１６７や検索アイコン１７０乃至１７６を表示しまた消去する情報処理手順について説明する。
【０６３７】
因みに、以下の情報処理手順の説明では、ソートアイコン１６０乃至１６７や検索アイコン１７０乃至１７６を、便宜上、まとめてメニューアイコンとも呼ぶ。
【０６３８】
また、以下の情報処理手順の説明では、図１６乃至図２５について上述したジャンル選択画面４０及び９０やアーティスト選択画面５０及び１００等を、便宜上、まとめて表示画面とも呼ぶ。
【０６３９】
制御部２０は、表示部１２の情報表示面１２Ａに図１６乃至図２５について上述した表示画面を表示した状態で当該情報表示面１２Ａがタッチ操作され、タッチ位置検出部２４によりタッチ位置が検出され始めると、図３３に示す情報処理手順ＲＴ１を開始する。
【０６４０】
制御部２０は、かかる情報処理手順ＲＴ１を開始すると、ステップＳＰ１において、このとき情報表示面１２Ａに対し斜め一方向摺動操作が命令入力用に実行可能であるか否かを判別する。
【０６４１】
このステップＳＰ１において肯定結果が得られると、このことは例えば、情報表示面１２Ａに表示した表示画面上にメニューアイコンを未だ表示してはいないため、メニューアイコンの表示用に斜め一方向摺動操作の実行される可能性があることを表している。
【０６４２】
制御部２０は、ステップＳＰ１において、かかる肯定結果を得ると、次のステップＳＰ２に移る。ステップＳＰ２において制御部２０は、斜め一方向摺動操作に応じて、外部から表示画面内にメニューアイコンを引き込んで表示するアイコン引込表示処理を実行した後、次のステップＳＰ３に移り、かかる情報処理手順ＲＴ１を終了する。
【０６４３】
またステップＳＰ１において否定結果が得られると、このことは例えば、情報表示面１２Ａに表示した表示画面上にすでにメニューアイコンを表示しているため、メニューアイコンの消去用に斜め他方向摺動操作の実行される可能性があることを表している。
【０６４４】
制御部２０は、ステップＳＰ１において、かかる否定結果を得ると、ステップＳＰ４に移る。ステップＳＰ４において制御部２０は、斜め他方向摺動操作に応じて、表示画面上のメニューアイコンを外部に追い出して消去するアイコン追出消去処理を実行した後、次のステップＳＰ３に移り、かかる情報処理手順ＲＴ１を終了する。
【０６４５】
実際に制御部２０は、ステップＳＰ２に移ると、図３４に示すアイコン引込表示処理サブルーチンＳＲＴ１を開始する。
【０６４６】
制御部２０は、かかるアイコン引込表示処理サブルーチンＳＲＴ１を開始すると、ステップＳＰ１１において開始時点タッチ位置が操作開始タッチ領域内に入っているか否かを判別する。
【０６４７】
このステップＳＰ１１において肯定結果が得られると、このことは、このとき情報表示面１２Ａに対し、タッチ操作として斜め一方向摺動操作、又は操作開始タッチ領域を操作終了タッチ領域とするタップ操作が行われている可能性があることを表している。
【０６４８】
よって制御部２０は、ステップＳＰ１１において、かかる肯定結果を得ると、次のステップＳＰ１２に移る。
【０６４９】
ステップＳＰ１２において制御部２０は、タッチ操作継続時間が比較基準時間を経過したか否かを判別する。
【０６５０】
このステップＳＰ１２において肯定結果が得られると、このことは、このとき情報表示面１２Ａに親指を比較基準時間以上接触させていることにより、タッチ操作として斜め一方向摺動操作が行われている可能性が高いことを表している。
【０６５１】
よって制御部２０は、ステップＳＰ１２において、かかる肯定結果を得ると、次のステップＳＰ１３に移る。
【０６５２】
ステップＳＰ１３において制御部２０は、最大変位量が比較基準変位量以上であるか否かを判別する。
【０６５３】
このステップＳＰ１３において肯定結果が得られると、このことは、このとき情報表示面１２Ａに接触している親指が滑るように動かされていることにより、タッチ操作として斜め一方向摺動操作が行われている可能性がさらに高いことを表している。
【０６５４】
よって制御部２０は、ステップＳＰ１３において、かかる肯定結果を得ると、次のステップＳＰ１４に移る。
【０６５５】
ステップＳＰ１４において制御部２０は、タッチ位置間線分角度が、斜め一方向摺動操作判別用の判別条件に含まれている方向検出用角度範囲内の角度であるか否かを判別する。
【０６５６】
このステップＳＰ１４において肯定結果が得られると、このことは、このとき情報表示面１２Ａに対して行われたタッチ操作が、斜め一方向摺動操作であることを表している。
【０６５７】
よって制御部２０は、ステップＳＰ１４において、かかる肯定結果を得ると、次のステップＳＰ１５に移る。
【０６５８】
ステップＳＰ１５において制御部２０は、メニューアイコンを操作開始タッチ領域の外側から表示画面内に引き込むように移動させ始める。
【０６５９】
また制御部２０は、斜め一方向摺動操作により情報表示面１２Ａ上で変位しているタッチ位置のタッチ位置変位速度が比較基準速度以上であるか否かを判別する。
【０６６０】
このステップＳＰ１５において肯定結果が得られると、このことは斜め一方向摺動操作により情報表示面１２Ａ上で親指が比較的早く動かされていることを表している。
【０６６１】
よって制御部２０は、ステップＳＰ１５において、かかる肯定結果を得ると、次のステップＳＰ１６に移る。
【０６６２】
そしてステップＳＰ１６において制御部２０は、操作開始タッチ領域の外側から表示画面内に引き込むように移動させていたメニューアイコンを最終表示位置まで急激に移動させる。
【０６６３】
これにより制御部２０は、表示画面の最終表示位置にメニューアイコンを重畳させて固定的に表示して、次のステップＳＰ１７に移り、かかるアイコン引込表示処理サブルーチンＳＲＴ１を終了する。
【０６６４】
そして制御部２０は、このようにアイコン引込表示処理サブルーチンＳＲＴ１を終了すると、情報処理手順ＲＴ１のステップＳＰ３に移る。
【０６６５】
ところで、上述したステップＳＰ１５において否定結果が得られると、このことは斜め一方向摺動操作により情報表示面１２Ａ上で親指が比較的ゆっくりと動かされていることを表している。
【０６６６】
よって制御部２０は、ステップＳＰ１５において、かかる否定結果を得ると、ステップＳＰ１８に移る。
【０６６７】
ステップＳＰ１８において制御部２０は、メニューアイコンを、情報表示面１２Ａ上で移動している親指に追従させるようにして、操作開始タッチ領域の外側から表示画面内に徐々に引き込むように移動させて、次のステップＳＰ１９に移る。
【０６６８】
ステップＳＰ１９において制御部２０は、タッチ軌跡長さが比較基準長さ以上になったか否かを判別する。
【０６６９】
このステップＳＰ１９において肯定結果が得られると、このことは情報表示面１２Ａ上で親指が操作開始タッチ領域内から、最終表示位置と対向する位置の近くまで移動したことを表している。
【０６７０】
よって制御部２０は、ステップＳＰ１９において、かかる肯定結果を得ると、ステップＳＰ１６に移る。
【０６７１】
またステップＳＰ１９において否定結果が得られると、このことは情報表示面１２Ａ上で親指が操作開始タッチ領域内から出るように移動してはいるものの、未だ操作開始タッチ領域からそれほど離れてはいないことを表している。
【０６７２】
よって制御部２０は、ステップＳＰ１９において、かかる否定結果を得ると、ステップＳＰ２０に移る。
【０６７３】
ステップＳＰ２０において制御部２０は、ユーザにより情報表示面１２Ａに対して行われていた斜め一方向摺動操作が終了したか否かを判別する。
【０６７４】
このステップＳＰ２０において否定結果が得られると、このことはユーザにより情報表示面１２Ａ上で親指が動かされていて、斜め一方向摺動操作が行われている途中であることを表している。
【０６７５】
よって制御部２０は、ステップＳＰ２０において、かかる否定結果を得ると、ステップＳＰ１８に戻る。
【０６７６】
これに対してステップＳＰ２０において肯定結果が得られると、このことはメニューアイコンを表示画面の最終表示位置に未だ表示し終えてはいないものの、ユーザにより情報表示面１２Ａから親指が離されて斜め一方向摺動操作が中断されたことを表している。
【０６７７】
よって制御部２０は、ステップＳＰ２０において、かかる肯定結果を得ると、次のステップＳＰ２１に移る。
【０６７８】
ステップＳＰ２１において制御部２０は、操作開始タッチ領域の外部から表示画面内に引き込みかけていたメニューアイコンを、当該表示画面内から操作開始タッチ領域の外部へ追い出すように戻して消去した後、ステップＳＰ１７に移る。
【０６７９】
これによりステップＳＰ１７において制御部２０は、アイコン引込表示処理サブルーチンＳＲＴ１を終了する。
【０６８０】
因みに、上述のステップＳＰ１２において否定結果が得られると、このことは、このとき情報表示面１２Ａに対し、操作開始タッチ領域を操作終了タッチ領域とするタップ操作が行われて階層戻し命令が入力されたことを表している。
【０６８１】
よって制御部２０は、ステップＳＰ１２において、かかる否定結果を得ると、ステップＳＰ２２に移る。そしてステップＳＰ２２において制御部２０は、情報表示面１２Ａに表示する表示画面を、１つ上の階層の表示画面に戻した後、ステップＳＰ１７に移ってアイコン引込表示処理サブルーチンＳＲＴ１を終了する。
【０６８２】
また上述のステップＳＰ１１において否定結果が得られると、このことは、情報表示面１２Ａに対し、斜め一方向摺動操作、及び操作開始タッチ領域を操作終了タッチ領域とするタップ操作とは異なるタッチ操作が行われている可能性があることを表している。
【０６８３】
よって制御部２０は、ステップＳＰ１１において、かかる否定結果を得ると、その斜め一方向摺動操作及びタップ操作とは異なるタッチ操作が行われているか否かを判別する。
【０６８４】
そして制御部２０は、何ら命令が入力されなければ、そのままステップＳＰ１７に移り、タッチ操作により命令が入力されると、その命令に応じた処理を実行した後、ステップＳＰ１７に移ってアイコン引込表示処理サブルーチンＳＲＴ１を終了する。
【０６８５】
さらに上述のステップＳＰ１３において否定結果が得られると、このことは、このとき情報表示面１２Ａに接触している親指がほとんど動かされてはないことにより、斜め一方向摺動操作は行われていないことを表している。
【０６８６】
よって制御部２０は、ステップＳＰ１３において、かかる否定結果を得ると、ステップＳＰ１７に移ってアイコン引込表示処理サブルーチンＳＲＴ１を終了する。
【０６８７】
さらに上述のこのステップＳＰ１４において否定結果が得られると、このことは、このとき情報表示面１２Ａに接触している親指が斜め一方向摺動操作のための移動方向とは異なる方向へ動かされており、斜め一方向摺動操作は行われていないことを表している。
【０６８８】
よって制御部２０は、ステップＳＰ１４において、かかる否定結果を得ると、ステップＳＰ１７に移ってアイコン引込表示処理サブルーチンＳＲＴ１を終了する。
【０６８９】
一方、制御部２０は、ステップＳＰ４に移ると、図３５に示すアイコン追出消去処理サブルーチンＳＲＴ２を開始する。
【０６９０】
制御部２０は、かかるアイコン追出消去処理サブルーチンＳＲＴ２を開始すると、ステップＳＰ３１において開始時点タッチ位置が操作終了タッチ領域内に入っているか否かを判別する。
【０６９１】
このステップＳＰ３１において肯定結果が得られると、このことは、このとき情報表示面１２Ａに対し、タッチ操作として斜め他方向摺動操作とは異なるタッチ操作が行われている可能性があることを表している。
【０６９２】
よって制御部２０は、ステップＳＰ３１において、かかる肯定結果を得ると、次のステップＳＰ３２に移る。
【０６９３】
ステップＳＰ３２において制御部２０は、タッチ操作継続時間が比較基準時間に達する前にタッチ操作が終了したか否かを判別する。
【０６９４】
このステップＳＰ３２において肯定結果が得られると、このことは、このとき情報表示面１２Ａに対しタッチ操作としてタップ操作が行われていることを表している。
【０６９５】
よって制御部２０は、ステップＳＰ３２において、かかる肯定結果を得ると、次のステップＳＰ３３に移る。
【０６９６】
ステップＳＰ３３において制御部２０は、そのタップ操作によって入力された命令に応じた処理を実行した後、次のステップＳＰ３４に移って、かかるアイコン追出消去処理サブルーチンＳＲＴ２を終了する。
【０６９７】
そして制御部２０は、このようにアイコン追出消去処理サブルーチンＳＲＴ２を終了すると、情報処理手順ＲＴ１のステップＳＰ３に移る。
【０６９８】
因みに、制御部２０は、上述のステップＳＰ３３において否定結果を得ると、斜め他方向摺動操作及びタップ操作とは異なるタッチ操作が行われているか否かを判別する。
【０６９９】
そして制御部２０は、何ら命令が入力されなければ、そのままステップＳＰ３４に移り、タッチ操作により命令が入力されると、その命令に応じた処理を実行した後、ステップＳＰ３４に移ってアイコン追出消去処理サブルーチンＳＲＴ２を終了する。
【０７００】
ところで上述のステップＳＰ３１において否定結果が得られると、このことは、このとき情報表示面１２Ａに対し、タッチ操作として斜め他方向摺動操作が行われている可能性があることを表している。
【０７０１】
よって制御部２０は、ステップＳＰ３１において、かかる肯定結果を得ると、次のステップＳＰ３５に移る。
【０７０２】
ステップＳＰ３５において制御部２０は、最大変位量が比較基準変位量以上であるか否かを判別する。
【０７０３】
このステップＳＰ３５において肯定結果が得られると、このことは、このとき情報表示面１２Ａに接触している親指が滑るように動かされていることにより、タッチ操作として斜め他方向摺動操作が行われている可能性がさらに高いことを表している。
【０７０４】
よって制御部２０は、ステップＳＰ３５において、かかる肯定結果を得ると、次のステップＳＰ３６に移る。
【０７０５】
ステップＳＰ３６において制御部２０は、タッチ位置間線分角度が、斜め他方向摺動操作判別用の判別条件に含まれている方向検出用角度範囲内の角度であるか否かを判別する。
【０７０６】
このステップＳＰ３６において肯定結果が得られると、このことは、このとき情報表示面１２Ａに対して行われたタッチ操作が、斜め他方向摺動操作であることを表している。
【０７０７】
よって制御部２０は、ステップＳＰ３６において、かかる肯定結果を得ると、次のステップＳＰ３７に移る。
【０７０８】
ステップＳＰ３７において制御部２０は、表示画面の最終表示位置のメニューアイコンを操作開始タッチ領域の外側へ追い出すように移動させ始める。
【０７０９】
また制御部２０は、斜め他方向摺動操作により情報表示面１２Ａ上で変位しているタッチ位置のタッチ位置変位速度が比較基準速度以上であるか否かを判別する。
【０７１０】
このステップＳＰ３７において肯定結果が得られると、このことは斜め他方向摺動操作により情報表示面１２Ａ上で親指が比較的早く動かされていることを表している。
【０７１１】
よって制御部２０は、ステップＳＰ３７において、かかる肯定結果を得ると、次のステップＳＰ３８に移る。
【０７１２】
そしてステップＳＰ３８において制御部２０は、表示画面内から操作開始タッチ領域の外側へ追い出すように移動させていたメニューアイコンを当該操作開始タッチ領域の外側へ急激に移動させる。
【０７１３】
これにより制御部２０は、メニューアイコンを表示画面内から操作開始タッチ領域の外部へ完全に追い出して消去した後、ステップＳＰ３４に移り、かかるアイコン追出消去処理サブルーチンＳＲＴ２を終了する。
【０７１４】
また上述したステップＳＰ３７において否定結果が得られると、このことは斜め他方向摺動操作により情報表示面１２Ａ上で親指が比較的ゆっくりと動かされていることを表している。
【０７１５】
よって制御部２０は、ステップＳＰ３７において、かかる否定結果を得ると、ステップＳＰ３９に移る。
【０７１６】
ステップＳＰ３９において制御部２０は、メニューアイコンを、情報表示面１２Ａ上で移動している親指に追従させるようにして、表示画面内から操作開始タッチ領域の外側へ徐々に追い出すように移動させて、次のステップＳＰ４０に移る。
【０７１７】
ステップＳＰ４０において制御部２０は、タッチ軌跡長さが比較基準長さ以上になったか否かを判別する。
【０７１８】
このステップＳＰ４０において肯定結果が得られると、このことは情報表示面１２Ａ上で親指が操作開始タッチ領域の近くまで移動したことを表している。
【０７１９】
よって制御部２０は、ステップＳＰ４０において、かかる肯定結果を得ると、ステップＳＰ３８に移る。
【０７２０】
またステップＳＰ４０において否定結果が得られると、このことは情報表示面１２Ａ上で親指が操作開始タッチ領域に向かって移動してはいるものの、未だ操作開始タッチ領域から比較的離れていることを表している。
【０７２１】
よって制御部２０は、ステップＳＰ４０において、かかる否定結果を得ると、ステップＳＰ４１に移る。
【０７２２】
ステップＳＰ４１において制御部２０は、ユーザにより情報表示面１２Ａに対して行われていた斜め他方向摺動操作が終了したか否かを判別する。
【０７２３】
このステップＳＰ４１において否定結果が得られると、このことはユーザにより情報表示面１２Ａ上で親指が動かされていて、斜め他方向摺動操作が行われている途中であることを表している。
【０７２４】
よって制御部２０は、ステップＳＰ４１において、かかる否定結果を得ると、ステップＳＰ３９に戻る。
【０７２５】
これに対してステップＳＰ４１において肯定結果が得られると、このことは表示画面上からメニューアイコンを未だ消去し終えてはいないものの、ユーザにより情報表示面１２Ａから親指が離されて斜め他方向摺動操作が中断されたことを表している。
【０７２６】
よって制御部２０は、ステップＳＰ４１において、かかる肯定結果を得ると、次のステップＳＰ４２に移る。
【０７２７】
ステップＳＰ４２において制御部２０は、表示画面上から操作開始タッチ領域の外部へ追い出しかけていたメニューアイコンを、当該表示画面上に引き込むように戻して最終表示位置に表示した後、ステップＳＰ３４に移る。
【０７２８】
これによりステップＳＰ３４において制御部２０は、アイコン追出消去処理サブルーチンＳＲＴ２を終了する。
【０７２９】
因みに、上述のステップＳＰ３５において否定結果が得られると、このことは、このとき情報表示面１２Ａに接触している親指がほとんど動かされてはないことにより、斜め他方向摺動操作は行われていないことを表している。
【０７３０】
よって制御部２０は、ステップＳＰ３５において、かかる否定結果を得ると、ステップＳＰ３４に移ってアイコン追出消去処理サブルーチンＳＲＴ２を終了する。
【０７３１】
また上述のこのステップＳＰ３６において否定結果が得られると、このことは、このとき情報表示面１２Ａに接触している親指が斜め他方向摺動操作のための移動方向とは異なる方向へ動かされており、斜め他方向摺動操作は行われていないことを表している。
【０７３２】
よって制御部２０は、ステップＳＰ３６において、かかる否定結果を得ると、ステップＳＰ３４に移ってアイコン追出消去処理サブルーチンＳＲＴ２を終了する。
【０７３３】
（２−４）第１の実施の形態による動作及び効果
以上の構成において、携帯再生装置１０は、片手又は両手で挟持可能な本体部１１を有し、当該本体部１１の正面１１Ａに配置されたタッチ操作可能な情報表示面１２Ａに種々の表示画面を表示する。
【０７３４】
この状態で携帯再生装置１０は、情報表示面１２Ａに対しタッチ操作が行われて親指が接触すると、そのタッチ位置を検出し、当該検出したタッチ位置を示すタッチ位置検出データを生成する。
【０７３５】
また携帯再生装置１０は、そのタッチ位置検出データに基づき、情報表示面１２Ａに対して行われたタッチ操作の種類を判別する。
【０７３６】
その結果、携帯再生装置１０は、情報表示面１２Ａに対して行われたタッチ操作が、当該情報表示面１２Ａにおいて利き手の親指を、本体部１１を挟持している利き手の小指側の操作開始タッチ領域内から、当該親指側の画面縁部に斜めに向かう斜め一方向へ滑らすように移動させる斜め一方向摺動操作であると判別すると、表示画面にメニューアイコンを重畳させて表示する。
【０７３７】
このようにして携帯再生装置１０は、手で本体部１１が挟持されたときに当該手の親指が情報表示面１２Ａと対向するように位置すると、親指をその根本部分を支点として斜め一方向へ動かし易いことを利用して、メニューアイコンを表示させるためのアイコン表示命令を入力する際、情報表示面１２Ａに対しタッチ操作として斜め一方向摺動操作を行わせている。
【０７３８】
従って携帯再生装置１０は、手で本体部１１を挟持させながら当該本体部１１を挟持している手の親指によって情報表示面１２Ａ上でタッチ操作としての斜め一方向摺動操作を行わせるだけで、情報表示面１２Ａにメニューアイコンを表示させることができる。
【０７３９】
以上の構成によれば、携帯再生装置１０は、挟持可能な本体部１１の正面１１Ａに配置された情報表示面１２Ａに対するタッチ操作のタッチ位置を検出してタッチ位置検出データを生成し、そのタッチ位置検出データに基づき、表示部１２の情報表示面１２Ａに対するタッチ操作がタッチ位置を情報表示面１２Ａの操作開始タッチ領域内から斜め一方向へ連続的に変位させる斜め一方向摺動操作であると判別すると、情報表示面１２Ａにメニューアイコンを表示するようにした。
【０７４０】
これにより携帯再生装置１０は、手で本体部１１を挟持させながら当該本体部１１を挟持している手の親指によって情報表示面１２Ａ上でタッチ操作としての斜め一方向摺動操作を行わせるだけで、情報表示面１２Ａにメニューアイコンを表示することができる。よって携帯再生装置１０は、タッチ操作による操作性を格段的に向上させることができる。
【０７４１】
また携帯再生装置１０は、斜め一方向摺動操作を行う場合に、情報表示面１２Ａの操作開始タッチ領域に親指を接触させるようにし、当該斜め一方向摺動操作については操作開始タッチ領域内に親指が接触したことを検出したうえで判別するようにした。
【０７４２】
これにより携帯再生装置１０は、情報表示面１２Ａの表示状態により、斜め一方向摺動操作と共に、画面摺動操作が実行可能な場合でも、斜め一方向摺動操作を画像摺動操作として誤って判別することを防止することができる。
【０７４３】
また携帯再生装置１０は、情報表示面１２Ａに対して斜め一方向摺動操作が行われると、メニューアイコンを操作開始タッチ領域の外側から表示画面内に引き込むように移動させて最終表示位置に表示するようにした。
【０７４４】
このため携帯再生装置１０は、斜め一方向摺動操作を行うことで実行される処理を直感的に理解し易くすることができる。
【０７４５】
さらに携帯再生装置１０は、本体部１１の挟持姿勢を検出すると共に、当該本体部１１が挟持されるときのユーザの利き手も検出し、その検出結果に応じて、操作開始タッチ領域の位置を変更し、かつ斜め一方向を規定し直すようにしてタッチ操作が斜め一方向摺動操作であることを判別するための判別条件を変更するようにした。
【０７４６】
これにより携帯再生装置１０は、本体部１１がユーザにより片手及び両手の何れで挟持されても、またユーザの利き手が右手及び左手の何れであっても、当該利き手の親指の動かし方（すなわち、親指を根元部分を支点にして当該親指の腹で円弧を描くような動かし方）を特には変えさせることなく斜め一方向摺動操作を行わせることができ、操作性を格段的に向上させることができる。
【０７４７】
さらに携帯再生装置１０は、情報表示面１２Ａに対し、提示内容を階層的に変化させるような複数の表示画面を順次切り替えて表示する場合、当該情報表示面１２Ａに表示する表示画面の階層に応じて、斜め一方向摺動操作が行われたときに入力可能な命令を変更し、種別の異なるメニューアイコン（すなわち、ソートアイコン１６０乃至１６７と検索アイコン１７０乃至１７６とのように種別の異なるメニューアイコン）を表示するようにした。
【０７４８】
よって携帯再生装置１０は、１つの斜め一方向摺動操作でも、複数種類の命令を入力させることができる。
【０７４９】
さらに携帯再生装置１０は、情報表示面１２Ａに対してタッチ操作が行われたとき、そのタッチ操作が、当該情報表示面１２Ａにおいて親指を、当該親指側の画面縁部寄りから操作開始タッチ領域へ斜めに向かう斜め他方向へ滑らすように移動させる斜め他方向摺動操作であると判別すると、表示画面に重畳させて表示していたメニューアイコンを消去させるようにした。
【０７５０】
この場合も、携帯再生装置１０は、手で本体部１１を挟持させながら当該本体部１１を挟持している手の親指によって情報表示面１２Ａ上でタッチ操作としての斜め他方向摺動操作を行わせるだけで、情報表示面１２Ａからメニューアイコンを消去することができる。
【０７５１】
そして携帯再生装置１０は、情報表示面１２Ａに対して斜め他方向摺動操作が行われると、メニューアイコンを表示画面内から操作開始タッチ領域の外側へ追い出すように移動させて当該表示画面上から消去するようにした。
【０７５２】
このため携帯再生装置１０は、斜め他方向摺動操作を行うことで実行される処理も直感的に理解し易くすることができる。
【０７５３】
また携帯再生装置１０は、本体部１１の挟持姿勢及びユーザの利き手の検出結果に応じて、斜め他方向を規定し直すようにして、タッチ操作が斜め他方向摺動操作であることを判別するための判別条件も変更するようにした。
【０７５４】
これにより携帯再生装置１０は、本体部１１がユーザにより片手及び両手の何れで挟持されても、またユーザの利き手が右手及び左手の何れであっても、当該利き手の親指の動かし方（すなわち、親指を根元部分を支点にして当該親指の腹で円弧を描くような動かし方）を特には変えさせることなく斜め他方向摺動操作を行わせることができ、操作性を格段的に向上させることができる。
【０７５５】
（３）第２の実施の形態
本発明による情報処理装置を適用した第２の実施の形態による携帯再生装置について説明する。かかる携帯再生装置は、上述した第１の実施の形態による携帯再生装置１０とほぼ同じ外観形状を有している。
【０７５６】
このため第２の実施の形態による携帯再生装置についても、第１の実施の形態による携帯再生装置１０と同様にユーザに対し利き手である右手や左手のみ（すなわち、片手）で挟持させ得ると共に、両手で挟持させることもできるようになされている。
【０７５７】
次いで、図３６を用いて、携帯再生装置２００のハードウェア回路ブロックによるハードウェア回路構成について説明する。
【０７５８】
かかる携帯再生装置２００は、筐体表面に設けられた各種操作キーでなる操作入力部２０１がユーザにより押下操作されると、当該操作入力部２０１でこれを認識し、その押下操作に応じた操作入力信号を入力処理部２０２に送出する。
【０７５９】
入力処理部２０２は、操作入力部２０１から供給された操作入力信号に対して所定の処理を施すことにより、当該操作入力信号を操作コマンドに変換しバス２０３を介して中央処理ユニット２０４に送出する。
【０７６０】
またタッチパネルドライバ２０５は、ディスプレイ２０６の情報表示面に設けられたタッチパネル２０７を介して当該情報表示面がタッチ操作されると、その情報表示面における親指のタッチ位置を検出する。
【０７６１】
そしてタッチパネルドライバ２０５は、その検出したタッチ位置を示すタッチ位置検出データを生成して、当該生成したタッチ位置検出データを中央処理ユニット２０４に送出する。
【０７６２】
中央処理ユニット２０４は、ＲＯＭ２０８、又は半導体メモリやハードディスクドライブでなる記憶部２０９に予め記憶された基本プログラムやアプリケーションプログラム等の各種プログラムを、バス２０３を介してＲＡＭ２１０に読み出す。
【０７６３】
そして中央処理ユニット２０４は、ＲＡＭ２１０上で展開した各種プログラムに従って全体を制御すると共に、所定の演算処理や、入力処理部２０２から与えられる操作コマンドに応じた各種処理を実行する。
【０７６４】
また中央処理ユニット２０４は、タッチパネルドライバ２０５から与えられたタッチ位置検出データと、その際のディスプレイ２０６の表示状態とに基づいて、情報表示面に対するタッチ操作で入力された命令を検出する。
【０７６５】
そして中央処理ユニット２０４は、タッチ操作で入力された（すなわち、検出した命令）に応じた各種処理を実行する。
【０７６６】
これにより中央処理ユニット２０４は、情報表示面に対するタッチ操作によりテレビジョン放送を受信するための受信命令が入力されると、テレビジョン放送波をテレビジョンアンテナ２１１で受信してテレビジョンチューナ部２１２に取り込む。
【０７６７】
テレビジョンチューナ部２１２は、テレビジョン放送波の中から、ユーザにより選局されたテレビジョン放送局で放送されているテレビジョン番組の映像データを抽出して所定の受信処理を施し、その結果得られる番組画像の画像データ及び番組音声の音声データを中央処理ユニット２０４に送出する。
【０７６８】
中央処理ユニット２０４は、テレビジョンチューナ部２１２から与えられた画像データ及び音声データのうち当該画像データを、表示処理部２１３を介してディスプレイ２０６に送出することにより情報表示面に対し当該画像データに基づく番組画像を表示する。
【０７６９】
また中央処理ユニット２０４は、音声データを、データ処理回路２１４を介してヘッドホン２１５に送出することにより、当該ヘッドホン２１５から音声データに基づく番組音声を出力させる。
【０７７０】
これにより中央処理ユニット２０４は、ユーザに対し所望のテレビジョン放送局で放送されているテレビジョン番組を視聴させることができる。
【０７７１】
ところで中央処理ユニット２０４は、例えば、テレビジョン放送の受信処理中に情報表示面に対するタッチ操作によりテレビジョン番組を録画するための録画命令が入力されると、テレビジョンチューナ部２１２から与えられている画像データ及び音声データに対応する録画番組関連情報を生成する。
【０７７２】
そして中央処理ユニット２０４は、そのテレビジョンチューナ部２１２から与えられている画像データ及び音声データを録画番組関連情報と共に記憶部２０９に送出して、当該記憶部２０９に画像データ及び音声データと録画番組関連情報とを対応付けて記憶する。これにより中央処理ユニット２０４は、テレビジョン番組を録画することができる。
【０７７３】
また中央処理ユニット２０４は、例えば、情報表示面に対するタッチ操作によりラジオ放送を受信するための受信命令が入力されると、ラジオ放送波をラジオアンテナ２１６で受信してラジオチューナ部２１７に取り込む。
【０７７４】
ラジオチューナ部２１７は、ラジオ放送波の中からユーザにより選局されたラジオ放送局に対応する放送周波数のラジオ放送信号を抽出して所定の受信処理を施し、この結果得られる番組音声の音声データを中央処理ユニット２０４に送出する。
【０７７５】
中央処理ユニット２０４は、ラジオチューナ部２１７から与えられた音声データを、データ処理回路２１４を介してヘッドホン２１５に送出することにより、当該ヘッドホン２１５から音声データに基づく番組音声を出力させる。
【０７７６】
これにより中央処理ユニット２０４は、ユーザに対し所望のラジオ放送局で放送されているラジオ番組の番組音声を聴かせることができる。
【０７７７】
ところで中央処理ユニット２０４は、例えば、ラジオ放送の受信処理中に情報表示面に対するタッチ操作によりラジオ放送を録音するための録音命令が入力されると、ラジオチューナ部２１７から与えられている音声データに対応する録音番組関連情報を生成する。
【０７７８】
そして中央処理ユニット２０４は、そのラジオチューナ部２１７から与えられている音声データ及び録音番組関連情報を記憶部２０９に送出して、当該記憶部２０９に音声データと録音番組関連情報とを対応付けて記憶する。これにより中央処理ユニット２０４は、ラジオ番組を録音することができる。
【０７７９】
さらに中央処理ユニット２０４は、情報表示面に対するタッチ操作により情報を閲覧するための閲覧命令が入力されると、送受信回路２１８及びアンテナ２１９を順次介して例えば、最寄りのアクセスポイント経由でインターネット上の情報提供装置（図示せず）にアクセスして情報の閲覧を要求する。
【０７８０】
その結果、中央処理ユニット２０４は、情報提供装置から所望の情報を提示するための表示画面データがインターネット及び最寄りのアクセスポイントを順次介して送信されると、その表示画面データをアンテナ２１９及び送受信回路２１８で受信して取り込む。
【０７８１】
そして中央処理ユニット２０４は、その表示画面データを、表示処理部２１３を介してディスプレイ２０６に送出することにより情報表示面に当該表示画面データに基づく表示画面を表示して所望に情報を閲覧させる。
【０７８２】
さらに中央処理ユニット２０４は、情報表示面に対するタッチ操作により所望の音楽データを購入するための購入命令が入力されると、送受信回路２１８及びアンテナ２１９を順次介して例えば、最寄りのアクセスポイント経由でインターネット上の情報提供装置（図示せず）にアクセスして音楽データの購入を要求する。
【０７８３】
その結果、中央処理ユニット２０４は、情報提供装置から音楽データの購入に対する課金処理が完了して、当該音楽データが音楽関連情報と共にインターネット及び最寄りのアクセスポイントを順次介して送信されると、その音楽データ及び音楽関連情報をアンテナ２１９及び送受信回路２１８で受信して取り込む。
【０７８４】
そして中央処理ユニット２０４は、その音楽データ及び音楽関連情報を記憶部２０９に送出して、当該記憶部２０９に音楽データと音楽関連情報とを対応付けて記憶する。これにより中央処理ユニット２０４は、音楽データを購入することができる。
【０７８５】
ところで中央処理ユニット２０４は、携帯再生装置が外部のコンピュータ装置（図示せず）に有線接続又は無線接続されると、当該コンピュータ装置を主体として従属的に機能する。
【０７８６】
これにより中央処理ユニット２０４は、コンピュータ装置から音楽データ及び音楽関連情報が転送されると、当該転送された音楽データ及び音楽関連情報を、外部装置インタフェース２２０を介して取り込む。
【０７８７】
そして中央処理ユニット２０４は、その音楽データ及び音楽関連情報を記憶部２０９に送出して、当該記憶部２０９に音楽データと音楽関連情報とを対応付けて記憶する。
【０７８８】
また中央処理ユニット２０４は、コンピュータ装置から、音楽データのプレイリストが転送されると、当該転送されたプレイリストを、外部装置インタフェース２２０を介して取り込んで記憶部２０９に送出し、当該記憶部２０９にプレイリストを記憶する。
【０７８９】
さらに中央処理ユニット２０４は、コンピュータ装置から映像データ及び映像関連情報が転送されると、当該転送された映像データ及び映像関連情報を、外部装置インタフェース２２０を介して取り込む。
【０７９０】
そして中央処理ユニット２０４は、その映像データ及び映像関連情報を記憶部２０９に送出して、当該記憶部２０９に映像データと映像関連情報とを対応付けて記憶する。
【０７９１】
さらに中央処理ユニット２０４は、コンピュータ装置から写真画像データ及び写真関連情報が転送されると、当該転送された写真画像データ及び写真関連情報を、外部装置インタフェース２２０を介して取り込む。
【０７９２】
そして中央処理ユニット２０４は、その写真画像データ及び写真関連情報を記憶部２０９に送出して、当該記憶部２０９に写真画像データと写真関連情報とを対応付けて記憶する。
【０７９３】
さらに中央処理ユニット２０４は、情報表示面に対するタッチ操作によりデータを再生するための再生命令が入力されると、記憶部２０９から音楽データや映像データ等のデータを読み出してデータ処理回路２１４に送出する。
【０７９４】
データ処理回路２１４は、このとき中央処理ユニット２０４から与えられたデータに対し復号処理や誤り訂正処理等の所定の再生処理を施す。
【０７９５】
そしてデータ処理回路２１４は、再生処理によって得られたデータが画像データの場合、当該画像データを、表示処理部２１３を介してディスプレイ２０６に送出することにより情報表示面に、その画像データに基づく画像（映画の画像や番組画像、写真画像等）を表示する。
【０７９６】
またデータ処理回路２１４は、再生処理によって得られたデータが音声データの場合、その音声データをヘッドホン２１５に送出することにより、当該ヘッドホン２１５から音声データに基づく音声（音楽や番組音声等）を出力させる。
【０７９７】
このようにして中央処理ユニット２０４は、記憶部２０９に記憶している音楽データやテレビジョン番組の画像データ及び音声データ等のような種々のデータを再生して、音楽やテレビジョン番組等を視聴させることができる。
【０７９８】
ところで携帯再生装置２００では、図１５について上述した機能回路ブロックによるハードウェア回路構成の携帯再生装置１０の機能に応じて、ＲＯＭ２０８又は記憶部２０９に記憶させる各種プログラムを適宜選定する。
【０７９９】
すなわち携帯再生装置２００では、ＲＯＭ２０８又は記憶部２０９に記憶させる各種プログラムを上述した情報処理手順ＲＴ１を実行させるための情報処理プログラムのように適宜選定する。
【０８００】
これにより携帯再生装置２００は、図１５について上述した携帯再生装置１０と同様に機能することができる。
【０８０１】
実際に携帯再生装置２００では、中央処理ユニット２０４を、上述した制御部２０、姿勢検出部２６、判別条件変更部２７及び利き手検出部２８と同様に機能させることができる。
【０８０２】
また携帯再生装置２００では、操作入力部２０１及び入力処理部２０２を、上述した押下入力部２３と同様に機能させることができる。
【０８０３】
さらに携帯再生装置２００では、タッチパネルドライバ２０５及びタッチパネル２０７を、上述したタッチ位置検出部２４と同様に機能させることができる。
【０８０４】
さらに携帯再生装置２００では、表示処理部２１３及びディスプレイ２０６を、上述した表示部１２と同様に機能させることができる。
【０８０５】
さらに携帯再生装置２００では、記憶部２０９を、上述したコンテンツ記憶部２２と同様に機能させることができる。
【０８０６】
さらに携帯再生装置２００では、ＲＡＭ２１０又は記憶部２０９を、上述したテーブル記憶部２５と同様に機能させることができる。
【０８０７】
さらに携帯再生装置２００では、テレビジョンアンテナ２１１及びテレビジョンチューナ部２１２を、上述したテレビジョンアンテナ３０及びテレビジョン受信部３１と同様に機能させることができる。
【０８０８】
さらに携帯再生装置２００では、ラジオアンテナ２１６及びラジオチューナ部２１７を、上述したラジオアンテナ３３及びラジオ受信部３４と同様に機能させることができる。
【０８０９】
さらに携帯再生装置２００では、送受信回路部２１８及びアンテナ２１９を、上述した無線通信部２１と同様に機能させることができる。
【０８１０】
さらに携帯再生装置２００では、外部装置インタフェース２２０を、上述した有線通信部２１と同様に機能させることができる。
【０８１１】
さらに携帯再生装置２００では、データ処理回路２１４及びヘッドホン２１５を、上述した再生部３６、出力部３２と同様に機能させることができる。
【０８１２】
従って携帯再生装置２００は、図１５について上述した携帯再生装置１０と同様に情報処理手順ＲＴ１を実行することができる。
【０８１３】
よって携帯再生装置２００は、上述した第１の実施の形態による携帯再生装置１０と同様の効果を得ることができる。
【０８１４】
因みに携帯再生装置２００では、ＲＯＭ２０８又は記憶部２０９に対し予め情報処理プログラムを記憶していても良い。
【０８１５】
また携帯再生装置２００では、情報処理プログラムが記録されたコンピュータ読取可能な記録媒体によって当該情報処理プログラムをインストールするようにしても良い。
【０８１６】
さらに携帯再生装置２００では、ローカルエリアネットワークやインターネット、デジタル衛星放送等の有線及び無線通信媒体を利用して外部から情報処理プログラムをインストールするようにしても良い。
【０８１７】
そして情報処理プログラムを携帯再生装置２００にインストールして実行可能な状態にするためのコンピュータ読取可能な記録媒体としては、例えばフレキシブルディスクのようなパッケージメディアで実現しても良い。
【０８１８】
また情報処理プログラムを携帯再生装置２００にインストールして実行可能な状態にするためのコンピュータ読取可能な記録媒体としては、ＣＤ−ＲＯＭ（Compact  Disc-Read  Only  Memory）やＤＶＤ（Digital  Versatile  Disc）等のパッケージメディアで実現しても良い。
【０８１９】
さらに、かかるコンピュータ読取可能な記録媒体としては、パッケージメディアのみならず、各種プログラムが一時的もしくは永続的に記録される半導体メモリや磁気ディスク等で実現しても良い。
【０８２０】
また、これらコンピュータ読取可能な記録媒体に情報処理プログラムを記録する手段としては、ローカルエリアネットワークやインターネット、デジタル衛星放送等の有線及び無線通信媒体を利用しても良い。
【０８２１】
さらにコンピュータ読取可能な記録媒体に情報処理プログラムを記録する手段としては、ルータやモデム等の各種通信インタフェースを利用しても良い。
【０８２２】
（４）他の実施の形態
（４−１）他の実施の形態１
なお上述した第１及び第２の実施の形態においては、情報表示面１２Ａに対し斜め一方向摺動操作が行われたときに、メニューアイコンを操作開始タッチ領域の外側から表示画面内に引き込むように移動させて当該表示画面の最終表示位置に重畳させて表示するようにした場合について述べた。
【０８２３】
しかしながら本発明は、これに限らず、情報表示面１２Ａに対し斜め一方向摺動操作が行われたときに、メニューアイコンを表示画面上に突然出現させるようにして表示するようにしても良い。
【０８２４】
そして本発明は、情報表示面１２Ａに対し斜め他方向摺動操作が行われたときにも、メニューアイコンを表示画面内から操作開始タッチ領域の外側へ追い出すように移動させて消去させるだけではなく、当該表示画面上からメニューアイコンを突然消失させるようにして消去するようにしても良い。
【０８２５】
（４−２）他の実施の形態２
また上述した第１及び第２の実施の形態においては、情報表示面１２Ａに対し斜め一方向摺動操作が行われたときに、表示画面にメニューアイコンを表示するようにした場合について述べた。
【０８２６】
しかしながら本発明はこれに限らず、情報表示面１２Ａに対し斜め一方向摺動操作が行われたときに、その時点まで表示していた表示画面に替えて他の表示画面やテキスト情報、動画像、写真画像等のように、この他種々の情報を表示するようにしても良い。
【０８２７】
ところで、かかる構成の場合、本発明は、情報表示面１２Ａに対し斜め一方向摺動操作が行われたときに、他の表示画面や動画像等の種々の情報を、上述と同様に操作開始タッチ領域の外側から表示画面内に引き込むように移動させて最終的に当該表示画面に替えて表示するようにしても良い。
【０８２８】
そして本発明は、情報表示面１２Ａに対し斜め他方向摺動操作が行われたときにも、他の表示画面や動画像等の種々の情報を操作開始タッチ領域の外側へ追い出すように移動させて消去すると共に、その際に元の表示画面を徐々に出現させるようにして、他の情報の表示を元の表示画面の表示に切り替えるようにしても良い。
【０８２９】
（４―３）他の実施の形態３
さらに上述した第１及び第２の実施の形態においては、情報表示面１２Ａに対し斜め一方向摺動操作が行われたときに、メニューアイコンを表示画面の予め選定された最終表示位置に重畳させて表示するようにした場合について述べた。
【０８３０】
しかしながら本発明は、これに限らず、図３７（Ａ）及び（Ｂ）に示すように、情報表示面１２Ａに対し斜め一方向摺動操作が行われたときに、上述したようにタッチ軌跡を検出し、表示画面において、そのタッチ軌跡が描く弓形状の仮想線から、本体部１１を挟持している利き手（すなわち、斜め一方向摺動操作を行うために親指を動かした手）の親指の根元寄りの隅部までの当該親指で描かれる扇状の表示領域内に１又は複数のメニューアイコンを重畳させて表示するようにしても良い。
【０８３１】
かかる構成によれば、本発明は、ユーザ毎に本体部１１の挟持の仕方（すなわち、本体部１１に対して手のひらや指をかける位置の違い）や手の大きさ、親指の長さ等が異なっても、何れのユーザの親指も情報表示面１２Ａにおいてメニューアイコンの表示部分と対向する所定領域に容易にかつ確実に接触させることができる。
【０８３２】
よって本発明は、何れのユーザに対しても、情報表示面１２Ａにおいてメニューアイコンの表示部分と対向する所定領域内をタッチ操作させて命令を入力させることができる。
【０８３３】
また本発明は、図３８（Ａ）及び（Ｂ）に示すように、情報表示面１２Ａに対し斜め一方向摺動操作が行われたときに、上述したようにタッチ軌跡を検出し、表示画面において、そのタッチ軌跡上に１又は複数のメニューアイコンを位置させて（すなわち、タッチ軌跡に沿って並べるように）重畳させて表示するようにしても良い。
【０８３４】
かかる構成によれば、本発明は、ユーザの親指の届く部分にメニューアイコンを表示し得ることにより、何れのユーザに対しても、情報表示面１２Ａにおいてメニューアイコンの表示部分と対向する所定領域内をタッチ操作させて命令を入力させることができる。
【０８３５】
ところで本発明は、図３７や図３８に示すように構成する場合、上述した扇状の表示領域内やタッチ軌跡上に、配置し得る分だけのメニューアイコン（すなわち、メニューアイコン自体の大きさを変えずに）を表示するようにしても良い。
【０８３６】
これに対して本発明は、上述の扇状の表示領域の面積が大きい場合やタッチ軌跡が長い場合は、メニューアイコンの大きさを大きくし、また扇状の表示領域の面積が小さい場合やタッチ軌跡が短い場合は、メニューアイコンの大きさを小さくするように、これら扇状の表示領域の面積やタッチ軌跡の長さに応じてメニューアイコンの大きさを変更して、当該扇状の表示領域内及びタッチ軌跡上に、予め表示用に用意していたメニューアイコンを全て表示するようにしても良い。
【０８３７】
（４―４）他の実施の形態４
さらに上述した第１及び第２の実施の形態においては、図１６乃至図２５について上述したジャンル選択画面４０及び９０やアーティスト選択画面５０及び１００等の表示画面内に、他の部分とは異なる色（すなわち、異なる表示色）で表示するようにしたタッチ領域通知部４９、５５、６５、７４、９３、１０３、１１３及び１２４を設けるようにした場合について述べた。
【０８３８】
しかしながら本発明は、これに限らず、表示画面内に操作開始タッチ領域を通知するためのアイコンを設け、又は所定周期で点滅するタッチ領域通知部を設ける等のように、この他種々の構成によって操作開始タッチ領域を通知することができる。
【０８３９】
ところで、本発明は、上述した他の実施の形態２の構成を適用した場合、図３９に示すように、斜め一方向摺動操作で表示する表示画面２５０の１つの隅部のような一部を、操作開始タッチ領域と対向する表示画面２５１の所定部分に重ねて表示するようにして、当該操作開始タッチ領域の位置を通知するようにしても良い。
【０８４０】
ところで、本発明は、例えば、斜め一方向摺動操作によって追加で表示する情報の種類や数、大きさ等によって表示画面内のタッチ領域通知部や、操作開始タッチ領域通知用のアイコンの色や形状を変化させるようにすることもできる。
【０８４１】
また本発明は、例えば、携帯再生装置１０が１つの挟持姿勢でのみ使用され、ユーザの利き手の違いによらず、操作開始タッチ領域を固定するような場合、表示画面をタッチ領域通知部を設けずに構成することもできる。かかる構成によれば、表示画面全体を、情報の提示に有効に利用させることができる。
【０８４２】
（４―５）他の実施の形態５
さらに上述した第１及び第２の実施の形態においては、表示画面の表示形態毎に、操作開始タッチ領域の位置を変更するものの、同一の表示形態では、当該操作開始タッチ領域の位置を予め選定された位置のまま変更しないようにした場合について述べた。
【０８４３】
しかしながら本発明は、これに限らず、表示画面の表示形態や本体部１１の挟持姿勢にかかわらずに、例えば、携帯再生装置１０の起動時にユーザに対し本体部１１を実際に挟持させて、タッチ操作する手の親指の腹を情報表示面１２Ａに接触させるようにし、その親指の腹が接触した位置を操作開始タッチ領域の位置として設定するようにしても良い。
【０８４４】
かかる構成によれば、本発明は、ユーザ毎に本体部１１の挟持の仕方（すなわち、本体部１１に対して手のひらや指をかける位置の違い）や手の大きさ、親指の長さ等が異なっても、何れのユーザの親指も情報表示面１２Ａの操作開始タッチ領域に容易にかつ確実に接触させて斜め一方向摺動操作を行わせることができる。
【０８４５】
ところで本発明は、このように操作開始タッチ領域の位置を任意に設定する場合、その位置が情報表示面１２Ａの縁部ではなく、縁部よりも中央部寄りに位置するように設定することもできる。
【０８４６】
また本発明は、操作開始タッチ領域の位置を予め設定している場合でも、その位置を情報表示面１２Ａの縁部よりも中央部寄りの所定位置に設定しておくこともできる。
【０８４７】
（４―６）他の実施の形態６
さらに上述した第１及び第２の実施の形態においては、情報表示面１２Ａに対して一定の速度以上で、また一定の距離以親指を動かすようにして斜め一方向摺動操作が行われると、メニューアイコンを表示画面の最終表示位置に表示し、親指を一定の速度より遅く動かしかつ一定の距離に満たない位置で情報表示面１２Ａから離すと、メニューアイコンを操作開始タッチ領域の外側に追い出して戻すようにした場合について述べた。
【０８４８】
しかしながら本発明は、これに限らず、情報表示面１２Ａに対して斜め一方向摺動操作が行われたときに、メニューアイコンを表示画面の最終表示位置に表示する前に親指の移動が一旦停止すると、その時点にメニューアイコンの移動も一旦停止させ、親指が再び動かされると、メニューアイコンも再び移動させて表示画面の最終表示位置に表示し、親指の移動が一旦停止している間に情報表示面１２Ａから親指が離されたときには、メニューアイコンを操作開始タッチ領域の外側に追い出して戻すようにしても良い。
【０８４９】
かかる構成によれば、本発明は、ユーザに対し斜め一方向摺動操作で表示するメニューアイコンの種類を当該斜め一方向摺動操作の途中で確認させたうえで、当該メニューアイコンを表示し又は消去することができる。
【０８５０】
特に、かかる構成は、斜め一方向摺動操作により表示可能な情報が例えば、表示画面毎に異なり、多数存在する場合、当該斜め一方向摺動操作の途中で当該情報の内容を確認したうえで表示の実行、中止を判断させることができる。
【０８５１】
（４―７）他の実施の形態７
さらに上述した第１及び第２の実施の形態においては、情報表示面１２Ａに対して何れか一方の手でのみ斜め一方向摺動操作を行わせるようにした場合について述べた。
【０８５２】
しかしながら本発明は、これに限らず、情報表示面１２Ａに対して常時、右手用の斜め一方向摺動操作と左手用の斜め一方向摺動操作との何れも行わせるようにしても良い。
【０８５３】
そして、かかる構成の場合、本発明は、本体部が縦挟持姿勢で挟持されるときには、右手用及び左手用の操作開始タッチ領域を別々に設定し、本体部が横挟持姿勢で挟持されるときには、右手用及び左手用の操作開始タッチ領域を別々に設定することもできるし、１つの操作開始タッチ領域を右手用及び左手用として共用するように設定することもできる。
【０８５４】
また本発明は、かかる構成の場合、右手用の斜め一方向摺動操作と左手用の斜め一方向摺動操作とで入力可能な命令を同じ命令に設定することもできるし、異なるように設定することもできる。
【０８５５】
かかる構成によれば、本発明は、例えば、右手用の斜め一方向摺動操作と左手用の斜め一方向摺動操作とで入力可能な命令を同じ命令に設定した場合、ユーザに対し利き手を意識させずに左右どちらの手でも斜め一方向摺動操作を行わせることができ、操作性を一段と向上させることができる。
【０８５６】
またかかる構成によれば、本発明は、例えば、右手用の斜め一方向摺動操作と左手用の斜め一方向摺動操作とで入力可能な命令を異なるように設定した場合、ユーザにとっては操作性の良い斜め一方向摺動操作によって、より多くの命令を入力させることができる。
【０８５７】
（４―８）他の実施の形態８
さらに上述した第１及び第２の実施の形態においては、本体部１１を挟持する手の親指を、その手の小指側から人差し指の根元部分側への斜め一方向へ移動させるようにして一方向摺動操作を行わせるようにした場合について述べた。
【０８５８】
しかしながら本発明は、これに限らず、本体部１１を挟持する手の親指を、その手の人差し指の根元部分側から小指側への斜め一方向へ移動させるようにして一方向摺動操作を行わせるようにしても良い。
【０８５９】
すなわち、図４０に示すように、携帯再生装置１０では、利き手である右手により本体部１１が縦挟持姿勢で挟持されると、情報表示面１２Ａにおいて当該右手の人差し指の根元部分側の中央部（すなわち、表示画面の画面右側中央部に対応する部分）に扇状の操作開始タッチ領域１２ＡＲを設ける。
【０８６０】
そして携帯再生装置１０は、タッチ操作開始時点に情報表示面１２Ａの操作開始タッチ領域１２ＡＲに接触させた右手の親指をそのまま、当該操作開始タッチ領域１２ＡＲから右手の小指側の隅部へ向かう斜め一方向（すなわち、表示画面の画面左下方向）へ滑らせて動かすようなタッチ操作を、斜め一方向摺動操作としても良い。
【０８６１】
また図４１に示すように、携帯再生装置１０では、利き手である左手により本体部１１が縦挟持姿勢で挟持されると、情報表示面１２Ａにおいて当該左手の人差し指の根元部分側の中央部（すなわち、表示画面の画面左側中央部に対応する部分）に扇状の操作開始タッチ領域１２ＡＳを設ける。
【０８６２】
そして携帯再生装置１０は、タッチ操作開始時点に情報表示面１２Ａの操作開始タッチ領域１２ＡＳに接触させた左手の親指をそのまま、当該操作開始タッチ領域１２ＡＳから左手の小指側の隅部へ向かう斜め一方向（すなわち、表示画面の画面右下方向）へ滑らせて動かすようなタッチ操作を、斜め一方向摺動操作としても良い。
【０８６３】
さらに図４２に示すように、携帯再生装置１０では、両手により本体部１１が右利き挟持姿勢で挟持されると、情報表示面１２Ａにおいて右手の人差し指の根元部分側の縁部（すなわち、他端面１１Ｄと一側面１１Ｅとの角寄りの縁部でもあり、表示画面の画面右上隅寄りに対応する部分でもある）に扇状の操作開始タッチ領域１２ＡＴを設ける。
【０８６４】
そして携帯再生装置１０は、タッチ操作開始時点に情報表示面１２Ａの操作開始タッチ領域１２ＡＴに接触させた利き手である右手の親指をそのまま、当該操作開始タッチ領域１２ＡＴから他側面１１Ｆの中央部へ向かう斜め一方向（すなわち、表示画面の画面下側中央方向）へ滑らせて動かすようなタッチ操作を、斜め一方向摺動操作としても良い。
【０８６５】
さらに図４３に示すように、携帯再生装置１０では、両手により本体部１１が左利き挟持姿勢で挟持されると、情報表示面１２Ａにおいて左手の人差し指の根元部分側の縁部（すなわち、他端面１１Ｄと他側面１１Ｆとの角寄りの縁部でもあり、表示画面の画面左上隅寄りに対応する部分でもある）に扇状の操作開始タッチ領域１２ＡＶを設ける。
【０８６６】
そして携帯再生装置１０は、タッチ操作開始時点に情報表示面１２Ａの操作開始タッチ領域１２ＡＶに接触させた利き手である右手の親指をそのまま、当該操作開始タッチ領域１２ＡＶから一側面１１Ｅの中央部へ向かう斜め一方向（すなわち、表示画面の画面下側中央方向）へ滑らせて動かすようなタッチ操作を、斜め一方向摺動操作としても良い。
【０８６７】
携帯再生装置１０では、このような構成によっても、上述した第１及び第２の実施の形態と同様に、ユーザに本体部１１を挟持した手の親指を振らせるだけの簡易な操作で命令を入力させることができる。
【０８６８】
ところで、かかる構成の携帯再生装置１０（図４０）では、利き手である右手により本体部１１が縦挟持姿勢で挟持されると、情報表示面１２Ａにおいて他端面１１Ｄと他側面１１Ｆとの角寄りの部分に接触させた右手の親指をそのまま操作開始タッチ領域１２ＡＲに向かう斜め他方向へ滑らせて動かすようなタッチ操作を、斜め他方向摺動操作としても良い。
【０８６９】
また携帯再生装置１０（図４１）では、利き手である左手により本体部１１が縦挟持姿勢で挟持されると、情報表示面１２Ａにおいて他端面１１Ｄと一側面１１Ｅとの角寄りの部分に接触させた左手の親指をそのまま操作開始タッチ領域１２ＡＳに向かう斜め他方向へ滑らせて動かすようなタッチ操作を、斜め他方向摺動操作としても良い。
【０８７０】
さらに携帯再生装置１０（図４２）では、両手により本体部１１が右利き挟持姿勢で挟持されると、情報表示面１２Ａにおいて他側面１１Ｆの中央部寄りの部分に接触させた利き手である右手の親指をそのまま操作開始タッチ領域１２ＡＴに向かう斜め他方向へ滑らせて動かすようなタッチ操作を、斜め他方向摺動操作としても良い。
【０８７１】
さらに携帯再生装置１０（図１４）では、両手により本体部１１が左利き挟持姿勢で挟持されると、情報表示面１２Ａにおいて一側面１１Ｅの中央部寄りの部分に接触させた利き手である左手の親指をそのまま操作開始タッチ領域１２ＡＶに向かう斜め他方向へ滑らせて動かすようなタッチ操作を、斜め他方向摺動操作としても良い。
【０８７２】
かかる構成によれば、携帯再生装置１０では、斜め一方向摺動操作に加えて斜め他方向摺動操作についても、上述した第１及び第２の実施の形態と同様に、ユーザに対し本体部１１を挟持した手の親指を振らせるだけで容易に行わせることができる。
【０８７３】
（４―９）他の実施の形態９
さらに上述した第１及び第２の実施の形態においては、情報表示面１２Ａに対するタッチ操作として、タップ操作や長押操作、画面摺動操作、斜め一方向摺動操作及び斜め他方向摺動操作のように多種類のタッチ操作を行わせるようにした場合について述べた。
【０８７４】
しかしながら本発明は、これに限らず、情報表示面１２Ａに対するタッチ操作として、斜め一方向摺動操作のみ、又は斜め一方向摺動操作及び斜め他方向摺動操作のみを行わせるようにしても良い。
【０８７５】
かかる構成によれば、本発明は、命令を入力する際にタッチ操作の種類を全く又はほとんど意識させることなく、操作性をより向上させることができる。
【０８７６】
（４―１０）他の実施の形態１０
さらに上述した第１及び第２の実施の形態においては、情報表示面１２Ａに対して画面右方向摺動操作や画面左方向摺動操作が行われると、情報表示面１２Ａに表示する表示画面の表示モードを切り換えるようにした場合について述べた。
【０８７７】
しかしながら本発明は、これに限らず、情報表示面１２Ａに対して画面右方向摺動操作や画面左方向摺動操作が行われたことに応じて、例えば、再生用の音楽データを選択するための表示画面と、再生用の映像データを選択するための表示画面とを切り換え、又は映像や写真画像等のような再生する情報を切り換えて、その再生する情報の表示を切り換える等ように、この他種々の切り換えを行うことができる。
【０８７８】
（４―１１）他の実施の形態１１
さらに上述した第１及び第２の実施の形態においては、本発明による情報処理装置を、図１乃至図４３について上述した情報処理装置１、携帯再生装置１０及び２００に適用するようにした場合について述べたが、本発明はこれに限らず、携帯電話機やＰＤＡ（Personal Digital Assistance ）、ゲーム機器等の携帯型の情報処理装置等のように、この他種々の構成の情報処理装置に広く適用することができる。
【０８７９】
ところで図４４に示すように、例えば、本発明を携帯型のゲーム機器２６０に適用した場合、上述した他の実施の形態７でも説明したように、情報表示面２６１に対して常時、右手用の斜め一方向摺動操作と左手用の斜め一方向摺動操作との何れも行わせるようにしても良い。
【０８８０】
また本発明は、例えば、テレビジョン受像機のような大型のディスプレイを有する装置に適用することもできる。
【０８８１】
本発明は、かかる構成の場合、人が腕の付け根を支点として当該腕を円弧を描くように動かし易いことを利用して、ユーザをディスプレイの情報表示面と対峙させ、指の替わりに、例えばディスプレイの情報表示面に対するタッチ操作として、腕を振らせて手で斜め一方向摺動操作や斜め他方向摺動操作を行わせ命令を入力させるようにしても良い。
【０８８２】
かかる構成によれば、ユーザをディスプレイの情報表示面１２Ａに対峙させ、腕を振らせるだけの簡易な操作で命令を入力させることができる。
【０８８３】
（４−１２）他の実施の形態１２
さらに上述した第１及び第２の実施の形態においては、挟持可能な本体部として、図１乃至図４４について上述した本体部２や扁平形状の本体部１１を適用するようにした場合について述べた。
【０８８４】
しかしながら本発明は、これに限らず、例えば、正面及び他面が楕円形状に形成された扁平形状のように、この他種々の形状の本体部を広く適用することができる。
【０８８５】
（４−１３）他の実施の形態１３
さらに上述した第１及び第２の実施の形態においては、本体部に対し当該本体部の正面に情報表示面を配置するように設けられ、当該情報表示面に情報を表示する表示部として、図１乃至図４４について上述した表示部３及び１２やディスプレイ２０６を適用するようにした場合について述べた。
【０８８６】
しかしながら本発明は、これに限らず、タッチパネル機能内蔵型のディスプレイ（すなわち、タッチパネルと一体型のディスプレイ）のように、この他種々の構成の表示部を広く適用することができる。
【０８８７】
（４−１４）他の実施の形態１４
さらに上述した第１及び第２の実施の形態においては、表示部の情報表示面のタッチ位置を検出して、当該検出したタッチ位置を互いに直交する２軸を基準とした座標で表すタッチ位置検出データを生成するタッチ位置検出部として、図１乃至図４４について上述したタッチ位置検出部４及び２４やタッチパネルドライバ２０５及びタッチパネル２０７を適用するようにした場合について述べた。
【０８８８】
しかしながら本発明は、これに限らず、タッチパネル機能内蔵型のディスプレイ（すなわち、ディスプレイと一体型のタッチパネル）及びタッチパネルドライバのように、この他種々の構成のタッチ位置検出部を広く適用することができる。
【０８８９】
（４−１５）他の実施の形態１５
さらに上述した第１及び第２の実施の形態においては、タッチ位置検出部により生成されたタッチ位置検出データに基づき、表示部の情報表示面のタッチ位置が当該情報表示面の所定領域内から２軸各々に沿った２方向に対して斜めな所定の斜め一方向へ連続的に変位したことを検出すると、表示部の情報表示面に所定の情報を表示させる制御部として、図１乃至図４４について上述した制御部５及び２０や中央処理ユニット２０４を適用するようにした場合について述べた。
【０８９０】
しかしながら本発明は、これに限らず、マイクロプロセッサのように、この他種々の構成の制御部を広く適用することができる。
【０８９１】
（４−１６）他の実施の形態１６
さらに上述した第１及び第２の実施の形態においては、利き手を検出する利き手検出部として、図１乃至図４４について上述した利き手検出部２８や中央処理ユニット２０４を適用するようにした場合について述べた。
【０８９２】
しかしながら本発明は、これに限らず、タッチパネル及びタッチパネルドライバのように、この他種々の構成の利き手検出部を広く適用することができる。
【０８９３】
因みに、利き手検出部としてタッチパネル及びタッチパネルドライバを適用した場合、例えば、情報処理装置の起動時に、本体部を挟持している手で斜め一方向摺動操作を行わせて、その際の親指の移動方向を検出し、当該検出結果をもとに利き手を検出するようにしても良い。
【０８９４】
（４−１７）他の実施の形態１７
さらに上述した第１及び第２の実施の形態においては、利き手検出部により検出された利き手に応じて、表示部の情報表示面内における所定領域の位置を変更すると共に、斜め一方向摺動操作の判別に利用する斜め一方向を規定し直す変更部として、図１乃至図４４について上述した判別条件変更部２７や中央処理ユニット２０４を適用するようにした場合について述べた。
【０８９５】
しかしながら本発明は、これに限らず、マイクロプロセッサのように、この他種々の構成の判別条件変更部を広く適用することができる。
【０８９６】
（４−１８）他の実施の形態１８
さらに上述した第１及び第２の実施の形態においては、本体部の挟持姿勢を検出する姿勢検出部として、図１乃至図４４について上述した姿勢検出部２６を適用するようにした場合について述べた。
【０８９７】
しかしながら本発明は、これに限らず、ジャイロセンサのように、ここの他種々の構成の姿勢検出部を広く適用することができる。
【０８９８】
因みに、姿勢検出部としてジャイロセンサを適用した場合、例えば、ユーザが情報処理装置の本体部を右手のみで挟持したときには、当該本体部が右に傾く傾向にあり、ユーザが情報処理装置の本体部を左手のみで挟持したときには、当該本体部が左に傾く傾向にあり、ユーザが情報処理装置の本体部を両手で挟持したときには、当該本体部がほぼ水平になる傾向にあるため、ジャイロセンサによって本体部の傾きを検出し、その検出結果をもとに本体部の挟持姿勢を検出するようにしても良い。
【０８９９】
（４−１９）他の実施の形態１９
さらに上述した第１及び第２の実施の形態においては、姿勢検出部により検出された本体部の挟持姿勢に応じて、表示部の情報表示面における所定領域の位置を変更すると共に、斜め一方向摺動操作の判別に利用する斜め一方向を規定し直す変更部として、図１乃至図４４について上述した判別条件変更部２７や中央処理ユニット２０４を適用するようにした場合について述べた。
【０９００】
しかしながら本発明は、これに限らず、マイクロプロセッサのように、この他種々の構成の判別条件変更部を広く適用することができる。
【産業上の利用可能性】
【０９０１】
本発明は、携帯型の音楽再生装置や携帯電話機、ＰＤＡ等の情報処理装置に利用することができる。
【図面の簡単な説明】
【０９０２】
【図１】本発明による情報処理装置の構成の概要を示すブロック図である。
【図２】本発明の情報処理装置を適用した第１の実施の形態による携帯再生装置の外観構成を示す略線的斜視図である。
【図３】携帯再生装置の本体部の右手による挟持の説明に供する略線的正面図である。
【図４】携帯再生装置の本体部の左手による挟持の説明に供する略線的正面図である。
【図５】携帯再生装置の本体部の両手による挟持（１）の説明に供する略線的正面図である。
【図６】携帯再生装置の本体部の両手による挟持（２）の説明に供する略線的正面図である。
【図７】本体部の挟持姿勢の違いの応じた画面左方向摺動操作の説明に供する略線的正面図である。
【図８】本体部の挟持姿勢の違いの応じた画面右方向摺動操作の説明に供する略線的正面図である。
【図９】本体部の挟持姿勢の違いの応じた画面下方向摺動操作の説明に供する略線的正面図である。
【図１０】本体部の挟持姿勢の違いの応じた画面上方向摺動操作の説明に供する略線的正面図である。
【図１１】右手により本体部が縦挟持姿勢で挟持されたときの斜め一方向摺動操作の説明に供する略線的正面図である。
【図１２】左手により本体部が縦挟持姿勢で挟持されたときの斜め一方向摺動操作の説明に供する略線的正面図である。
【図１３】両手により本体部が右利き横挟持姿勢で挟持されたときの右手による斜め一方向摺動操作の説明に供する略線的正面図である。
【図１４】両手により本体部が左利き横挟持姿勢で挟持されたときの左手による斜め一方向摺動操作の説明に供する略線的正面図である。
【図１５】携帯再生装置の機能回路ブロックによるハードウェア回路構成を示すブロック図である。
【図１６】リストモードによるジャンル選択画面の構成を示す略線図である。
【図１７】リストモードによるアーティスト選択画面の構成を示す略線図である。
【図１８】リストモードによるアルバム選択画面の構成を示す略線図である。
【図１９】リストモードによる音楽選択画面の構成を示す略線図である。
【図２０】リストモードによる音楽再生画面の構成を示す略線図である。
【図２１】ビジュアルモードによるジャンル選択画面の構成を示す略線図である。
【図２２】ビジュアルモードによるアーティスト選択画面の構成を示す略線図である。
【図２３】ビジュアルモードによるアルバム選択画面の構成を示す略線図である。
【図２４】ビジュアルモードによる音楽選択画面の構成を示す略線図である。
【図２５】ビジュアルモードによる音楽再生画面の構成を示す略線図である。
【図２６】表示画面の遷移の説明に供する略線図である。
【図２７】イニシャルサーチ画面の構成を示す略線図である。
【図２８】ホームメニュー画面の構成を示す略線図である。
【図２９】斜め一方向摺動操作によるアーティスト選択画面へのソートアイコンの重畳表示の説明に供する略線図である。
【図３０】ソートアイコンのアーティスト選択画面への重畳表示の説明に供する略線図である。
【図３１】斜め一方向摺動操作による音楽再生画面への検索アイコンの重畳表示の説明に供する略線図である。
【図３２】検索情報画面の構成を示す略線図である。
【図３３】情報処理手順を示すフローチャートである。
【図３４】アイコン引込表示処理サブルーチンを示すフローチャートである。
【図３５】アイコン追出消去処理サブルーチンを示すフローチャートである。
【図３６】本発明の情報処理装置を適用した第２の実施の形態のよる携帯再生装置のハードウェア回路ブロックによるハードウェア回路構成を示すブロック図である。
【図３７】他の実施の形態による表示画面へのメニューアイコンの重畳表示（１）の説明に供する略線図である。
【図３８】他の実施の形態による表示画面へのメニューアイコンの重畳表示（２）の説明に供する略線図である。
【図３９】他の実施の形態による操作開始タッチ領域の通知の説明に供する略線図である。
【図４０】他の実施の形態による右手により本体部が縦挟持姿勢で挟持されたときの斜め一方向摺動操作の説明に供する略線的正面図である。
【図４１】他の実施の形態による左手により本体部が縦挟持姿勢で挟持されたときの斜め一方向摺動操作の説明に供する略線的正面図である。
【図４２】他の実施の形態による両手により本体部が右利き横挟持姿勢で挟持されたときの右手による斜め一方向摺動操作の説明に供する略線的正面図である。
【図４３】他の実施の形態による両手により本体部が左利き横挟持姿勢で挟持されたときの左手による斜め一方向摺動操作の説明に供する略線的正面図である。
【図４４】他の実施の形態によるゲーム機器の外観構成を示す略線図である。
【符号の説明】
【０９０３】
１……情報処理装置、２、１１……本体部、３、１２……表示部、４、２４……タッチ位置検出部、５、２０……制御部、１０、２００……携帯再生装置、１２Ａ……情報表示面、１３、２０７……タッチパネル、２６……姿勢検出部、２７……判別条件変更部、２８……利き手検出部、４０、９０……ジャンル選択画面、５０、１００……アーティスト選択画面、６０、１１０……アルバム選択画面、７０、１２０……音楽選択画面、８０、１３０……音楽再生画面、１６０乃至１６７……ソートアイコン、１７０乃至１７６……検索アイコン、２０４……中央処理ユニット、２０５……タッチパネルドライバ、２０６……ディスプレイ、ＲＴ１……情報処理手順、ＳＲＴ１……アイコン引込表示処理サブルーチン、ＳＲＴ２……アイコン追出消去処理サブルーチン。
【図１】
2010026710.tif 000003
【図２】
2010026710.tif 000004
【図３】
2010026710.tif 000005
【図４】
2010026710.tif 000006
【図５】
2010026710.tif 000007
【図６】
2010026710.tif 000008
【図７】
2010026710.tif 000009
【図８】
2010026710.tif 000010
【図９】
2010026710.tif 000011
【図１０】
2010026710.tif 000012
【図１１】
2010026710.tif 000013
【図１２】
2010026710.tif 000014
【図１３】
2010026710.tif 000015
【図１４】
2010026710.tif 000016
【図１５】
2010026710.tif 000017
【図１６】
2010026710.tif 000018
【図１７】
2010026710.tif 000019
【図１８】
2010026710.tif 000020
【図１９】
2010026710.tif 000021
【図２０】
2010026710.tif 000022
【図２１】
2010026710.tif 000023
【図２２】
2010026710.tif 000024
【図２３】
2010026710.tif 000025
【図２４】
2010026710.tif 000026
【図２５】
2010026710.tif 000027
【図２６】
2010026710.tif 000028
【図２７】
2010026710.tif 000029
【図２８】
2010026710.tif 000030
【図２９】
2010026710.tif 000031
【図３０】
2010026710.tif 000032
【図３１】
2010026710.tif 000033
【図３２】
2010026710.tif 000034
【図３３】
2010026710.tif 000035
【図３４】
2010026710.tif 000036
【図３５】
2010026710.tif 000037
【図３６】
2010026710.tif 000038
【図３７】
2010026710.tif 000039
【図３８】
2010026710.tif 000040
【図３９】
2010026710.tif 000041
【図４０】
2010026710.tif 000042
【図４１】
2010026710.tif 000043
【図４２】
2010026710.tif 000044
【図４３】
2010026710.tif 000045
【図４４】
2010026710.tif 000046